(57)【要約】  本発明は、基地局、ユーザ機器、並びにリソース取得方法及びシステムを提供し、通信分野に関し、利用可能な無認可リソースにおいてユーザ機器の正常動作を保証し得る。方法は、ユーザ機器により送信された第１検出結果を受信する段階であって、第１検出結果は、第１事前設定範囲における無認可スペクトルの信号品質、及び／又は、第１事前設定範囲におけるスペクトル情報を含む、受信する段階と、第１スペクトル情報を取得する段階と、取得ユニットにより取得された第１スペクトル情報、及び／又は、受信ユニットにより受信された第１検出結果に従って、利用可能な無認可スペクトル情報を決定する段階と、決定ユニットにより決定された利用可能な無認可スペクトル情報をユーザ機器に送信する段階とを含む。本発明において提供されるリソース取得デバイス、方法、及びシステムは、リソースを取得するのに用いられる。
2017516430.tif 000002
【特許請求の範囲】
【請求項１】
ユーザ機器により送信された第１検出結果を受信するよう構成された受信ユニットであって、前記第１検出結果は、第１事前設定範囲における無認可スペクトルの信号品質、及び／又は、前記第１事前設定範囲におけるスペクトル情報を含む、受信ユニットと、
第１スペクトル情報を取得するよう構成された取得ユニットと、
前記取得ユニットにより取得された前記第１スペクトル情報、及び／又は、前記受信ユニットにより受信された前記第１検出結果に従って、利用可能な無認可スペクトル情報を決定するよう構成された第１決定ユニットと、
前記第１決定ユニットにより決定された前記利用可能な無認可スペクトル情報を前記ユーザ機器に送信するよう構成された送信ユニットと
を備える、
基地局。
【請求項２】
前記利用可能な無認可スペクトル情報は、利用可能な無認可スペクトルの範囲情報、及び／又は、前記利用可能な無認可スペクトルにおける第１参照信号を含む、
請求項１に記載の基地局。
【請求項３】
前記送信ユニットは、第１検出設定情報を前記ユーザ機器に送信し、これにより、前記ユーザ機器は、前記第１検出設定情報に従って前記第１事前設定範囲における前記無認可スペクトルを検出して、前記第１測定結果を取得するようさらに構成される、
請求項１又は２に記載の基地局。
【請求項４】
前記第１検出設定情報は、第２事前設定範囲を含む、
請求項３に記載の基地局。
【請求項５】
前記無認可スペクトルの前記信号品質は、前記無認可スペクトルのエネルギー、又は前記無認可スペクトルにおける第２参照信号の信号品質を含む、
請求項３又は４に記載の基地局。
【請求項６】
前記第１検出設定情報は、前記第２参照信号の設定情報を含み、前記第２参照信号の前記設定情報は、前記第２参照信号のタイプ情報、時間−周波数−空間符号ドメイン情報、シーケンスフォーマット、又はシーケンスパラメータ情報、のうち１つ又はこれらの組み合わせを含む、
請求項５に記載の基地局。
【請求項７】
前記第１検出設定情報は第１報告条件をさらに含み、これにより、前記ユーザ機器は、前記第１報告条件に従って前記第１検出結果を前記基地局に送信し、
前記第１報告条件は、前記無認可スペクトルの前記信号品質が第１事前設定閾値より高いこと、前記無認可スペクトルの前記信号品質が第２事前設定閾値より低いこと、又は検出期間が事前設定されていること、のうち１つ又はこれらの組み合わせを含む、
請求項３から６の何れか一項に記載の基地局。
【請求項８】
前記第１スペクトル情報は、前記基地局を除く別の基地局の無認可スペクトル情報、運用・管理・保守（ＯＡＭ）により設定された無認可スペクトル情報、又は無線ローカルエリアネットワーク（ＷｉＦｉ）の無認可スペクトル情報、のうち１つ又はこれらの組み合わせを含む、
請求項１から７の何れか一項に記載の基地局。
【請求項９】
前記第１決定ユニットは、
前記基地局を除く前記別の基地局の前記無認可スペクトル情報、前記ＯＡＭにより設定された前記無認可スペクトル情報、前記ＷｉＦｉの前記無認可スペクトル情報、又は前記第１検出結果、のうち１つ又はこれらの組み合わせに従って、前記第２事前設定範囲における無認可スペクトル情報から候補となる無認可スペクトル情報を選択し、
前記候補となる無認可スペクトル情報から、前記利用可能な無認可スペクトル情報として、第１事前設定条件に基づいてスペクトル情報を選択するよう特に構成されてよい、
請求項８に記載の基地局。
【請求項１０】
前記第１事前設定条件は、最高エネルギーのスペクトル情報である、
請求項９に記載の基地局。
【請求項１１】
前記送信ユニットは、第２検出設定情報を前記ユーザ機器に送信し、これにより、前記ユーザ機器は、前記第２検出設定情報に従って前記利用可能な無認可スペクトルのリソースセクションの信号品質を検出して、第２検出結果を取得するようさらに構成され、
前記受信ユニットは、前記ユーザ機器により送信された前記第２検出結果を受信するようさらに構成され、
前記基地局は以下のものをさらに含み、
前記基地局は、前記第２検出結果に従って、前記ユーザ機器にスケジューリング及び／又はモビリティ管理を実行するよう構成された処理ユニットをさらに含む、
請求項１から１０の何れか一項に記載の基地局。
【請求項１２】
前記第２検出設定情報は、前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、前記利用可能な無認可スペクトルの１つ又は複数のセットの時間−周波数ドメインの情報画像、又は、前記利用可能な無認可スペクトルにおける第３参照信号の設定情報、のうち１つ又はこれらの組み合わせを含む、
請求項１１に記載の基地局。
【請求項１３】
前記第３参照信号の前記設定情報は、前記第３参照信号のタイプ情報、時間−周波数−空間符号ドメイン情報、シーケンスフォーマット、又はシーケンスによって生成されたパラメータ情報、のうち１つ又はこれらの組み合わせを含む、
請求項１２に記載の基地局。
【請求項１４】
前記送信ユニットは、無線リソース制御プロトコルＲＲＣ層シグナリング、媒体アクセス制御ＭＡＣ層制御エレメント、物理層コマンド、ブロードキャスト情報、又はシステムメッセージ、のうち１つ又はこれらの組み合わせを用いて、前記第２検出設定情報を送信するよう特に構成されてよい、
請求項１１から１３の何れか一項に記載の基地局。
【請求項１５】
時間ドメイン表示情報が、前記利用可能な無認可スペクトルの継続時間情報及び時間決定情報の何れか又は両方を示すのに用いられ、前記時間決定情報は、現在の時刻が前記利用可能な無認可スペクトルを検出する時間内であるか否かを示すのに用いられ、前記時間ドメイン表示情報は、前記時間−周波数−空間符号ドメイン情報、前記時間ドメイン情報、前記時間−周波数情報、又は前記時間−周波数ドメインの情報画像、のうち１つ又はこれらの組み合わせを含む、
請求項１２から１４の何れか一項に記載の基地局。
【請求項１６】
前記基地局は、前記時間ドメイン情報、前記周波数ドメイン情報、前記時間−周波数情報、又は前記時間−周波数ドメインの情報画像、のうち１つ又はこれらの組み合わせに従って、対応する送信電力を選択するよう構成された選択ユニットをさらに含み、
前記処理ユニットは、
前記第２検出結果に従って、前記利用可能な無認可スペクトルの第１リソースセクションを決定するよう構成された決定サブユニットと、
前記送信電力に従って、前記第１リソースセクションを前記ユーザ機器に送信するよう構成された送信サブユニットと、
を含む、
請求項１１から１５の何れか一項に記載の基地局。
【請求項１７】
前記第２検出設定情報は第２報告条件をさらに含み、これにより、前記第２報告条件が満たされる場合、前記ユーザ機器は前記第２検出結果を前記基地局に送信し、
前記第２報告条件は、サービングセルの信号品質が第１絶対閾値より高いこと、前記サービングセルの前記信号品質が第２絶対閾値より低いこと、隣接セルの信号品質が、事前設定オフセット値だけ前記サービングセルの前記信号品質より高いこと、前記隣接セルの前記信号品質が第３絶対閾値より高いこと、前記サービングセルの前記信号品質が第４絶対閾値より低く且つ前記隣接セルの前記信号品質が第５絶対閾値より高いこと、又は、前記隣接セルの前記信号品質が前記サービングセルの前記信号品質より高いこと、のうち１つ又はこれらの組み合わせを含む、
請求項１１から１６の何れか一項に記載の基地局。
【請求項１８】
前記サービングセルは、前記利用可能な無認可スペクトルのセル及び／又は設定済みセルを含み、
前記設定済みセルは、前記ＯＡＭにより設定された前記無認可スペクトル情報に設定された、無認可スペクトルのセルである、
請求項１７に記載の基地局。
【請求項１９】
前記隣接セルは、前記ユーザ機器により用いられていない無認可スペクトルのセルを含む、
請求項１７に記載の基地局。
【請求項２０】
前記第１絶対閾値、前記第２絶対閾値、前記第３絶対閾値、前記第４絶対閾値、及び前記第５絶対閾値は、前記無認可スペクトルの複数の異なるレベルのセルを区別するのに用いられる絶対値である、
請求項１７に記載の基地局。
【請求項２１】
前記第２検出結果は、前記利用可能な無認可スペクトルにおける前記リソースセクションの信号品質情報を含み、前記信号品質情報は、前記リソースセクションの前記信号品質を示すのに用いられる、又は、
前記第２検出結果は、前記利用可能な無認可スペクトルにおける前記リソースセクションの信号品質情報に対応する指標値を含み、前記信号品質情報は、前記リソースセクションの前記信号品質を示すのに用いられる、
請求項１１から２０の何れか一項に記載の基地局。
【請求項２２】
前記決定サブユニットは、
前記利用可能な無認可スペクトルにおける前記リソースセクションの前記信号品質に従って、第２事前設定条件に基づく信号品質を取得し、前記第２事前設定条件に基づく前記信号品質に従って、前記利用可能な無認可スペクトルの、前記第２事前設定条件に基づく前記信号品質に対応するリソースセクションを取得し、前記無認可スペクトルの前記第１リソースセクションとして前記リソースセクションを用いること、又は、
前記利用可能な無認可スペクトルにおける前記リソースセクションの前記信号品質情報に対応する前記指標値に従って、第３事前設定条件に基づく信号品質を取得し、前記第３事前設定条件に基づく指標値に従って、前記利用可能な無認可スペクトルの、前記第３事前設定条件に基づく前記指標値に対応するリソースセクションを取得し、前記無認可スペクトルの前記第１リソースセクションとして前記リソースセクションを用いることを行うよう特に構成されてよい、
請求項２１に記載の基地局。
【請求項２３】
前記信号品質は干渉比であり、前記第２事前設定条件は干渉比範囲であり、前記第３事前設定条件は前記干渉比範囲に対応する指標値範囲である、
請求項２２に記載の基地局。
【請求項２４】
第１検出設定情報に従って第１事前設定範囲における無認可スペクトル情報を検出し、第１検出結果を取得するよう構成された第１検出ユニットであって、前記第１検出結果は、前記無認可スペクトルの信号品質、及び／又は、前記第１事前設定範囲におけるスペクトル情報を含む、第１検出ユニットと、
前記第１検出ユニットにより取得された前記第１検出結果を基地局に送信し、これにより、前記基地局は、第１スペクトル情報を取得した後に、前記第１スペクトル情報及び前記第１検出結果に従って、利用可能な無認可スペクトル情報を決定するよう構成された送信ユニットと、
前記基地局により送信された前記利用可能な無認可スペクトル情報を受信するよう構成された受信ユニットと
を備える、
ユーザ機器。
【請求項２５】
前記利用可能な無認可スペクトル情報は、利用可能な無認可スペクトルの範囲情報、及び／又は、前記利用可能な無認可スペクトルにおける第１参照信号を含む、
請求項２４に記載のユーザ機器。
【請求項２６】
前記無認可スペクトルの前記信号品質は、前記無認可スペクトルのエネルギー、又は前記無認可スペクトルにおける第２参照信号の信号品質を含む、
請求項２４又は２５に記載のユーザ機器。
【請求項２７】
前記第１検出設定情報は、前記第２参照信号の設定情報を含み、前記第２参照信号の前記設定情報は、前記第２参照信号のタイプ情報、時間−周波数−空間符号ドメイン情報、シーケンスフォーマット、又はシーケンスパラメータ情報、のうち１つ又はこれらの組み合わせを含む、
請求項２６に記載のユーザ機器。
【請求項２８】
前記第１検出設定情報は、第２事前設定範囲を含む、
請求項２５から２７の何れか一項に記載のユーザ機器。
【請求項２９】
前記第１検出情報は第１報告条件をさらに含み、
前記第１報告条件は、前記無認可スペクトルの前記信号品質が第１事前設定閾値より高いこと、前記無認可スペクトルの前記信号品質が第２事前設定閾値より低いこと、又は検出期間が事前設定されていること、のうち１つ又はこれらの組み合わせを含む、
請求項２４から２８の何れか一項に記載のユーザ機器。
【請求項３０】
前記第１検出設定情報は、前記ユーザ機器により事前設定される設定情報、又は前記基地局により事前設定される設定情報である、
請求項２９に記載のユーザ機器。
【請求項３１】
前記第１検出設定情報が前記基地局により事前設定される前記設定情報である場合、前記受信ユニットは、前記基地局により送信された前記第１検出設定情報を受信するようさらに構成される、
請求項３０に記載のユーザ機器。
【請求項３２】
前記受信ユニットは、前記基地局により送信された第２検出設定情報を受信するよう構成され、
前記第２検出設定情報は、前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、前記利用可能な無認可スペクトルの１つ又は複数のセットの時間−周波数ドメインの情報画像、又は、前記利用可能な無認可スペクトルにおける第３参照信号の設定情報、のうち１つ又はこれらの組み合わせを含み、
前記ユーザ機器は、前記受信ユニットにより受信された前記第２検出設定情報に従って、前記利用可能な無認可スペクトルのリソースセクションを検出して、第２検出結果を取得するよう構成された第２検出ユニットをさらに備える、
請求項２４から３１の何れか一項に記載のユーザ機器。
【請求項３３】
前記受信ユニットは、ＲＲＣ層シグナリング、ＭＡＣ層制御エレメント、物理層コマンド、ブロードキャスト情報、又はシステムメッセージ、のうち１つ又はこれらの組み合わせを用いて、前記基地局により送信される前記第２検出設定情報を受信するよう特に構成されてよい、
請求項３２に記載のユーザ機器。
【請求項３４】
時間ドメイン表示情報が、前記利用可能な無認可スペクトルの継続時間情報及び時間決定情報の何れか又は両方を示すのに用いられ、前記時間決定情報は、現在の時刻が前記利用可能な無認可スペクトルを検出する時間内であるか否かを示すのに用いられ、前記時間ドメイン表示情報は、前記時間−周波数−空間符号ドメイン情報、前記時間ドメイン情報、前記時間−周波数情報、又は前記時間−周波数ドメインの情報画像、のうち１つ又はこれらの組み合わせを含む、
請求項３２又は３３に記載のユーザ機器。
【請求項３５】
前記送信ユニットは、前記第２検出結果を前記基地局に送信し、これにより、前記基地局は、前記第２測定結果に従って、前記利用可能な無認可スペクトルにおける第１リソースセクションを決定するよう構成され、
前記受信ユニットは、前記基地局により送信された前記第１リソースセクションを受信するよう構成され、
前記ユーザ機器は、前記第１リソースセクションにおいて、データ伝送を実行するよう構成された伝送ユニットをさらに含む、
請求項３２から３４の何れか一項に記載のユーザ機器。
【請求項３６】
前記第２検出設定情報は第２報告条件をさらに含み、
前記送信ユニットは、前記第２報告条件が満たされる場合、前記第２検出結果を前記基地局に送信するよう特に構成されてよく、
前記第２報告条件は、サービングセルの信号品質が第１絶対閾値より高いこと、前記サービングセルの前記信号品質が第２絶対閾値より低いこと、隣接セルの信号品質が、事前設定オフセット値だけ前記サービングセルの前記信号品質より高いこと、前記隣接セルの前記信号品質が第３絶対閾値より高いこと、前記サービングセルの前記信号品質が第４絶対閾値より低く且つ前記隣接セルの前記信号品質が第５絶対閾値より高いこと、又は、前記隣接セルの前記信号品質が前記サービングセルの前記信号品質より高いこと、のうち１つ又はこれらの組み合わせを含む、
請求項３５に記載のユーザ機器。
【請求項３７】
前記サービングセルは、前記利用可能な無認可スペクトルのセル及び／又は設定済みセルを含み、
前記設定済みセルは、前記ＯＡＭにより設定された前記無認可スペクトル情報に設定された、無認可スペクトルのセルである、
請求項３６に記載のユーザ機器。
【請求項３８】
前記隣接セルは、前記ユーザ機器により用いられていない無認可スペクトルのセルを含む、
請求項３６に記載のユーザ機器。
【請求項３９】
前記第１絶対閾値、前記第２絶対閾値、前記第３絶対閾値、前記第４絶対閾値、及び前記第５絶対閾値は、前記無認可スペクトルの複数の異なるレベルのセルを区別するのに用いられる絶対値である、
請求項３６に記載のユーザ機器。
【請求項４０】
前記第２検出設定情報が、前記利用可能な無認可スペクトルの１つ又は複数の種類の時間ドメイン情報、前記利用可能な無認可スペクトルの複数の周波数ドメイン情報、前記利用可能な無認可スペクトルの１つ又は複数の種類の時間−周波数情報、又は前記利用可能な無認可スペクトルの１つ又は複数のセットの時間−周波数ドメインの情報画像、のうち１つ又はこれらの組み合わせを含む場合、前記第２検出ユニットは、
前記利用可能な無認可スペクトルの１つ又は複数の種類の時間ドメイン情報、前記利用可能な無認可スペクトルの複数の周波数ドメイン情報、前記利用可能な無認可スペクトルの１つ又は複数の種類の時間−周波数情報、又は前記利用可能な無認可スペクトルの１つ又は複数のセットの時間−周波数ドメインの情報画像、のうち１つ又はこれらの組み合わせに従って、前記利用可能な無認可スペクトルの検出される予定のリソースセクションを決定し、
前記利用可能な無認可スペクトルの前記リソースセクションの信号品質を検出し、
前記利用可能な無認可スペクトルの前記リソースセクションの前記信号品質を前記第２検出結果として用い、又は、指標値と信号品質情報との間の事前設定された対応関係に従って、前記利用可能な無認可スペクトルの前記リソースセクションの前記信号品質に対応する指標値を前記第２検出結果として用い、これにより、前記基地局は、前記第２検出結果に従って、前記利用可能な無認可スペクトルの前記第１リソースセクションを決定するよう特に構成されてよい、
請求項３２から３９の何れか一項に記載のユーザ機器。
【請求項４１】
前記第２検出設定情報が前記第３参照信号の前記設定情報を含む場合、前記第２検出ユニットは、
前記第３参照信号の前記設定情報に従って前記利用可能な無認可スペクトルの、前記第３参照信号が位置するリソースセクションを決定し、
前記利用可能な無認可スペクトルの前記リソースセクションにおける前記第３参照信号の信号品質を検出し、
前記利用可能な無認可スペクトルの前記リソースセクションにおける前記第３参照信号の前記信号品質を前記第２検出結果として用い、これにより、前記基地局は、前記第２検出結果に従って前記利用可能な無認可スペクトルの前記第１リソースセクションを決定する、又は、
指標値と信号品質情報との間の事前設定された対応関係に従って、前記利用可能な無認可スペクトルの前記リソースセクションにおける前記第３参照信号の前記信号品質に対応する指標値を前記第２検出結果として用い、これにより、前記基地局は、前記第２検出結果に従って前記利用可能な無認可スペクトルの前記第１リソースセクションを決定するよう特に構成されてよい、
請求項３２から３９の何れか一項に記載のユーザ機器。
【請求項４２】
前記送信ユニットは、前記ユーザ機器のＲＲＣ層シグナリング、ＭＡＣ層制御エレメント、物理層コマンド、ブロードキャスト情報、又はシステムメッセージ、のうち１つ又はこれらの組み合わせを用いて、前記第２設定結果を前記基地局に送信するよう特に構成されてよい、
請求項４０又は４１に記載のユーザ機器。
【請求項４３】
ユーザ機器により送信された第１検出結果を受信するよう構成された受信器であって、前記第１検出結果は、第１事前設定範囲における無認可スペクトルの信号品質、及び／又は、前記第１事前設定範囲におけるスペクトル情報を含む、受信器と、
第１スペクトル情報を取得するよう構成されたプロセッサであって、前記第１スペクトル情報及び／又は前記第１検出結果に従って、利用可能な無認可スペクトル情報を決定するようさらに構成されるプロセッサと、
前記利用可能な無認可スペクトル情報を前記ユーザ機器に送信するよう構成された送信器と、
を備える、
基地局。
【請求項４４】
前記利用可能な無認可スペクトル情報は、利用可能な無認可スペクトルの範囲情報、及び／又は、前記利用可能な無認可スペクトルにおける第１参照信号を含む、
請求項４３に記載の基地局。
【請求項４５】
前記送信器は、第１検出設定情報を前記ユーザ機器に送信し、これにより、前記ユーザ機器は、前記第１検出設定情報に従って前記第１事前設定範囲における前記無認可スペクトルを検出して、前記第１測定結果を取得するようさらに構成される、
請求項４３又は４４に記載の基地局。
【請求項４６】
前記第１検出設定情報は、第２事前設定範囲を含む、
請求項４５に記載の基地局。
【請求項４７】
前記無認可スペクトルの前記信号品質は、前記無認可スペクトルのエネルギー、又は前記無認可スペクトルにおける第２参照信号の信号品質を含む、
請求項４５又は４６に記載の基地局。
【請求項４８】
前記第１検出設定情報は、前記第２参照信号の設定情報を含み、前記第２参照信号の前記設定情報は、前記第２参照信号のタイプ情報、時間−周波数−空間符号ドメイン情報、シーケンスフォーマット、又はシーケンスパラメータ情報、のうち１つ又はこれらの組み合わせを含む、
請求項４７に記載の基地局。
【請求項４９】
前記第１検出設定情報は第１報告条件をさらに含み、これにより、前記ユーザ機器は、前記第１報告条件に従って前記第１検出結果を前記基地局に送信し、
前記第１報告条件は、前記無認可スペクトルの前記信号品質が第１事前設定閾値より高いこと、前記無認可スペクトルの前記信号品質が第２事前設定閾値より低いこと、又は検出期間が事前設定されていること、のうち１つ又はこれらの組み合わせを含む、
請求項４５から４８の何れか一項に記載の基地局。
【請求項５０】
前記第１スペクトル情報は、前記基地局を除く別の基地局の無認可スペクトル情報、ＯＡＭにより設定された無認可スペクトル情報、又はＷｉＦｉの無認可スペクトル情報、のうち１つ又はこれらの組み合わせを含む、
請求項４２から４９の何れか一項に記載の基地局。
【請求項５１】
前記プロセッサは、
前記基地局を除く前記別の基地局の前記無認可スペクトル情報、前記ＯＡＭにより設定された前記無認可スペクトル情報、前記ＷｉＦｉの前記無認可スペクトル情報、又は前記第１検出結果、のうち１つ又はこれらの組み合わせに従って、前記第２事前設定範囲における無認可スペクトル情報から候補となる無認可スペクトル情報を選択し、
前記候補となる無認可スペクトル情報から、前記利用可能な無認可スペクトル情報として、第１事前設定条件に基づいてスペクトル情報を選択するよう特に構成されてよい、
請求項５０に記載の基地局。
【請求項５２】
前記第１事前設定条件は、最高エネルギーのスペクトル情報である、
請求項５１に記載の基地局。
【請求項５３】
前記基地局は以下のものをさらに備え、
前記送信器は、第２検出設定情報を前記ユーザ機器に送信し、これにより、前記ユーザ機器は、前記第２検出設定情報に従って前記利用可能な無認可スペクトルのリソースセクションの信号品質を検出して、第２検出結果を取得するようさらに構成され、
前記受信器は、前記ユーザ機器により送信された前記第２検出結果を受信するようさらに構成され、
前記プロセッサは、前記第２検出結果に従って前記利用可能な無認可スペクトルの第１リソースセクションを決定するよう構成され、
前記送信器は、前記ユーザ機器にスケジューリング及び／又はモビリティ管理を実行すべく、送信電力に従って前記第１リソースセクションを前記ユーザ機器に送信するようさらに構成される、
請求項４３から５２の何れか一項に記載の基地局。
【請求項５４】
前記第２検出設定情報は、前記利用可能な無認可スペクトルの１つ又は複数の種類の時間ドメイン情報、前記利用可能な無認可スペクトルの複数の周波数ドメイン情報、前記利用可能な無認可スペクトルの１つ又は複数の種類の時間−周波数情報、前記利用可能な無認可スペクトルの１つ又は複数のセットの時間−周波数ドメインの情報画像、又は、前記利用可能な無認可スペクトルにおける第３参照信号の設定情報、のうち１つ又はこれらの組み合わせを含む、
請求項５３に記載の基地局。
【請求項５５】
前記第３参照信号の前記設定情報は、前記第３参照信号のタイプ情報、時間−周波数−空間符号ドメイン情報、シーケンスフォーマット、又はシーケンスによって生成されたパラメータ情報、のうち１つ又はこれらの組み合わせを含む、
請求項５３に記載の基地局。
【請求項５６】
前記送信器は、ＲＲＣ層シグナリング、ＭＡＣ層制御エレメント、物理層コマンド、ブロードキャスト情報、又はシステムメッセージ、のうち１つ又はこれらの組み合わせを用いて、前記第２検出設定情報を送信するよう特に構成されてよい、
請求項５３から５５の何れか一項に記載の基地局。
【請求項５７】
時間ドメイン表示情報が、前記利用可能な無認可スペクトルの継続時間情報及び時間決定情報の何れか又は両方を示すのに用いられ、前記時間決定情報は、現在の時刻が前記利用可能な無認可スペクトルを検出する時間内であるか否かを示すのに用いられ、前記時間ドメイン表示情報は、前記時間−周波数−空間符号ドメイン情報、前記時間ドメイン情報、前記時間−周波数情報、又は前記時間−周波数ドメインの情報画像、のうち１つ又はこれらの組み合わせを含む、
請求項５４から５６の何れか一項に記載の基地局。
【請求項５８】
前記プロセッサは、前記時間ドメイン情報、前記周波数ドメイン情報、前記時間−周波数情報、又は前記時間−周波数ドメインの情報画像、のうち１つ又はこれらの組み合わせに従って、対応する送信電力を選択するようさらに構成され、
前記プロセッサは、前記第２検出結果に従って、前記利用可能な無認可スペクトルの第１リソースセクションを決定するようさらに構成され、
前記プロセッサは、前記送信電力に従って、前記第１リソースセクションを前記ユーザ機器に送信するようさらに構成される、
請求項５３から５７の何れか一項に記載の基地局。
【請求項５９】
前記第２検出設定情報は第２報告条件をさらに含み、これにより、前記第２報告条件が満たされる場合、前記ユーザ機器は前記第２検出結果を前記基地局に送信し、
前記第２報告条件は、サービングセルの信号品質が第１絶対閾値より高いこと、前記サービングセルの前記信号品質が第２絶対閾値より低いこと、隣接セルの信号品質が、事前設定オフセット値だけ前記サービングセルの前記信号品質より高いこと、前記隣接セルの前記信号品質が第３絶対閾値より高いこと、前記サービングセルの前記信号品質が第４絶対閾値より低く且つ前記隣接セルの前記信号品質が第５絶対閾値より高いこと、又は、前記隣接セルの前記信号品質が前記サービングセルの前記信号品質より高いこと、のうち１つ又はこれらの組み合わせを含む、
請求項５３から５８の何れか一項に記載の基地局。
【請求項６０】
前記サービングセルは、前記利用可能な無認可スペクトルのセル及び／又は設定済みセルを含み、
前記設定済みセルは、前記ＯＡＭにより設定された前記無認可スペクトル情報に設定された、無認可スペクトルのセルである、
請求項５９に記載の基地局。
【請求項６１】
前記隣接セルは、前記ユーザ機器により用いられていない無認可スペクトルのセルを含む、
請求項５９に記載の基地局。
【請求項６２】
前記第１絶対閾値、前記第２絶対閾値、前記第３絶対閾値、前記第４絶対閾値、及び前記第５絶対閾値は、前記無認可スペクトルの複数の異なるレベルのセルを区別するのに用いられる絶対値である、
請求項５９に記載の基地局。
【請求項６３】
前記第２検出結果は、前記利用可能な無認可スペクトルにおける前記リソースセクションの信号品質情報を含み、前記信号品質情報は、前記リソースセクションの前記信号品質を示すのに用いられる、
又は、前記第２検出結果は、前記利用可能な無認可スペクトルにおける前記リソースセクションの信号品質情報に対応する指標値を含み、前記信号品質情報は、前記リソースセクションの前記信号品質を示すのに用いられる、
請求項５３から６２の何れか一項に記載の基地局。
【請求項６４】
前記プロセッサは、
前記利用可能な無認可スペクトルにおける前記リソースセクションの前記信号品質に従って、第２事前設定条件に基づく信号品質を取得し、前記第２事前設定条件に基づく前記信号品質に従って、前記利用可能な無認可スペクトルの、前記第２事前設定条件に基づく前記信号品質に対応するリソースセクションを取得し、前記無認可スペクトルの前記第１リソースセクションとして前記リソースセクションを用いること、又は、
前記利用可能な無認可スペクトルにおける前記リソースセクションの前記信号品質情報に対応する前記指標値に従って、第３事前設定条件に基づく信号品質を取得し、前記第３事前設定条件に基づく指標値に従って、前記利用可能な無認可スペクトルの、前記第３事前設定条件に基づく前記指標値に対応するリソースセクションを取得し、前記無認可スペクトルの前記第１リソースセクションとして前記リソースセクションを用いることを行うよう特に構成されてよい、
請求項６３に記載の基地局。
【請求項６５】
前記信号品質は干渉比であり、前記第２事前設定条件は干渉比範囲であり、前記第３事前設定条件は前記干渉比範囲に対応する指標値範囲である、
請求項６４に記載の基地局。
【請求項６６】
第１検出設定情報に従って第１事前設定範囲における無認可スペクトル情報を検出し、第１検出結果を取得するよう構成されたプロセッサであって、前記第１検出結果は、前記無認可スペクトルの信号品質、及び／又は、前記第１事前設定範囲におけるスペクトル情報を含む、プロセッサと、
前記第１検出結果を基地局に送信し、これにより、前記基地局は、第１スペクトル情報を取得した後に、前記第１スペクトル情報及び前記第１検出結果に従って、利用可能な無認可スペクトル情報を決定するよう構成された送信器と、
前記基地局により送信された前記利用可能な無認可スペクトル情報を受信するよう構成された受信器と
を備える、
ユーザ機器。
【請求項６７】
前記利用可能な無認可スペクトル情報は、利用可能な無認可スペクトルの範囲情報、及び／又は、前記利用可能な無認可スペクトルにおける第１参照信号を含む、
請求項６６に記載のユーザ機器。
【請求項６８】
前記無認可スペクトルの前記信号品質は、前記無認可スペクトルのエネルギー、又は前記無認可スペクトルにおける第２参照信号の信号品質を含む、
請求項６６又は６７に記載のユーザ機器。
【請求項６９】
前記第１検出設定情報は、前記第２参照信号の設定情報を含み、前記第２参照信号の前記設定情報は、前記第２参照信号のタイプ情報、時間−周波数−空間符号ドメイン情報、シーケンスフォーマット、又はシーケンスパラメータ情報、のうち１つ又はこれらの組み合わせを含む、
請求項６８に記載のユーザ機器。
【請求項７０】
前記第１検出設定情報は、第２事前設定範囲を含む、
請求項６７から６９の何れか一項に記載のユーザ機器。
【請求項７１】
前記第１検出情報は第１報告条件をさらに含み、
前記第１報告条件は、前記無認可スペクトルの前記信号品質が第１事前設定閾値より高いこと、前記無認可スペクトルの前記信号品質が第２事前設定閾値より低いこと、又は検出期間が事前設定されていること、のうち１つ又はこれらの組み合わせを含む、
請求項６６から７０の何れか一項に記載のユーザ機器。
【請求項７２】
前記第１検出設定情報は、前記ユーザ機器により事前設定される設定情報、又は前記基地局により事前設定される設定情報である、
請求項７１に記載のユーザ機器。
【請求項７３】
前記第１検出設定情報が前記基地局により事前設定される前記設定情報である場合、前記受信器は、前記基地局により送信された前記第１検出設定情報を受信するようさらに構成される、
請求項７２に記載のユーザ機器。
【請求項７４】
前記ユーザ機器は以下のものをさらに備え、
前記受信器は、前記基地局により送信された第２検出設定情報を受信するようさらに構成され、前記第２検出設定情報は、前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、前記利用可能な無認可スペクトルの１つ又は複数のセットの時間−周波数ドメインの情報画像、又は、前記利用可能な無認可スペクトルにおける第３参照信号の設定情報、のうち１つ又はこれらの組み合わせを含み、
前記プロセッサは、前記第２検出設定情報に従って前記利用可能な無認可スペクトルのリソースセクションを検出して、第２検出結果を取得するようさらに構成される、
請求項６６から７３の何れか一項に記載のユーザ機器。
【請求項７５】
前記受信器は、ＲＲＣ層シグナリング、ＭＡＣ層制御エレメント、物理層コマンド、ブロードキャスト情報、又はシステムメッセージ、のうち１つ又はこれらの組み合わせを用いて、前記基地局により送信される前記第２検出設定情報を受信するよう特に構成されてよい、
請求項７４に記載のユーザ機器。
【請求項７６】
時間ドメイン表示情報が、前記利用可能な無認可スペクトルの継続時間情報及び時間決定情報の何れか又は両方を示すのに用いられ、前記時間決定情報は、現在の時刻が前記利用可能な無認可スペクトルを検出する時間内であるか否かを示すのに用いられ、前記時間ドメイン表示情報は、前記時間−周波数−空間符号ドメイン情報、前記時間ドメイン情報、前記時間−周波数情報、又は前記時間−周波数ドメインの情報画像、のうち１つ又はこれらの組み合わせを含む、
請求項７４又は７５に記載のユーザ機器。
【請求項７７】
前記ユーザ機器は以下のものをさらに備え、
前記送信器は、前記第２検出結果を前記基地局に送信し、これにより、前記基地局は、前記第２測定結果に従って、前記利用可能な無認可スペクトルにおける第１リソースセクションを決定するようさらに構成され、
前記受信器は、前記基地局により送信された前記第１リソースセクションを受信するようさらに構成され、
前記プロセッサは、前記第１リソースセクションにおいて、データ伝送を実行するようさらに構成される、
請求項７４から７６の何れか一項に記載のユーザ機器。
【請求項７８】
前記第２検出設定情報は第２報告条件をさらに含み、
前記送信器は、前記第２報告条件が満たされる場合、前記第２検出結果を前記基地局に送信するよう特に構成されてよく、
前記第２報告条件は、サービングセルの信号品質が第１絶対閾値より高いこと、前記サービングセルの前記信号品質が第２絶対閾値より低いこと、隣接セルの信号品質が、事前設定オフセット値だけ前記サービングセルの前記信号品質より高いこと、前記隣接セルの前記信号品質が第３絶対閾値より高いこと、前記サービングセルの前記信号品質が第４絶対閾値より低く且つ前記隣接セルの前記信号品質が第５絶対閾値より高いこと、又は、前記隣接セルの前記信号品質が前記サービングセルの前記信号品質より高いこと、のうち１つ又はこれらの組み合わせを含む、
請求項７７に記載のユーザ機器。
【請求項７９】
前記サービングセルは、前記利用可能な無認可スペクトルのセル及び／又は設定済みセルを含み、
前記設定済みセルは、前記ＯＡＭにより設定された前記無認可スペクトル情報に設定された、無認可スペクトルのセルである、
請求項７８に記載のユーザ機器。
【請求項８０】
前記隣接セルは、前記ユーザ機器により用いられていない無認可スペクトルのセルを含む、
請求項７８に記載のユーザ機器。
【請求項８１】
前記第１絶対閾値、前記第２絶対閾値、前記第３絶対閾値、前記第４絶対閾値、及び前記第５絶対閾値は、前記無認可スペクトルの複数の異なるレベルのセルを区別するのに用いられる絶対値である、
請求項７８に記載のユーザ機器。
【請求項８２】
前記第２検出設定情報が、前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、又は前記利用可能な無認可スペクトルの１つ又は複数のセットの時間−周波数ドメインの情報画像、のうち１つ又はこれらの組み合わせを含む場合、前記プロセッサは、
前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、又は前記利用可能な無認可スペクトルの１つ又は複数のセットの時間−周波数ドメインの情報画像、のうち１つ又はこれらの組み合わせに従って、前記利用可能な無認可スペクトルの検出される予定のリソースセクションを決定し、
前記利用可能な無認可スペクトルの前記リソースセクションの信号品質を検出し、
前記利用可能な無認可スペクトルの前記リソースセクションの前記信号品質を前記第２検出結果として用い、又は、指標値と信号品質情報との間の事前設定された対応関係に従って、前記利用可能な無認可スペクトルの前記リソースセクションの前記信号品質に対応する指標値を前記第２検出結果として用い、これにより、前記基地局は、前記第２検出結果に従って、前記利用可能な無認可スペクトルの前記第１リソースセクションを決定するよう特に構成されてよい、
請求項７４から８１の何れか一項に記載のユーザ機器。
【請求項８３】
前記第２検出設定情報が前記第３参照信号の前記設定情報を含む場合、前記プロセッサは、
前記第３参照信号の前記設定情報に従って前記利用可能な無認可スペクトルの、前記第３参照信号が位置するリソースセクションを決定し、
前記利用可能な無認可スペクトルの前記リソースセクションにおける前記第３参照信号の信号品質を検出し、
前記利用可能な無認可スペクトルの前記リソースセクションにおける前記第３参照信号の前記信号品質を前記第２検出結果として用い、これにより、前記基地局は、前記第２検出結果に従って前記利用可能な無認可スペクトルの前記第１リソースセクションを決定する、
又は、指標値と信号品質情報との間の事前設定された対応関係に従って、前記利用可能な無認可スペクトルの前記リソースセクションにおける前記第３参照信号の前記信号品質に対応する指標値を前記第２検出結果として用い、これにより、前記基地局は、前記第２検出結果に従って前記利用可能な無認可スペクトルの前記第１リソースセクションを決定するよう特に構成されてよい、
請求項７４から８１の何れか一項に記載のユーザ機器。
【請求項８４】
前記送信器は、前記ユーザ機器のＲＲＣ層シグナリング、ＭＡＣ層制御エレメント、物理層コマンド、ブロードキャスト情報、又はシステムメッセージ、のうち１つ又はこれらの組み合わせを用いて、前記第２設定結果を前記基地局に送信するよう特に構成されてよい、
請求項８２又は８３に記載のユーザ機器。
【請求項８５】
基地局に適用されるリソース取得方法であって、
ユーザ機器により送信された第１検出結果を受信する段階であって、前記第１検出結果は、第１事前設定範囲における無認可スペクトルの信号品質、及び／又は、前記第１事前設定範囲におけるスペクトル情報を含む、受信する段階と、
第１スペクトル情報を取得する段階と、
前記第１スペクトル情報及び／又は前記第１検出結果に従って、利用可能な無認可スペクトル情報を決定する段階と、
前記利用可能な無認可スペクトル情報を前記ユーザ機器に送信する段階と、
を備える、
リソース取得方法。
【請求項８６】
前記利用可能な無認可スペクトル情報は、利用可能な無認可スペクトルの範囲情報、及び／又は、前記利用可能な無認可スペクトルにおける第１参照信号を含む、
請求項８５に記載のリソース取得方法。
【請求項８７】
ユーザ機器により送信された第１検出結果を前記受信する段階の前に、第１検出設定情報を前記ユーザ機器に送信し、これにより、前記ユーザ機器は、前記第１検出設定情報に従って前記第１事前設定範囲における前記無認可スペクトルを検出して、前記第１測定結果を取得する段階をさらに備える、
請求項８５又は８６に記載のリソース取得方法。
【請求項８８】
前記第１検出設定情報は、第２事前設定範囲を含む、
請求項８７に記載のリソース取得方法。
【請求項８９】
前記無認可スペクトルの前記信号品質は、前記無認可スペクトルのエネルギー、又は前記無認可スペクトルにおける第２参照信号の信号品質を含む、
請求項８７又は８８に記載のリソース取得方法。
【請求項９０】
前記第１検出設定情報は、前記第２参照信号の設定情報を含み、前記第２参照信号の前記設定情報は、前記第２参照信号のタイプ情報、時間−周波数−空間符号ドメイン情報、シーケンスフォーマット、又はシーケンスパラメータ情報、のうち１つ又はこれらの組み合わせを含む、
請求項８９に記載のリソース取得方法。
【請求項９１】
前記第１検出設定情報は第１報告条件をさらに含み、これにより、前記第１報告条件が満たされる場合、前記ユーザ機器は、前記第１検出結果を前記基地局に送信し、
前記第１報告条件は、前記無認可スペクトルの前記信号品質が第１事前設定閾値より高いこと、前記無認可スペクトルの前記信号品質が第２事前設定閾値より低いこと、又は検出期間が事前設定されていること、のうち１つ又はこれらの組み合わせを含む、
請求項８７から９０の何れか一項に記載のリソース取得方法。
【請求項９２】
前記第１スペクトル情報は、前記基地局を除く別の基地局の無認可スペクトル情報、ＯＡＭにより設定された無認可スペクトル情報、又はＷｉＦｉの無認可スペクトル情報、のうち１つ又はこれらの組み合わせを含む、
請求項８４から９１の何れか一項に記載のリソース取得方法。
【請求項９３】
前記第１スペクトル情報及び／又は前記第１検出結果に従って利用可能な無認可スペクトル情報を前記決定する段階は、
前記基地局を除く前記別の基地局の前記無認可スペクトル情報、前記ＯＡＭにより設定された前記無認可スペクトル情報、前記ＷｉＦｉの前記無認可スペクトル情報、又は前記第１検出結果、のうち１つ又はこれらの組み合わせに従って、前記第２事前設定範囲における無認可スペクトル情報から候補となる無認可スペクトル情報を選択する段階と、
前記候補となる無認可スペクトル情報から、前記利用可能な無認可スペクトル情報として、第１事前設定条件に基づいてスペクトル情報を選択する段階と、
を含む、
請求項９２に記載のリソース取得方法。
【請求項９４】
前記第１事前設定条件は、最高エネルギーのスペクトル情報である、
請求項９３に記載のリソース取得方法。
【請求項９５】
前記利用可能な無認可スペクトル情報を前記ユーザ機器に前記送信する段階の後に、
第２検出設定情報を前記ユーザ機器に送信し、これにより、前記ユーザ機器は、前記第２検出設定情報に従って前記利用可能な無認可スペクトルのリソースセクションの信号品質を検出して、第２検出結果を取得する段階と、
前記ユーザ機器により送信された前記第２検出結果を受信する段階と、
前記第２検出結果に従って、前記ユーザ機器にスケジューリング及び／又はモビリティ管理を実行する段階と、
をさらに備える、
請求項８５から９４の何れか一項に記載のリソース取得方法。
【請求項９６】
前記第２検出設定情報は、前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、前記利用可能な無認可スペクトルの１つ又は複数のセットの時間−周波数ドメインの情報画像、又は、前記利用可能な無認可スペクトルにおける第３参照信号の設定情報、のうち１つ又はこれらの組み合わせを含む、
請求項９５に記載のリソース取得方法。
【請求項９７】
前記第３参照信号の前記設定情報は、前記第３参照信号のタイプ情報、時間−周波数−空間符号ドメイン情報、シーケンスフォーマット、又はシーケンスによって生成されたパラメータ情報、のうち１つ又はこれらの組み合わせを含む、
請求項９６に記載のリソース取得方法。
【請求項９８】
第２検出設定情報を前記ユーザ機器に前記送信する段階は、ＲＲＣ層シグナリング、ＭＡＣ層制御エレメント、物理層コマンド、ブロードキャスト情報、又はシステムメッセージ、のうち１つ又はこれらの組み合わせを用いて、前記第２検出設定情報を送信する段階を含む、
請求項９５から９７の何れか一項に記載のリソース取得方法。
【請求項９９】
時間ドメイン表示情報が、前記利用可能な無認可スペクトルの継続時間情報及び時間決定情報の何れか又は両方を示すのに用いられ、前記時間決定情報は、現在の時刻が前記利用可能な無認可スペクトルを検出する時間内であるか否かを示すのに用いられ、前記時間ドメイン表示情報は、前記時間−周波数−空間符号ドメイン情報、前記時間ドメイン情報、前記時間−周波数情報、又は前記時間−周波数ドメインの情報画像、のうち１つ又はこれらの組み合わせを含む、
請求項９５から９８の何れか一項に記載のリソース取得方法。
【請求項１００】
送信電力に従って、前記ユーザ機器により送信された前記第２検出結果を前記受信する段階の前に、前記リソース取得方法は、前記時間ドメイン情報、前記周波数ドメイン情報、前記時間−周波数情報、又は前記時間−周波数ドメインの情報画像、のうち１つ又はこれらの組み合わせに従って、対応する送信電力を選択する段階をさらに備え、
前記第２検出結果に従って、前記ユーザ機器にスケジューリング及び／又はモビリティ管理を前記実行する段階は、
前記第２検出結果に従って、前記利用可能な無認可スペクトルの第１リソースセクションを決定する段階と、
前記送信電力に従って、前記第１リソースセクションを前記ユーザ機器に送信する段階と、
を含む、
請求項９５から９９の何れか一項に記載のリソース取得方法。
【請求項１０１】
前記第２検出設定情報は第２報告条件をさらに含み、これにより、前記第２報告条件が満たされる場合、前記ユーザ機器は前記第２検出結果を前記基地局に送信し、
前記第２報告条件は、サービングセルの信号品質が第１絶対閾値より高いこと、前記サービングセルの前記信号品質が第２絶対閾値より低いこと、隣接セルの信号品質が、事前設定オフセット値だけ前記サービングセルの前記信号品質より高いこと、前記隣接セルの前記信号品質が第３絶対閾値より高いこと、前記サービングセルの前記信号品質が第４絶対閾値より低く且つ前記隣接セルの前記信号品質が第５絶対閾値より高いこと、又は、前記隣接セルの前記信号品質が前記サービングセルの前記信号品質より高いこと、のうち１つ又はこれらの組み合わせを含む、
請求項９５から１００の何れか一項に記載のリソース取得方法。
【請求項１０２】
前記サービングセルは、前記利用可能な無認可スペクトルのセル及び／又は設定済みセルを含み、
前記設定済みセルは、前記ＯＡＭにより設定された前記無認可スペクトル情報に設定された、無認可スペクトルのセルである、
請求項１０１に記載のリソース取得方法。
【請求項１０３】
前記隣接セルは、前記ユーザ機器により用いられていない無認可スペクトルのセルを含む、
請求項１０１に記載のリソース取得方法。
【請求項１０４】
前記第１絶対閾値、前記第２絶対閾値、前記第３絶対閾値、前記第４絶対閾値、及び前記第５絶対閾値は、前記無認可スペクトルの複数の異なるレベルのセルを区別するのに用いられる絶対値である、
請求項１０１に記載のリソース取得方法。
【請求項１０５】
前記第２検出結果は、前記利用可能な無認可スペクトルにおける前記リソースセクションの信号品質情報を含み、前記信号品質情報は、前記リソースセクションの前記信号品質を示すのに用いられる、
又は、前記第２検出結果は、前記利用可能な無認可スペクトルにおける前記リソースセクションの信号品質情報に対応する指標値を含み、前記信号品質情報は、前記リソースセクションの前記信号品質を示すのに用いられる、
請求項９５から１０４の何れか一項に記載のリソース取得方法。
【請求項１０６】
前記第２検出結果に従って前記利用可能な無認可スペクトルの第１リソースセクションを前記決定する段階は、
前記利用可能な無認可スペクトルにおける前記リソースセクションの前記信号品質に従って、第２事前設定条件に基づく信号品質を取得する段階と、前記第２事前設定条件に基づく前記信号品質に従って、前記利用可能な無認可スペクトルの、前記第２事前設定条件に基づく前記信号品質に対応するリソースセクションを取得し、前記無認可スペクトルの前記第１リソースセクションとして前記リソースセクションを用いる段階とを含む、又は、
前記利用可能な無認可スペクトルにおける前記リソースセクションの前記信号品質情報に対応する前記指標値に従って、第３事前設定条件に基づく信号品質を取得する段階と、前記第３事前設定条件に基づく指標値に従って、前記利用可能な無認可スペクトルの、前記第３事前設定条件に基づく前記指標値に対応するリソースセクションを取得し、前記無認可スペクトルの前記第１リソースセクションとして前記リソースセクションを用いる段階とを含む、
請求項１０５に記載のリソース取得方法。
【請求項１０７】
前記信号品質は干渉比であり、前記第２事前設定条件は干渉比範囲であり、前記第３事前設定条件は前記干渉比範囲に対応する指標値範囲である、
請求項１０６に記載のリソース取得方法。
【請求項１０８】
ユーザ機器に適用されるリソース取得方法であって、
第１検出設定情報に従って第１事前設定範囲における無認可スペクトル情報を検出し、第１検出結果を取得する段階であって、前記第１検出結果は、前記無認可スペクトルの信号品質、及び／又は、前記第１事前設定範囲におけるスペクトル情報を含む、取得する段階と、
前記第１検出結果を基地局に送信し、これにより、前記基地局は、第１スペクトル情報を取得した後に、前記第１スペクトル情報及び前記第１検出結果に従って、利用可能な無認可スペクトル情報を決定する段階と、
前記基地局により送信された前記利用可能な無認可スペクトル情報を受信する段階と
を備える、
リソース取得方法。
【請求項１０９】
前記利用可能な無認可スペクトル情報は、利用可能な無認可スペクトルの範囲情報、及び／又は、前記利用可能な無認可スペクトルにおける第１参照信号を含む、
請求項１０８に記載のリソース取得方法。
【請求項１１０】
前記無認可スペクトルの前記信号品質は、前記無認可スペクトルのエネルギー、又は前記無認可スペクトルにおける第２参照信号の信号品質を含む、
請求項１０８又は１０９に記載のリソース取得方法。
【請求項１１１】
前記第１検出設定情報は、前記第２参照信号の設定情報を含み、前記第２参照信号の前記設定情報は、前記第２参照信号のタイプ情報、時間−周波数−空間符号ドメイン情報、シーケンスフォーマット、又はシーケンスパラメータ情報、のうち１つ又はこれらの組み合わせを含む、
請求項１１０に記載のリソース取得方法。
【請求項１１２】
前記第１検出設定情報は、第２事前設定範囲を含む、
請求項１０９から１１１の何れか一項に記載のリソース取得方法。
【請求項１１３】
前記第１検出情報は第１報告条件をさらに含み、
前記第１検出結果を基地局に前記送信する段階は、前記第１検出情報が満たされる場合、前記第１検出結果を前記基地局に送信する段階を含み、
前記第１報告条件は、前記無認可スペクトルの前記信号品質が第１事前設定閾値より高いこと、前記無認可スペクトルの前記信号品質が第２事前設定閾値より低いこと、又は検出期間が事前設定されていること、のうち１つ又はこれらの組み合わせを含む、
請求項１０８から１１２の何れか一項に記載のリソース取得方法。
【請求項１１４】
前記第１検出設定情報は、前記ユーザ機器により事前設定される設定情報、又は前記基地局により事前設定される設定情報である、
請求項１１３に記載のリソース取得方法。
【請求項１１５】
前記第１検出設定情報が、前記基地局により事前設定される前記設定情報である場合、且つ第１検出設定情報に従って第１事前設定範囲における無認可スペクトル情報を検出して、第１検出結果を前記取得する段階の前に、
前期リソース検出方法は、前記基地局により送信された前記第１検出設定情報を受信する段階をさらに備える、
請求項１１４に記載のリソース取得方法。
【請求項１１６】
前記基地局により送信された前記利用可能な無認可スペクトル情報を前記受信する段階の後に、
前記基地局により送信された第２検出設定情報を受信する段階であって、前記第２検出設定情報は、前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、前記利用可能な無認可スペクトルの１つ又は複数のセットの時間−周波数ドメインの情報画像、又は前記利用可能な無認可スペクトルにおける第３参照信号の設定情報、のうち１つ又はこれらの組み合わせを含む、受信する段階と、
前記第２検出設定情報に従って前記利用可能な無認可スペクトルのリソースセクションを検出して、第２検出結果を取得する段階と、
をさらに備える、
請求項１０８から１１５の何れか一項に記載のリソース取得方法。
【請求項１１７】
前記基地局により送信された第２検出設定情報を前記受信する段階は、ＲＲＣ層シグナリング、ＭＡＣ層制御エレメント、物理層コマンド、ブロードキャスト情報、又はシステムメッセージ、のうち１つ又はこれらの組み合わせを用いて、前記基地局により送信される前記第２検出設定情報を受信する段階を含む、
請求項１１９に記載のリソース取得方法。
【請求項１１８】
時間ドメイン表示情報が、前記利用可能な無認可スペクトルの継続時間情報及び時間決定情報の何れか又は両方を示すのに用いられ、前記時間決定情報は、現在の時刻が前記利用可能な無認可スペクトルを検出する時間内であるか否かを示すのに用いられ、前記時間ドメイン表示情報は、前記時間−周波数−空間符号ドメイン情報、前記時間ドメイン情報、前記時間−周波数情報、又は前記時間−周波数ドメインの情報画像、のうち１つ又はこれらの組み合わせを含む、
請求項１１６又は１１７に記載のリソース取得方法。
【請求項１１９】
前記第２検出設定情報に従って前記利用可能な無認可スペクトルのリソースセクションを検出して、第２検出結果を前記取得する段階の後に、
前記第２検出結果を前記基地局に送信し、これにより、前記基地局は、前記第２測定結果に従って、前記利用可能な無認可スペクトルにおける第１リソースセクションを決定する段階と、
前記基地局により送信された前記第１リソースセクションを受信する段階と、
前記第１リソースセクションにおいてデータ伝送を実行する段階と、
をさらに備える、
請求項１１６から１１８の何れか一項に記載のリソース取得方法。
【請求項１２０】
前記第２検出設定情報は第２報告条件をさらに含み、
前記第２検出結果を前記基地局に前記送信する段階は、前記第２報告条件が満たされる場合、前記第２検出結果を前記基地局に送信する段階を含み、
前記第２報告条件は、サービングセルの信号品質が第１絶対閾値より高いこと、前記サービングセルの前記信号品質が第２絶対閾値より低いこと、隣接セルの信号品質が、事前設定オフセット値だけ前記サービングセルの前記信号品質より高いこと、前記隣接セルの前記信号品質が第３絶対閾値より高いこと、前記サービングセルの前記信号品質が第４絶対閾値より低く且つ前記隣接セルの前記信号品質が第５絶対閾値より高いこと、又は、前記隣接セルの前記信号品質が前記サービングセルの前記信号品質より高いこと、のうち１つ又はこれらの組み合わせを含む、
請求項１１９に記載のリソース取得方法。
【請求項１２１】
前記サービングセルは、前記利用可能な無認可スペクトルのセル及び／又は設定済みセルを含み、
前記設定済みセルは、前記ＯＡＭにより設定された前記無認可スペクトル情報に設定された、無認可スペクトルのセルである、
請求項１２０に記載のリソース取得方法。
【請求項１２２】
前記隣接セルは、前記ユーザ機器により用いられていない無認可スペクトルのセルを含む、
請求項１２０に記載のリソース取得方法。
【請求項１２３】
前記第１絶対閾値、前記第２絶対閾値、前記第３絶対閾値、前記第４絶対閾値、及び前記第５絶対閾値は、前記無認可スペクトルの複数の異なるレベルのセルを区別するのに用いられる絶対値である、
請求項１２０に記載のリソース取得方法。
【請求項１２４】
前記第２検出設定情報が、前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、又は前記利用可能な無認可スペクトルの１つ又は複数のセットの時間−周波数ドメインの情報画像、のうち１つ又はこれらの組み合わせを含む場合、
前記第２検出設定情報に従って前記利用可能な無認可スペクトルのリソースセクションを検出して、第２検出結果を前記取得する段階は、
前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、又は前記利用可能な無認可スペクトルの１つ又は複数のセットの時間−周波数ドメインの情報画像、のうち１つ又はこれらの組み合わせに従って、前記利用可能な無認可スペクトルの検出される予定のリソースセクションを決定する段階と、
前記利用可能な無認可スペクトルの前記リソースセクションの信号品質を検出する段階と、
前記利用可能な無認可スペクトルの前記リソースセクションの前記信号品質を前記第２検出結果として用い、又は、指標値と信号品質情報との間の事前設定された対応関係に従って、前記利用可能な無認可スペクトルの前記リソースセクションの前記信号品質に対応する指標値を前記第２検出結果として用い、これにより、前記基地局は、前記第２検出結果に従って、前記利用可能な無認可スペクトルの前記第１リソースセクションを決定する段階と、
を含む、
請求項１１６から１２３の何れか一項に記載のリソース取得方法。
【請求項１２５】
前記第２検出設定情報が前記第３参照信号の前記設定情報を含む場合、
前記第２検出設定情報に従って前記利用可能な無認可スペクトルのリソースセクションを検出して、第２検出結果を前記取得する段階は、
前記第３参照信号の前記設定情報に従って前記利用可能な無認可スペクトルの、前記第３参照信号が位置するリソースセクションを決定する段階と、
前記利用可能な無認可スペクトルの前記リソースセクションにおける前記第３参照信号の信号品質を検出する段階と、
前記利用可能な無認可スペクトルの前記リソースセクションにおける前記第３参照信号の前記信号品質を前記第２検出結果として用い、これにより、前記基地局は、前記第２検出結果に従って前記利用可能な無認可スペクトルの前記第１リソースセクションを決定する段階、又は、
指標値と信号品質情報との間の事前設定された対応関係に従って、前記利用可能な無認可スペクトルの前記リソースセクションにおける前記第３参照信号の前記信号品質に対応する指標値を前記第２検出結果として用い、これにより、前記基地局は、前記第２検出結果に従って前記利用可能な無認可スペクトルの前記第１リソースセクションを決定する段階と、
を含む、
請求項１１６から１２３の何れか一項に記載のリソース取得方法。
【請求項１２６】
前記第２設定結果を前記基地局に前記送信する段階は、前記ユーザ機器のＲＲＣ層シグナリング、ＭＡＣ層制御エレメント、物理層コマンド、ブロードキャスト情報、又はシステムメッセージ、のうち１つ又はこれらの組み合わせを用いて、前記第２検出結果を前記基地局に送信する段階を含む、
請求項１２４又は１２５に記載のリソース取得方法。
【請求項１２７】
請求項１から２３の何れか一項に記載の基地局、又は請求項４３から６５の何れか一項に記載の基地局と、
請求項２４から４２の何れか一項に記載のユーザ機器、又は請求項６６から８４の何れか一項に記載のユーザ機器と、
を備える、
リソース取得システム。
【発明の詳細な説明】
【技術分野】
【０００１】
本発明は通信分野に関し、具体的には、基地局、ユーザ機器、並びにリソース取得方法及びシステムに関する。
【背景技術】
【０００２】
セルラーネットワーク技術、特にＬＴＥ（Ｌｏｎｇ  Ｔｅｒｍ  Ｅｖｏｌｕｔｉｏｎ、ロングタームエボリューション）技術がさらに発展するに伴い、ＬＴＥシステムの限られた専用スペクトルリソースを考慮し、ＬＴＥ技術において、無認可スペクトルリソースを用いることが現在検討され始めている。スペクトルリソースは、ＷｉＦｉ（Ｗｉｒｅｌｅｓｓ  Ｆｉｄｅｌｉｔｙ、無線ローカルエリアネットワーク）に用いられるスペクトルリソース、又は、テレビ放送などの別の通信システムに用いられるリソース、又は、通信システムに用いられていない遊休リソースであってよい。
【０００３】
従来技術では、ＬＴＥシステムにおいて無認可スペクトルを取得する方法は、ＷｉＦｉに適用されるリソース競合方法である。基地局が、ある時間内で、無認可スペクトルのエネルギー検出を実行する。エネルギー検出の結果が事前設定閾値より低い場合、無認可スペクトルに信号は存在しないとみなされる。基地局は、無認可スペクトルを取得し、基地局の全ユーザに無認可スペクトルを割り当てようとする。しかしながら、無認可スペクトルは、基地局の状態に従って基地局により割り当てられ、無認可スペクトルは、基地局の全ユーザ機器の要求を満たすことができない場合がある。したがって、ユーザ機器によっては、無認可スペクトルにおいて比較的弱い信号を受信し、これが、ユーザ機器の正常動作に影響を及ぼす。
【発明の概要】
【０００４】
本発明の複数の実施形態は、基地局、ユーザ機器、並びにリソース取得方法及びシステムを提供し、利用可能な無認可リソースにおいてユーザ機器の正常動作を保証し得る。
【０００５】
前述の目的を実現すべく、以下の技術的解決手段が、本発明の複数の実施形態において用いられる。
【０００６】
第１態様に従って基地局が提供され、基地局は、ユーザ機器により送信された第１検出結果を受信するよう構成された受信ユニットであって、第１検出結果は、第１事前設定範囲における無認可スペクトルの信号品質、及び／又は、第１事前設定範囲におけるスペクトル情報を含む、受信ユニットと、第１スペクトル情報を取得するよう構成された取得ユニットと、取得ユニットにより取得された第１スペクトル情報、及び／又は、受信ユニットにより受信された第１検出結果に従って、利用可能な無認可スペクトル情報を決定するよう構成された第１決定ユニットと、第１決定ユニットにより決定された利用可能な無認可スペクトル情報をユーザ機器に送信するよう構成された送信ユニットとを含む。
【０００７】
第１態様に関連して、第１の可能な実装態様では、利用可能な無認可スペクトル情報は、利用可能な無認可スペクトルの範囲情報、及び／又は、利用可能な無認可スペクトルにおける第１参照信号を含む。
【０００８】
第１態様又は第１の可能な実装態様に関連して、第２の可能な実装態様では、送信ユニットは、第１検出設定情報をユーザ機器に送信し、これにより、ユーザ機器は、第１検出設定情報に従って第１事前設定範囲における無認可スペクトルを検出し、第１測定結果を取得するようさらに構成される。
【０００９】
第２の可能な実装態様に関連して、第３の可能な実装態様では、第１検出設定情報は第２事前設定範囲を含む。
【００１０】
第２の可能な実装態様又は第３の可能な実装態様に関連して、第４の可能な実装態様では、無認可スペクトルの信号品質は、無認可スペクトルのエネルギー、又は無認可スペクトルにおける第２参照信号の信号品質を含む。
【００１１】
第４の可能な実装態様に関連して、第５の可能な実装態様では、第１検出設定情報は第２参照信号の設定情報を含み、第２参照信号の設定情報は、第２参照信号のタイプ情報、時間−周波数−空間符号ドメイン情報、シーケンスフォーマット、又はシーケンスパラメータ情報、のうち１つ又はこれらの組み合わせを含む。
【００１２】
第２から第５の可能な実装態様に関連して、第６の可能な実装態様では、第１検出設定情報は第１報告条件をさらに含み、これにより、ユーザ機器は、第１報告条件が満たされる場合、第１検出結果を基地局に送信する。第１報告条件は、無認可スペクトルの信号品質が第１事前設定閾値より高いこと、無認可スペクトルの信号品質が第２事前設定閾値より低いこと、又は検出期間が事前設定されていること、のうち１つ又はこれらの組み合わせを含む。
【００１３】
第１態様、又は第１から第６の可能な実装態様に関連して、第７の可能な実装態様では、第１スペクトル情報は、当該基地局を除く別の基地局の無認可スペクトル情報、ＯＡＭ（Ｏｐｅｒａｔｉｏｎ  Ａｎｄ  Ｍａｉｎｔｅｎａｃｅ、運用・管理・保守）により設定された無認可スペクトル情報、又はＷｉＦｉの無認可スペクトル情報、のうち１つ又はこれらの組み合わせを含む。
【００１４】
第７の可能な実装態様に関連して、第８の可能な実装態様では、第１決定ユニットは、当該基地局を除く別の基地局の無認可スペクトル情報、ＯＡＭにより設定された無認可スペクトル情報、ＷｉＦｉの無認可スペクトル情報、又は第１検出結果、のうち１つ又はこれらの組み合わせに従って、第２事前設定範囲における無認可スペクトル情報から、候補となる無認可スペクトル情報を選択し、候補となる無認可スペクトル情報から、利用可能な無認可スペクトル情報として、第１事前設定条件に基づいてスペクトル情報を選択するよう特に構成される。
【００１５】
第８の可能な実装態様に関連して、第９の可能な実装態様では、第１事前設定条件は最高エネルギーのスペクトル情報である。
【００１６】
第１態様、又は第１から第９の可能な実装態様に関連して、第１０の可能な実装態様では、送信ユニットは、第２検出設定情報をユーザ機器に送信し、これにより、ユーザ機器は、第２検出設定情報に従って利用可能な無認可スペクトルのリソースセクションの信号品質を検出し、第２検出結果を取得するようさらに構成される。受信ユニットは、ユーザ機器により送信された第２検出結果を受信するようさらに構成され、基地局は、第２検出結果に従ってユーザ機器にスケジューリング及び／又はモビリティ管理を実行するよう構成された処理ユニットをさらに含む。
【００１７】
第１０の可能な実装態様に関連して、第１１の可能な実装態様では、ユーザ機器にスケジューリング及び／又はモビリティ管理を実行すべく、第２検出設定情報は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、利用可能な無認可スペクトルの１つ又は複数のセットの時間−周波数ドメインの情報画像、又は、利用可能な無認可スペクトルにおける第３参照信号の設定情報、のうち１つ又はこれらの組み合わせを含む。
【００１８】
第１０の可能な実装態様に関連して、第１２の可能な実装態様では、第３参照信号の設定情報は、第３参照信号のタイプ情報、時間−周波数−空間符号ドメイン情報、シーケンスフォーマット、又はシーケンスによって生成されたパラメータ情報、のうち１つ又はこれらの組み合わせを含む。
【００１９】
第１０から第１２の可能な実装態様に関連して、第１３の可能な実装態様では、送信ユニットは、ＲＲＣ（Ｒａｄｉｏ  Ｒｅｓｏｕｒｃｅ  Ｃｏｎｔｒｏｌ、無線リソース制御プロトコル）層シグナリング、ＭＡＣ（Ｍｅｄｉｕｍ  Ａｃｃｅｓｓ  Ｃｏｎｔｒｏｌ、媒体アクセス制御）層制御エレメント、物理層コマンド、ブロードキャスト情報、又はシステムメッセージ、のうち１つ又はこれらの組み合わせを用いて、第２検出設定情報を送信するよう特に構成される。
【００２０】
第１１から第１３の可能な実装態様に関連して、第１４の可能な実装態様では、時間ドメイン表示情報が、利用可能な無認可スペクトルの継続時間情報及び時間決定情報の何れか又は両方を示すのに用いられ、時間決定情報は、現在の時刻が利用可能な無認可スペクトルを検出する時間内であるか否かを示すのに用いられ、時間ドメイン表示情報は、時間−周波数−空間符号ドメイン情報、時間ドメイン情報、時間−周波数情報、又は時間−周波数ドメインの情報画像、のうち１つ又はこれらの組み合わせを含む。
【００２１】
第１４の可能な実装態様に関連して、第１５の可能な実装態様では、基地局は、時間ドメイン情報、周波数ドメイン情報、時間−周波数情報、又は時間−周波数ドメインの情報画像、のうち１つ又はこれらの組み合わせに従って、対応する送信電力を選択するよう構成された選択ユニットをさらに含み、処理ユニットは、第２検出結果に従って、利用可能な無認可スペクトルの第１リソースセクションを決定するよう構成された決定サブユニットと、送信電力に従って、第１リソースセクションをユーザ機器に送信するよう構成された送信サブユニットとを含む。
【００２２】
第１０から第１５の可能な実装態様に関連して、第１６の可能な実装態様では、第２検出設定情報は第２報告条件をさらに含み、これにより、第２報告条件が満たされる場合、ユーザ機器は第２検出結果を基地局に送信する。第２報告条件は、サービングセルの信号品質が第１絶対閾値より高いこと、サービングセルの信号品質が第２絶対閾値より低いこと、隣接セルの信号品質が、事前設定オフセット値だけサービングセルの信号品質より高いこと、隣接セルの信号品質が第３絶対閾値より高いこと、サービングセルの信号品質が第４絶対閾値より低く且つ隣接セルの信号品質が第５絶対閾値より高いこと、又は、隣接セルの信号品質がサービングセルの信号品質より高いこと、のうち１つ又はこれらの組み合わせを含む。
【００２３】
第１６の可能な実装態様に関連して、第１７の可能な実装態様では、サービングセルは、利用可能な無認可スペクトルのセル及び／又は設定済みセルを含む。設定済みセルは、ＯＡＭにより設定された無認可スペクトル情報に設定された、無認可スペクトルのセルである。
【００２４】
第１６の可能な実装態様に関連して、第１８の可能な実装態様では、隣接セルは、ユーザ機器により用いられていない無認可スペクトルのセルを含む。
【００２５】
第１６の可能な実装態様に関連して、第１９の可能な実装態様では、第１絶対閾値、第２絶対閾値、第３絶対閾値、第４絶対閾値、及び第５絶対閾値は、無認可スペクトルの複数の異なるレベルのセルを区別するのに用いられる絶対値である。
【００２６】
第１０から第１９の可能な実装態様に関連して、第２０の可能な実装態様では、第２検出結果は、利用可能な無認可スペクトルにおけるリソースセクションの信号品質情報を含み、信号品質情報は、リソースセクションの信号品質を示すのに用いられる、又は、第２検出結果は、利用可能な無認可スペクトルにおけるリソースセクションの信号品質情報に対応する指標値を含み、信号品質情報は、リソースセクションの信号品質を示すのに用いられる。
【００２７】
第２０の可能な実装態様に関連して、第２１の可能な実装態様では、決定サブユニットは、利用可能な無認可スペクトルにおけるリソースセクションの信号品質に従って、第２事前設定条件に基づく信号品質を取得し、第２事前設定条件に基づく信号品質に従って、利用可能な無認可スペクトルの、第２事前設定条件に基づく信号品質に対応するリソースセクションを取得し、無認可スペクトルの第１リソースセクションとしてリソースセクションを用いること、又は、利用可能な無認可スペクトルにおけるリソースセクションの信号品質情報に対応する指標値に従って、第３事前設定条件に基づく信号品質を取得し、第３事前設定条件に基づく指標値に従って、利用可能な無認可スペクトルの、第３事前設定条件に基づく指標値に対応するリソースセクションを取得し、無認可スペクトルの第１リソースセクションとしてリソースセクションを用いることを行うよう特に構成される。
【００２８】
第２１の可能な実装態様に関連して、第２２の可能な実装態様では、信号品質は干渉比であり、第２事前設定条件は干渉比範囲であり、第３事前設定条件は干渉比範囲に対応する指標値範囲である。
【００２９】
第２態様に従ってユーザ機器が提供され、ユーザ機器は、第１検出設定情報に従って第１事前設定範囲における無認可スペクトル情報を検出し、第１検出結果を取得するよう構成された第１検出ユニットであって、第１検出結果は、無認可スペクトルの信号品質及び／又は第１事前設定範囲におけるスペクトル情報を含む、第１検出ユニットと、第１検出ユニットにより取得された第１検出結果を基地局に送信し、これにより、基地局は、第１スペクトル情報を取得した後に、第１スペクトル情報及び第１検出結果に従って利用可能な無認可スペクトル情報を決定するよう構成された送信ユニットと、基地局により送信された利用可能な無認可スペクトル情報を受信するよう構成された受信ユニットとを含む。
【００３０】
第２態様に関連して、第１の可能な実装態様では、利用可能な無認可スペクトル情報は、利用可能な無認可スペクトルの範囲情報、及び／又は、利用可能な無認可スペクトルにおける第１参照信号を含む。
【００３１】
第２態様又は第１の可能な実装態様に関連して、第２の可能な実装態様では、無認可スペクトルの信号品質は、無認可スペクトルのエネルギー、又は無認可スペクトルにおける第２参照信号の信号品質を含む。
【００３２】
第２の可能な実装態様に関連して、第３の可能な実装態様では、第１検出設定情報は第２参照信号の設定情報を含み、第２参照信号の設定情報は、第２参照信号のタイプ情報、時間−周波数−空間符号ドメイン情報、シーケンスフォーマット、又はシーケンスパラメータ情報、のうち１つ又はこれらの組み合わせを含む。
【００３３】
第１から第３の可能な実装態様に関連して、第４の可能な実装態様では、第１検出設定情報は第２事前設定範囲を含む。
【００３４】
第２態様、又は第１から第４の可能な実装態様に関連して、第５の可能な実装態様では、第１検出情報は第１報告条件をさらに含み、送信ユニットは、第１報告条件が満たされる場合、第１検出結果を基地局に送信するよう特に構成され、第１報告条件は、無認可スペクトルの信号品質が第１事前設定閾値より高いこと、無認可スペクトルの信号品質が第２事前設定閾値より低いこと、又は検出期間が事前設定されていること、のうち１つ又はこれらの組み合わせを含む。
【００３５】
第５の可能な実装態様に関連して、第６の可能な実装態様では、第１検出設定情報は、ユーザ機器により事前設定される設定情報、又は基地局により事前設定される設定情報である。
【００３６】
第６の可能な実装態様に関連して、第７の可能な実装態様では、第１検出設定情報が基地局により事前設定される設定情報である場合、受信ユニットは、基地局により送信された第１検出設定情報を受信するようさらに構成される。
【００３７】
第２態様、又は第１から第７の可能な実装態様に関連して、第８の可能な実装態様では、受信ユニットは、基地局により送信された第２検出設定情報を受信するよう構成され、第２検出設定情報は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、利用可能な無認可スペクトルの１つ又は複数のセットの時間−周波数ドメインの情報画像、又は、利用可能な無認可スペクトルにおける第３参照信号の設定情報、のうち１つ又はこれらの組み合わせを含む。ユーザ機器は、受信ユニットにより受信された第２検出設定情報に従って、利用可能な無認可スペクトルのリソースセクションを検出して、第２検出結果を取得するよう構成された第２検出ユニットをさらに含む。
【００３８】
第８の可能な実装態様に関連して、第９の可能な実装態様では、受信ユニットは、ＲＲＣ層シグナリング、ＭＡＣ層制御エレメント、物理層コマンド、ブロードキャスト情報、又はシステムメッセージ、のうち１つ又はこれらの組み合わせを用いて、基地局により送信される第２検出設定情報を受信するよう特に構成される。
【００３９】
第８の可能な実装態様又は第９の可能な実装態様に関連して、第１０の可能な実装態様では、時間ドメイン表示情報が、利用可能な無認可スペクトルの継続時間情報及び時間決定情報の何れか又は両方を示すのに用いられ、時間決定情報は、現在の時刻が利用可能な無認可スペクトルを検出する時間内であるか否かを示すのに用いられ、時間ドメイン表示情報は、時間−周波数−空間符号ドメイン情報、時間ドメイン情報、時間−周波数情報、又は時間−周波数ドメインの情報画像、のうち１つ又はこれらの組み合わせを含む。
【００４０】
第８から第１０の可能な実装態様に関連して、第１１の可能な実装態様では、送信ユニットは、第２検出結果を基地局に送信し、これにより、基地局は、第２測定結果に従って、利用可能な無認可スペクトルにおける第１リソースセクションを決定するよう構成され、受信ユニットは、基地局により送信された第１リソースセクションを受信するよう構成され、ユーザ機器は、第１リソースセクションにおいてデータ伝送を実行するよう構成された伝送ユニットをさらに含む。
【００４１】
第１１の可能な実装態様に関連して、第１２の可能な実装態様では、第２検出設定情報は第２報告条件をさらに含み、送信ユニットは、第２報告条件が満たされる場合、第２検出結果を基地局に送信するよう特に構成され、第２報告条件は、サービングセルの信号品質が第１絶対閾値より高いこと、サービングセルの信号品質が第２絶対閾値より低いこと、隣接セルの信号品質が、事前設定オフセット値だけサービングセルの信号品質より高いこと、隣接セルの信号品質が第３絶対閾値より高いこと、サービングセルの信号品質が第４絶対閾値より低く且つ隣接セルの信号品質が第５絶対閾値より高いこと、又は、隣接セルの信号品質がサービングセルの信号品質より高いこと、のうち１つ又はこれらの組み合わせを含む。
【００４２】
第１２の可能な実装態様に関連して、第１３の可能な実装態様では、サービングセルは、利用可能な無認可スペクトルのセル及び／又は設定済みセルを含む。設定済みセルは、ＯＡＭにより設定された無認可スペクトル情報に設定された、無認可スペクトルのセルである。
【００４３】
第１２の可能な実装態様に関連して、第１４の可能な実装態様では、隣接セルは、ユーザ機器により用いられていない無認可スペクトルのセルを含む。
【００４４】
第１２の可能な実装態様に関連して、第１５の可能な実装態様では、第１絶対閾値、第２絶対閾値、第３絶対閾値、第４絶対閾値、及び第５絶対閾値は、無認可スペクトルの複数の異なるレベルのセルを区別するのに用いられる絶対値である。
【００４５】
第８から第１５の可能な実装態様に関連して、第１６の可能な実装態様では、第２検出設定情報が、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、又は利用可能な無認可スペクトルの１つ又は複数のセットの時間−周波数ドメインの情報画像、のうち１つ又はこれらの組み合わせを含む場合、第２検出ユニットは、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、又は利用可能な無認可スペクトルの１つ又は複数のセットの時間−周波数ドメインの情報画像、のうち１つ又はこれらの組み合わせに従って、利用可能な無認可スペクトルの検出される予定のリソースセクションを決定し、利用可能な無認可スペクトルのリソースセクションの信号品質を検出し、利用可能な無認可スペクトルのリソースセクションの信号品質を第２検出結果として用い、又は、指標値と信号品質情報との間の事前設定された対応関係に従って、利用可能な無認可スペクトルのリソースセクションの信号品質に対応する指標値を第２検出結果として用い、これにより、基地局は、第２検出結果に従って、利用可能な無認可スペクトルの第１リソースセクションを決定するよう特に構成される。
【００４６】
第８から第１６の可能な実装態様に関連して、第１７の可能な実装態様では、第２検出設定情報が第３参照信号の設定情報を含む場合、第２検出ユニットは、第３参照信号の設定情報に従って、利用可能な無認可スペクトルの、第３参照信号が位置するリソースセクションを決定し、利用可能な無認可スペクトルのリソースセクションにおける第３参照信号の信号品質を検出し、利用可能な無認可スペクトルのリソースセクションにおける第３参照信号の信号品質を第２検出結果として用い、これにより、基地局は、第２検出結果に従って利用可能な無認可スペクトルの第１リソースセクションを決定する、又は、指標値と信号品質情報との間の事前設定された対応関係に従って、利用可能な無認可スペクトルのリソースセクションにおける第３参照信号の信号品質に対応する指標値を第２検出結果として用い、これにより、基地局は、第２検出結果に従って利用可能な無認可スペクトルの第１リソースセクションを決定するよう特に構成される。
【００４７】
第１６の可能な実装態様又は第１７の可能な実装態様に関連して、第１８の可能な実装態様では、送信ユニットは、ＲＲＣ層シグナリング、ＭＡＣ層制御エレメント、物理層コマンド、ブロードキャスト情報、又はユーザ機器のシステムメッセージ、のうち１つ又はこれらの組み合わせを用いて、第２設定結果を基地局に送信するよう特に構成される。
【００４８】
第３態様に従って基地局が提供され、基地局は、ユーザ機器により送信された第１検出結果を受信するよう構成された受信器であって、第１検出結果は、第１事前設定範囲における無認可スペクトルの信号品質、及び／又は、第１事前設定範囲におけるスペクトル情報を含む、受信器と、第１スペクトル情報を取得するよう構成されたプロセッサであって、第１スペクトル情報及び／又は第１検出結果に従って、利用可能な無認可スペクトル情報を決定するようさらに構成されるプロセッサと、利用可能な無認可スペクトル情報をユーザ機器に送信するよう構成された送信器とを含む。
【００４９】
第３態様に関連して、第１の可能な実装態様では、利用可能な無認可スペクトル情報は、利用可能な無認可スペクトルの範囲情報、及び／又は、利用可能な無認可スペクトルにおける第１参照信号を含む。
【００５０】
第３態様又は第１の可能な実装態様に関連して、第２の可能な実装態様では、送信器は、第１検出設定情報をユーザ機器に送信し、これにより、ユーザ機器は、第１検出設定情報に従って第１事前設定範囲における無認可スペクトルを検出し、第１測定結果を取得するようさらに構成される。
【００５１】
第２の可能な実装態様に関連して、第３の可能な実装態様では、第１検出設定情報は第２事前設定範囲を含む。
【００５２】
第２の可能な実装態様又は第３の可能な実装態様に関連して、第４の可能な実装態様では、無認可スペクトルの信号品質は、無認可スペクトルのエネルギー、又は無認可スペクトルにおける第２参照信号の信号品質を含む。
【００５３】
第４の可能な実装態様に関連して、第５の可能な実装態様では、第１検出設定情報は第２参照信号の設定情報を含み、第２参照信号の設定情報は、第２参照信号のタイプ情報、時間−周波数−空間符号ドメイン情報、シーケンスフォーマット、又はシーケンスパラメータ情報、のうち１つ又はこれらの組み合わせを含む。
【００５４】
第２から第５の可能な実装態様に関連して、第６の可能な実装態様では、第１検出設定情報は第１報告条件をさらに含み、これにより、ユーザ機器は、第１報告条件が満たされる場合、第１検出結果を基地局に送信する。第１報告条件は、無認可スペクトルの信号品質が第１事前設定閾値より高いこと、無認可スペクトルの信号品質が第２事前設定閾値より低いこと、又は検出期間が事前設定されていること、のうち１つ又はこれらの組み合わせを含む。
【００５５】
第３態様、又は第１から第６の可能な実装態様に関連して、第７の可能な実装態様では、第１スペクトル情報は、当該基地局を除く別の基地局の無認可スペクトル情報、ＯＡＭにより設定された無認可スペクトル情報、又はＷｉＦｉの無認可スペクトル情報、のうち１つ又はこれらの組み合わせを含む。
【００５６】
第７の可能な実装態様に関連して、第８の可能な実装態様では、プロセッサは、当該基地局を除く別の基地局の無認可スペクトル情報、ＯＡＭにより設定された無認可スペクトル情報、ＷｉＦｉの無認可スペクトル情報、又は第１検出結果、のうち１つ又はこれらの組み合わせに従って、第２事前設定範囲における無認可スペクトル情報から、候補となる無認可スペクトル情報を選択し、候補となる無認可スペクトル情報から、利用可能な無認可スペクトル情報として、第１事前設定条件に基づいてスペクトル情報を選択するよう特に構成される。
【００５７】
第８の可能な実装態様に関連して、第９の可能な実装態様では、第１事前設定条件は最高エネルギーのスペクトル情報である。
【００５８】
第３態様、又は第１から第９の可能な実装態様に関連して、基地局は以下のものをさらに含む。送信器は、第２検出設定情報をユーザ機器に送信し、これにより、ユーザ機器は、第２検出設定情報に従って利用可能な無認可スペクトルのリソースセクションの信号品質を検出し、第２検出結果を取得するようさらに構成される。受信器は、ユーザ機器により送信された第２検出結果を受信するようさらに構成される。そして、プロセッサは、第２検出結果に従って、スケジューリング及び／又はモビリティ管理をユーザ機器に実行するようさらに構成される。
【００５９】
第１０の可能な実装態様に関連して、第１１の可能な実装態様では、第２検出設定情報は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、利用可能な無認可スペクトルの１つ又は複数のセットの時間−周波数ドメインの情報画像、又は、利用可能な無認可スペクトルにおける第３参照信号の設定情報、のうち１つ又はこれらの組み合わせを含む。
【００６０】
第１０の可能な実装態様に関連して、第１２の可能な実装態様では、第３参照信号の設定情報は、第３参照信号のタイプ情報、時間−周波数−空間符号ドメイン情報、シーケンスフォーマット、又はシーケンスによって生成されたパラメータ情報、のうち１つ又はこれらの組み合わせを含む。
【００６１】
第１０から第１２の可能な実装態様に関連して、第１３の可能な実装態様では、送信器は、ＲＲＣ層シグナリング、ＭＡＣ層制御エレメント、物理層コマンド、ブロードキャスト情報、又はシステムメッセージ、のうち１つ又はこれらの組み合わせを用いて、第２検出設定情報を送信するよう特に構成される。
【００６２】
第１１から第１３の可能な実装態様に関連して、第１４の可能な実装態様では、時間ドメイン表示情報が、利用可能な無認可スペクトルの継続時間情報及び時間決定情報の何れか又は両方を示すのに用いられ、時間決定情報は、現在の時刻が利用可能な無認可スペクトルを検出する時間内であるか否かを示すのに用いられ、時間ドメイン表示情報は、時間−周波数−空間符号ドメイン情報、時間ドメイン情報、時間−周波数情報、又は時間−周波数ドメインの情報画像、のうち１つ又はこれらの組み合わせを含む。
【００６３】
第１４の可能な実装態様に関連して、第１５の可能な実装態様では、プロセッサは、時間ドメイン情報、周波数ドメイン情報、時間−周波数情報、又は時間−周波数ドメインの情報画像、のうち１つ又はこれらの組み合わせに従って、対応する送信電力を選択するようさらに構成され、プロセッサは、第２検出結果に従って、利用可能な無認可スペクトルの第１リソースセクションを決定するようさらに構成され、送信器は、送信電力に従って、第１リソースセクションをユーザ機器に送信するようさらに構成される。
【００６４】
第１０から第１５の可能な実装態様に関連して、第１６の可能な実装態様では、第２検出設定情報は第２報告条件をさらに含み、これにより、ユーザ機器は、第２報告条件が満たされる場合、第２検出結果を基地局に送信する。第２報告条件は、サービングセルの信号品質が第１絶対閾値より高いこと、サービングセルの信号品質が第２絶対閾値より低いこと、隣接セルの信号品質が、事前設定オフセット値だけサービングセルの信号品質より高いこと、隣接セルの信号品質が第３絶対閾値より高いこと、サービングセルの信号品質が第４絶対閾値より低く且つ隣接セルの信号品質が第５絶対閾値より高いこと、又は隣接セルの信号品質がサービングセルの信号品質より高いこと、のうち１つ又はこれらの組み合わせを含む。
【００６５】
第１６の可能な実装態様に関連して、第１７の可能な実装態様では、サービングセルは、利用可能な無認可スペクトルのセル及び／又は設定済みセルを含む。設定済みセルは、ＯＡＭにより設定された無認可スペクトル情報に設定された、無認可スペクトルのセルである。
【００６６】
第１６の可能な実装態様に関連して、第１８の可能な実装態様では、隣接セルは、ユーザ機器により用いられていない無認可スペクトルのセルを含む。
【００６７】
第１６の可能な実装態様に関連して、第１９の可能な実装態様では、第１絶対閾値、第２絶対閾値、第３絶対閾値、第４絶対閾値、及び第５絶対閾値は、無認可スペクトルの複数の異なるレベルのセルを区別するのに用いられる絶対値である。
【００６８】
第１０から第１９の可能な実装態様に関連して、第２０の可能な実装態様では、第２検出結果は、利用可能な無認可スペクトルにおけるリソースセクションの信号品質情報を含み、信号品質情報は、リソースセクションの信号品質を示すのに用いられる、又は、第２検出結果は、利用可能な無認可スペクトルにおけるリソースセクションの信号品質情報に対応する指標値を含み、信号品質情報は、リソースセクションの信号品質を示すのに用いられる。
【００６９】
第２０の可能な実装態様に関連して、第２１の可能な実装態様では、プロセッサは、利用可能な無認可スペクトルにおけるリソースセクションの信号品質に従って、第２事前設定条件に基づく信号品質を取得し、第２事前設定条件に基づく信号品質に従って、利用可能な無認可スペクトルの、第２事前設定条件に基づく信号品質に対応するリソースセクションを取得し、無認可スペクトルの第１リソースセクションとしてリソースセクションを用いること、又は、利用可能な無認可スペクトルにおけるリソースセクションの信号品質情報に対応する指標値に従って、第３事前設定条件に基づく信号品質を取得し、第３事前設定条件に基づく指標値に従って、利用可能な無認可スペクトルの、第３事前設定条件に基づく指標値に対応するリソースセクションを取得し、無認可スペクトルの第１リソースセクションとしてリソースセクションを用いることを行うよう特に構成される。
【００７０】
第２１の可能な実装態様に関連して、第２２の可能な実装態様では、信号品質は干渉比であり、第２事前設定条件は干渉比範囲であり、第３事前設定条件は干渉比範囲に対応する指標値範囲である。
【００７１】
第４態様に従ってユーザ機器が提供され、ユーザ機器は、第１検出設定情報に従って第１事前設定範囲における無認可スペクトル情報を検出し、第１検出結果を取得するよう構成されたプロセッサであって、第１検出結果は、無認可スペクトルの信号品質及び／又は第１事前設定範囲におけるスペクトル情報を含む、プロセッサと、第１検出結果を基地局に送信し、これにより、基地局は、第１スペクトル情報を取得した後に、第１スペクトル情報及び第１検出結果に従って利用可能な無認可スペクトル情報を決定するよう構成された送信器と、基地局により送信された利用可能な無認可スペクトル情報を受信するよう構成された受信器とを含む。
【００７２】
第４態様に関連して、第１の可能な実装態様では、利用可能な無認可スペクトル情報は、利用可能な無認可スペクトルの範囲情報、及び／又は、利用可能な無認可スペクトルにおける第１参照信号を含む。
【００７３】
第４態様又は第１の可能な実装態様に関連して、第２の可能な実装態様では、無認可スペクトルの信号品質は、無認可スペクトルのエネルギー、又は無認可スペクトルにおける第２参照信号の信号品質を含む。
【００７４】
第２の可能な実装態様に関連して、第３の可能な実装態様では、第１検出設定情報は第２参照信号の設定情報を含み、第２参照信号の設定情報は、第２参照信号のタイプ情報、時間−周波数−空間符号ドメイン情報、シーケンスフォーマット、又はシーケンスパラメータ情報、のうち１つ又はこれらの組み合わせを含む。
【００７５】
第１から第３の可能な実装態様に関連して、第４の可能な実装態様では、第１検出設定情報は第２事前設定範囲を含む。
【００７６】
第４態様、又は第１から第４の可能な実装態様に関連して、第５の可能な実装態様では、第１検出情報は第１報告条件をさらに含み、送信器は、第１報告条件が満たされる場合、第１検出結果を基地局に送信するよう特に構成され、第１報告条件は、無認可スペクトルの信号品質が第１事前設定閾値より高いこと、無認可スペクトルの信号品質が第２事前設定閾値より低いこと、又は検出期間が事前設定されていること、のうち１つ又はこれらの組み合わせを含む。
【００７７】
第５の可能な実装態様に関連して、第６の可能な実装態様では、第１検出設定情報は、ユーザ機器により事前設定される設定情報、又は基地局により事前設定される設定情報である。
【００７８】
第６の可能な実装態様に関連して、第７の可能な実装態様では、第１検出設定情報が基地局により事前設定される設定情報である場合、受信器は、基地局により送信された第１検出設定情報を受信するようさらに構成される。
【００７９】
第４態様、又は第１から第７の可能な実装態様に関連して、第８の可能な実装態様では、ユーザ機器は以下のものをさらに含む。受信器は、基地局により送信された第２検出設定情報を受信するようさらに構成され、第２検出設定情報は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、利用可能な無認可スペクトルの１つ又は複数のセットの時間−周波数ドメインの情報画像、又は利用可能な無認可スペクトルにおける第３参照信号の設定情報、のうち１つ又はこれらの組み合わせを含む。そして、プロセッサは、第２検出設定情報に従って利用可能な無認可スペクトルのリソースセクションを検出して、第２検出結果を取得するようさらに構成される。
【００８０】
第８の可能な実装態様に関連して、第９の可能な実装態様では、受信器は、ＲＲＣ層シグナリング、ＭＡＣ層制御エレメント、物理層コマンド、ブロードキャスト情報、又はシステムメッセージ、のうち１つ又はこれらの組み合わせを用いて、基地局により送信される第２検出設定情報を受信するようさらに構成される。
【００８１】
第８の可能な実装態様又は第９の可能な実装態様に関連して、第１０の可能な実装態様では、時間ドメイン表示情報が、利用可能な無認可スペクトルの継続時間情報及び時間決定情報の何れか又は両方を示すのに用いられ、時間決定情報は、現在の時刻が利用可能な無認可スペクトルを検出する時間内であるか否かを示すのに用いられ、時間ドメイン表示情報は、時間−周波数−空間符号ドメイン情報、時間ドメイン情報、時間−周波数情報、又は時間−周波数ドメインの情報画像、のうち１つ又はこれらの組み合わせを含む。
【００８２】
第８から第１０の可能な実装態様に関連して、第１１の可能な実装態様では、ユーザ機器は以下のものをさらに含む。送信器は、第２検出結果を基地局に送信し、これにより、基地局は、第２測定結果に従って利用可能な無認可スペクトルの第１リソースセクションを決定するようさらに構成される。受信器は、基地局により送信された第１リソースセクションを受信するようさらに構成される。そして、プロセッサは、第１リソースセクションにおいてデータ伝送を実行するようさらに構成される。
【００８３】
第１１の可能な実装態様に関連して、第１２の可能な実装態様では、第２検出設定情報は第２報告条件をさらに含み、送信器は、第２報告条件が満たされる場合、第２検出結果を基地局に送信するよう特に構成され、第２報告条件は、サービングセルの信号品質が第１絶対閾値より高いこと、サービングセルの信号品質が第２絶対閾値より低いこと、隣接セルの信号品質が、事前設定オフセット値だけサービングセルの信号品質より高いこと、隣接セルの信号品質が第３絶対閾値より高いこと、サービングセルの信号品質が第４絶対閾値より低く且つ隣接セルの信号品質が第５絶対閾値より高いこと、又は隣接セルの信号品質がサービングセルの信号品質より高いこと、のうち１つ又はこれらの組み合わせを含む。
【００８４】
第１２の可能な実装態様に関連して、第１３の可能な実装態様では、サービングセルは、利用可能な無認可スペクトルのセル及び／又は設定済みセルを含む。設定済みセルは、ＯＡＭにより設定された無認可スペクトル情報に設定された、無認可スペクトルのセルである。
【００８５】
第１２の可能な実装態様に関連して、第１４の可能な実装態様では、隣接セルは、ユーザ機器により用いられていない無認可スペクトルのセルを含む。
【００８６】
第１２の可能な実装態様に関連して、第１５の可能な実装態様では、第１絶対閾値、第２絶対閾値、第３絶対閾値、第４絶対閾値、及び第５絶対閾値は、無認可スペクトルの複数の異なるレベルのセルを区別するのに用いられる絶対値である。
【００８７】
第８から第１５の可能な実装態様に関連して、第１６の可能な実装態様では、第２検出設定情報が、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、又は利用可能な無認可スペクトルの１つ又は複数のセットの時間−周波数ドメインの情報画像、のうち１つ又はこれらの組み合わせを含む場合、プロセッサは、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、又は利用可能な無認可スペクトルの１つ又は複数のセットの時間−周波数ドメインの情報画像、のうち１つ又はこれらの組み合わせに従って、利用可能な無認可スペクトルの検出される予定のリソースセクションを決定し、利用可能な無認可スペクトルのリソースセクションの信号品質を検出し、利用可能な無認可スペクトルのリソースセクションの信号品質を第２検出結果として用い、又は、指標値と信号品質情報との間の事前設定された対応関係に従って、利用可能な無認可スペクトルのリソースセクションの信号品質に対応する指標値を第２検出結果として用い、これにより、基地局は、第２検出結果に従って、利用可能な無認可スペクトルの第１リソースセクションを決定するよう特に構成される。
【００８８】
第８から第１６の可能な実装態様に関連して、第１７の可能な実装態様では、第２検出設定情報が第３参照信号の設定情報を含む場合、プロセッサは、第３参照信号の設定情報に従って、利用可能な無認可スペクトルの、第３参照信号が位置するリソースセクションを決定し、利用可能な無認可スペクトルのリソースセクションにおける第３参照信号の信号品質を検出し、利用可能な無認可スペクトルのリソースセクションにおける第３参照信号の信号品質を第２検出結果として用い、これにより、基地局は、第２検出結果に従って利用可能な無認可スペクトルの第１リソースセクションを決定する、又は、指標値と信号品質情報との間の事前設定された対応関係に従って、利用可能な無認可スペクトルのリソースセクションにおける第３参照信号の信号品質に対応する指標値を第２検出結果として用い、これにより、基地局は、第２検出結果に従って利用可能な無認可スペクトルの第１リソースセクションを決定するよう特に構成される。
【００８９】
第１６の可能な実装態様又は第１７の可能な実装態様に関連して、第１８の可能な実装態様では、送信器は、ＲＲＣ層シグナリング、ＭＡＣ層制御エレメント、物理層コマンド、ブロードキャスト情報、又はユーザ機器のシステムメッセージ、のうち１つ又はこれらの組み合わせを用いて、第２設定結果を基地局に送信するよう特に構成される。
【００９０】
第５態様に従って、基地局に適用されるリソース取得方法が提供され、リソース取得方法は、ユーザ機器により送信された第１検出結果を受信する段階であって、第１検出結果は、第１事前設定範囲における無認可スペクトルの信号品質、及び／又は、第１事前設定範囲におけるスペクトル情報を含む、受信する段階と、第１スペクトル情報を取得する段階と、第１スペクトル情報及び／又は第１検出結果に従って、利用可能な無認可スペクトル情報を決定する段階と、利用可能な無認可スペクトル情報をユーザ機器に送信する段階とを含む。
【００９１】
第５態様に関連して、第１の可能な実装態様では、利用可能な無認可スペクトル情報は、利用可能な無認可スペクトルの範囲情報、及び／又は、利用可能な無認可スペクトルにおける第１参照信号を含む。
【００９２】
第５態様又は第１の可能な実装態様に関連して、第２の可能な実装態様では、ユーザ機器により送信された第１検出結果を受信する前に、リソース取得方法は、第１検出設定情報をユーザ機器に送信し、これにより、ユーザ機器は、第１検出設定情報に従って第１事前設定範囲における無認可スペクトルを検出し、第１測定結果を取得する段階をさらに含む。
【００９３】
第２の可能な実装態様に関連して、第３の可能な実装態様では、第１検出設定情報は第２事前設定範囲を含む。
【００９４】
第２の可能な実装態様又は第３の可能な実装態様に関連して、第４の可能な実装態様では、無認可スペクトルの信号品質は、無認可スペクトルのエネルギー、又は無認可スペクトルにおける第２参照信号の信号品質を含む。
【００９５】
第４の可能な実装態様に関連して、第５の可能な実装態様では、第１検出設定情報は第２参照信号の設定情報を含み、第２参照信号の設定情報は、第２参照信号のタイプ情報、時間−周波数−空間符号ドメイン情報、シーケンスフォーマット、又はシーケンスパラメータ情報、のうち１つ又はこれらの組み合わせを含む。
【００９６】
第２から第５の可能な実装態様に関連して、第６の可能な実装態様では、第１検出設定情報は第１報告条件をさらに含み、これにより、ユーザ機器は、第１報告条件に従って第１検出結果を基地局に送信する。第１報告条件は、無認可スペクトルの信号品質が第１事前設定閾値より高いこと、無認可スペクトルの信号品質が第２事前設定閾値より低いこと、又は検出期間が事前設定されていること、のうち１つ又はこれらの組み合わせを含む。
【００９７】
第５態様、又は第１から第６の可能な実装態様に関連して、第７の可能な実装態様では、第１スペクトル情報は、当該基地局を除く別の基地局の無認可スペクトル情報、ＯＡＭにより設定された無認可スペクトル情報、又はＷｉＦｉの無認可スペクトル情報、のうち１つ又はこれらの組み合わせを含む。
【００９８】
第７の可能な実装態様に関連して、第８の可能な実装態様では、第１スペクトル情報及び／又は第１検出結果に従って、利用可能な無認可スペクトル情報を決定する段階は、当該基地局を除く別の基地局の無認可スペクトル情報、ＯＡＭにより設定された無認可スペクトル情報、ＷｉＦｉの無認可スペクトル情報、又は第１検出結果、のうち１つ又はこれらの組み合わせに従って、第２事前設定範囲における無認可スペクトル情報から、候補となる無認可スペクトル情報を選択する段階と、候補となる無認可スペクトル情報から、利用可能な無認可スペクトル情報として、第１事前設定条件に基づいてスペクトル情報を選択する段階とを含む。
【００９９】
第８の可能な実装態様に関連して、第９の可能な実装態様では、第１事前設定条件は最高エネルギーのスペクトル情報である。
【０１００】
第５態様、又は第１から第９の可能な実装態様に関連して、利用可能な無認可スペクトル情報をユーザ機器に送信した後に、リソース取得方法は、第２検出設定情報をユーザ機器に送信し、これにより、ユーザ機器は、第２検出設定情報に従って利用可能な無認可スペクトルのリソースセクションの信号品質を検出し、第２検出結果を取得する段階と、ユーザ機器により送信された第２検出結果を受信する段階と、第２検出結果に従って、ユーザ機器にスケジューリング及び／又はモビリティ管理を実行する段階とをさらに含む。
【０１０１】
第１０の可能な実装態様に関連して、第１１の可能な実装態様では、第２検出設定情報は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、利用可能な無認可スペクトルの１つ又は複数のセットの時間−周波数ドメインの情報画像、又は、利用可能な無認可スペクトルにおける第３参照信号の設定情報、のうち１つ又はこれらの組み合わせを含む。
【０１０２】
第１０の可能な実装態様に関連して、第１２の可能な実装態様では、第３参照信号の設定情報は、第３参照信号のタイプ情報、時間−周波数−空間符号ドメイン情報、シーケンスフォーマット、又はシーケンスによって生成されたパラメータ情報、のうち１つ又はこれらの組み合わせを含む。
【０１０３】
第１０から第１２の可能な実装態様に関連して、第１３の可能な実装態様では、第２検出設定情報をユーザ機器に送信する段階は、ＲＲＣ層シグナリング、ＭＡＣ層制御エレメント、物理層コマンド、ブロードキャスト情報、又はシステムメッセージ、のうち１つ又はこれらの組み合わせを用いて、第２検出設定情報を送信する段階を含む。
【０１０４】
第１１から第１３の可能な実装態様に関連して、第１４の可能な実装態様では、時間ドメイン表示情報が、利用可能な無認可スペクトルの継続時間情報及び時間決定情報の何れか又は両方を示すのに用いられ、時間決定情報は、現在の時刻が利用可能な無認可スペクトルを検出する時間内であるか否かを示すのに用いられ、時間ドメイン表示情報は、時間−周波数−空間符号ドメイン情報、時間ドメイン情報、時間−周波数情報、又は時間−周波数ドメインの情報画像、のうち１つ又はこれらの組み合わせを含む。
【０１０５】
第１４の可能な実装態様に関連して、第１５の可能な実装態様では、ユーザ機器により送信された第２検出結果を送信電力に従って受信する前に、リソース取得方法は、時間ドメイン情報、周波数ドメイン情報、時間−周波数情報、又は時間−周波数ドメインの情報画像、のうち１つ又はこれらの組み合わせに従って、対応する送信電力を選択する段階をさらに含み、第２検出結果に従ってユーザ機器にスケジューリング及び／又はモビリティ管理を実行する段階は、第２検出結果に従って利用可能な無認可スペクトルの第１リソースセクションを決定する段階と、送信電力に従って第１リソースセクションをユーザ機器に送信する段階とを含む。
【０１０６】
第１０から第１５の可能な実装態様に関連して、第１６の可能な実装態様では、第２検出設定情報は第２報告条件をさらに含み、これにより、ユーザ機器は、第２報告条件が満たされる場合、第２検出結果を基地局に送信する。第２報告条件は、サービングセルの信号品質が第１絶対閾値より高いこと、サービングセルの信号品質が第２絶対閾値より低いこと、隣接セルの信号品質が、事前設定オフセット値だけサービングセルの信号品質より高いこと、隣接セルの信号品質が第３絶対閾値より高いこと、サービングセルの信号品質が第４絶対閾値より低く且つ隣接セルの信号品質が第５絶対閾値より高いこと、又は、隣接セルの信号品質がサービングセルの信号品質より高いこと、のうち１つ又はこれらの組み合わせを含む。
【０１０７】
第１６の可能な実装態様に関連して、第１７の可能な実装態様では、サービングセルは、利用可能な無認可スペクトルのセル及び／又は設定済みセルを含む。設定済みセルは、ＯＡＭにより設定された無認可スペクトル情報に設定された、無認可スペクトルのセルである。
【０１０８】
第１６の可能な実装態様に関連して、第１８の可能な実装態様では、隣接セルは、ユーザ機器により用いられていない無認可スペクトルのセルを含む。
【０１０９】
第１６の可能な実装態様に関連して、第１９の可能な実装態様では、第１絶対閾値、第２絶対閾値、第３絶対閾値、第４絶対閾値、及び第５絶対閾値は、無認可スペクトルの複数の異なるレベルのセルを区別するのに用いられる絶対値である。
【０１１０】
第１０から第１９の可能な実装態様に関連して、第２０の可能な実装態様では、第２検出結果は、利用可能な無認可スペクトルにおけるリソースセクションの信号品質情報を含み、信号品質情報は、リソースセクションの信号品質を示すのに用いられる、又は、第２検出結果は、利用可能な無認可スペクトルにおけるリソースセクションの信号品質情報に対応する指標値を含み、信号品質情報は、リソースセクションの信号品質を示すのに用いられる。
【０１１１】
第２０の可能な実装態様に関連して、第２１の可能な実装態様では、第２検出結果に従って利用可能な無認可スペクトルの第１リソースセクションを決定する段階は、利用可能な無認可スペクトルにおけるリソースセクションの信号品質に従って、第２事前設定条件に基づく信号品質を取得する段階と、第２事前設定条件に基づく信号品質に従って、利用可能な無認可スペクトルの、第２事前設定条件に基づく信号品質に対応するリソースセクションを取得し、無認可スペクトルの第１リソースセクションとしてリソースセクションを用いる段階とを含む、又は、利用可能な無認可スペクトルにおけるリソースセクションの信号品質情報に対応する指標値に従って、第３事前設定条件に基づく信号品質を取得する段階と、第３事前設定条件に基づく指標値に従って、利用可能な無認可スペクトルの、第３事前設定条件に基づく指標値に対応するリソースセクションを取得し、無認可スペクトルの第１リソースセクションとしてリソースセクションを用いる段階とを含む。
【０１１２】
第２１の可能な実装態様に関連して、第２２の可能な実装態様では、信号品質は干渉比であり、第２事前設定条件は干渉比範囲であり、第３事前設定条件は干渉比範囲に対応する指標値範囲である。
【０１１３】
第６態様に従って、ユーザ機器に適用されるリソース取得方法が提供され、リソース取得方法は、第１検出設定情報に従って第１事前設定範囲における無認可スペクトル情報を検出し、第１検出結果を取得する段階であって、第１検出結果は、無認可スペクトルの信号品質、及び／又は、第１事前設定範囲におけるスペクトル情報を含む、取得する段階と、第１検出結果を基地局に送信し、これにより、基地局は、第１スペクトル情報を取得した後に、第１スペクトル情報及び第１検出結果に従って利用可能な無認可スペクトル情報を決定する段階と、基地局により送信された利用可能な無認可スペクトル情報を受信する段階とを含む。
【０１１４】
第６態様に関連して、第１の可能な実装態様では、利用可能な無認可スペクトル情報は、利用可能な無認可スペクトルの範囲情報、及び／又は、利用可能な無認可スペクトルにおける第１参照信号を含む。
【０１１５】
第６態様又は第１の可能な実装態様に関連して、第２の可能な実装態様では、無認可スペクトルの信号品質は、無認可スペクトルのエネルギー、又は無認可スペクトルにおける第２参照信号の信号品質を含む。
【０１１６】
第２の可能な実装態様に関連して、第３の可能な実装態様では、第１検出設定情報は第２参照信号の設定情報を含み、第２参照信号の設定情報は、第２参照信号のタイプ情報、時間−周波数−空間符号ドメイン情報、シーケンスフォーマット、又はシーケンスパラメータ情報、のうち１つ又はこれらの組み合わせを含む。
【０１１７】
第１から第３の可能な実装態様に関連して、第４の可能な実装態様では、第１検出設定情報は第２事前設定範囲を含む。
【０１１８】
第６態様、又は第１から第４の可能な実装態様に関連して、第５の可能な実装態様では、第１検出情報は第１報告条件をさらに含み、第１検出結果を基地局に送信する段階は、第１報告条件が満たされる場合、第１検出結果を基地局に送信する段階を含む。第１報告条件は、無認可スペクトルの信号品質が第１事前設定閾値より高いこと、無認可スペクトルの信号品質が第２事前設定閾値より低いこと、又は、検出期間が事前設定されていること、のうち１つ又はこれらの組み合わせを含む。
【０１１９】
第５の可能な実装態様に関連して、第６の可能な実装態様では、第１検出設定情報は、ユーザ機器により事前設定される設定情報、又は基地局により事前設定される設定情報である。
【０１２０】
第６の可能な実装態様に関連して、第７の可能な実装態様では、第１検出設定情報が、基地局により事前設定される設定情報である場合、第１検出設定情報に従って第１事前設定範囲における無認可スペクトル情報を検出し、第１検出結果を取得する前に、リソース検出方法は、基地局により送信された第１検出設定情報を受信する段階をさらに含む。
【０１２１】
第６態様、又は第１から第７の可能な実装態様に関連して、第８の可能な実装態様では、基地局により送信された利用可能な無認可スペクトル情報を受信する段階の後に、リソース取得方法は、基地局により送信された第２検出設定情報を受信する段階であって、第２検出設定情報は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、利用可能な無認可スペクトルの１つ又は複数のセットの時間−周波数ドメインの情報画像、又は利用可能な無認可スペクトルにおける第３参照信号の設定情報、のうち１つ又はこれらの組み合わせを含む、受信する段階と、第２検出設定情報に従って利用可能な無認可スペクトルのリソースセクションを検出して、第２検出結果を取得する段階とをさらに含む。
【０１２２】
第８の可能な実装態様に関連して、第９の可能な実装態様では、基地局により送信された第２検出設定情報を受信する段階は、ＲＲＣ層シグナリング、ＭＡＣ層制御エレメント、物理層コマンド、ブロードキャスト情報、又はシステムメッセージ、のうち１つ又はこれらの組み合わせを用いて、基地局により送信される第２検出設定情報を受信する段階を含む。
【０１２３】
第８の可能な実装態様又は第９の可能な実装態様に関連して、第１０の可能な実装態様では、時間ドメイン表示情報が、利用可能な無認可スペクトルの継続時間情報及び時間決定情報の何れか又は両方を示すのに用いられ、時間決定情報は、現在の時刻が利用可能な無認可スペクトルを検出する時間内であるか否かを示すのに用いられ、時間ドメイン表示情報は、時間−周波数−空間符号ドメイン情報、時間ドメイン情報、時間−周波数情報、又は時間−周波数ドメインの情報画像、のうち１つ又はこれらの組み合わせを含む。
【０１２４】
第８から第１０の可能な実装態様に関連して、第１１の可能な実装態様では、第２検出設定情報に従って利用可能な無認可スペクトルのリソースセクションを検出して、第２検出結果を取得する段階の後に、リソース取得方法は、第２検出結果を基地局に送信し、これにより、基地局は、第２測定結果に従って利用可能な無認可スペクトルの第１リソースセクションを決定する段階と、基地局により送信された第１リソースセクションを受信する段階と、第１リソースセクションにおいてデータ伝送を実行する段階とをさらに含む。
【０１２５】
第１１の可能な実装態様に関連して、第１２の可能な実装態様では、第２検出設定情報は第２報告条件をさらに含み、第２検出結果を基地局に送信する段階は、第２報告条件が満たされる場合、第２検出結果を基地局に送信する段階を含む。第２報告条件は、サービングセルの信号品質が第１絶対閾値より高いこと、サービングセルの信号品質が第２絶対閾値より低いこと、隣接セルの信号品質が、事前設定オフセット値だけサービングセルの信号品質より高いこと、隣接セルの信号品質が第３絶対閾値より高いこと、サービングセルの信号品質が第４絶対閾値より低く且つ隣接セルの信号品質が第５絶対閾値より高いこと、又は、隣接セルの信号品質がサービングセルの信号品質より高いこと、のうち１つ又はこれらの組み合わせを含む。
【０１２６】
第１２の可能な実装態様に関連して、第１３の可能な実装態様では、サービングセルは、利用可能な無認可スペクトルのセル及び／又は設定済みセルを含む。設定済みセルは、ＯＡＭにより設定された無認可スペクトル情報に設定された、無認可スペクトルのセルである。
【０１２７】
第１２の可能な実装態様に関連して、第１４の可能な実装態様では、隣接セルは、ユーザ機器により用いられていない無認可スペクトルのセルを含む。
【０１２８】
第１２の可能な実装態様に関連して、第１５の可能な実装態様では、第１絶対閾値、第２絶対閾値、第３絶対閾値、第４絶対閾値、及び第５絶対閾値は、無認可スペクトルの複数の異なるレベルのセルを区別するのに用いられる絶対値である。
【０１２９】
第８から第１５の可能な実装態様に関連して、第１６の可能な実装態様では、第２検出設定情報が、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、又は、利用可能な無認可スペクトルの１つ又は複数のセットの時間−周波数ドメインの情報画像、のうち１つ又はこれらの組み合わせを含む場合、第２検出設定情報に従って利用可能な無認可スペクトルのリソースセクションを検出して、第２検出結果を取得する段階は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、又は、利用可能な無認可スペクトルの１つ又は複数のセットの時間−周波数ドメインの情報画像、のうち１つ又はこれらの組み合わせに従って、利用可能な無認可スペクトルの検出される予定のリソースセクションを決定する段階と、利用可能な無認可スペクトルのリソースセクションの信号品質を検出する段階と、利用可能な無認可スペクトルのリソースセクションの信号品質を第２検出結果として用い、又は、指標値と信号品質情報との間の事前設定された対応関係に従って、利用可能な無認可スペクトルのリソースセクションの信号品質に対応する指標値を第２検出結果として用い、これにより、基地局は、第２検出結果に従って利用可能な無認可スペクトルの第１リソースセクションを決定する段階とを含む。
【０１３０】
第８から第１６の可能な実装態様に関連して、第１７の可能な実装態様では、第２検出設定情報が第３参照信号の設定情報を含む場合、第２検出設定情報に従って利用可能な無認可スペクトルのリソースセクションを検出して、第２検出結果を取得する段階は、第３参照信号の設定情報に従って、利用可能な無認可スペクトルの、第３参照信号が位置するリソースセクションを決定する段階と、利用可能な無認可スペクトルのリソースセクションにおける第３参照信号の信号品質を検出する段階と、利用可能な無認可スペクトルのリソースセクションにおける第３参照信号の信号品質を第２検出結果として用い、これにより、基地局は、第２検出結果に従って利用可能な無認可スペクトルの第１リソースセクションを決定する段階、又は、指標値と信号品質情報との間の事前設定された対応関係に従って、利用可能な無認可スペクトルのリソースセクションにおける第３参照信号の信号品質に対応する指標値を第２検出結果として用い、これにより、基地局は、第２検出結果に従って利用可能な無認可スペクトルの第１リソースセクションを決定する段階とを含む。
【０１３１】
第１６の可能な実装態様又は第１７の可能な実装態様に関連して、第１８の可能な実装態様では、第２検出結果を基地局に送信する段階は、ユーザ機器のＲＲＣ層シグナリング、ＭＡＣ層制御エレメント、物理層コマンド、ブロードキャスト情報、又はシステムメッセージ、のうち１つ又はこれらの組み合わせを用いて、第２設定結果を基地局に送信する段階を含む。
【０１３２】
第７態様に従ってリソース取得システムが提供され、リソース取得システムは、第１態様又は第３態様又は前述の可能な実装態様のうち何れか１つによる基地局と、第２態様又は第４態様又は前述の可能な実装態様のうち何れか１つによるユーザ機器とを含む。
【０１３３】
本発明は、基地局、ユーザ機器、並びにリソース取得方法及びシステムを提供する。方法は、ユーザ機器により送信された第１検出結果を受信する段階であって、第１検出結果は、第１事前設定範囲における無認可スペクトルの信号品質、及び／又は、第１事前設定範囲におけるスペクトル情報を含む、受信する段階と、第１スペクトル情報を取得する段階と、取得ユニットにより取得された第１スペクトル情報、及び／又は、受信ユニットにより受信された第１検出結果に従って、利用可能な無認可スペクトル情報を決定する段階と、決定ユニットにより決定された利用可能な無認可スペクトル情報をユーザ機器に送信する段階とを含む。このように、基地局は、基地局に格納された第１スペクトル情報、及び／又は、ユーザ機器により送信された第１検出結果に従って、利用可能な無認可スペクトル情報を決定し得る。利用可能な無認可スペクトル情報は、大部分のユーザの要求を満たし得て、ユーザ機器は、利用可能な無認可スペクトルにおいて比較的高い品質の信号を受信することにより、ユーザ機器の正常動作を保証し得る。
【図面の簡単な説明】
【０１３４】
本発明の複数の実施形態又は従来技術における技術的解決手段をより明確に説明すべく、複数の実施形態又は従来技術を説明するのに必要とされる添付図面を以下で簡潔に説明する。以下の説明における添付図面は、本発明のいくつかの実施形態を示すに過ぎず、当業者が創造努力をすることなくこれらの添付図面から他の図面をまだ導き出し得ることは明らかである。
【０１３５】
【図１】本発明の一実施形態による基地局の概略構造図である。
【０１３６】
【図２】本発明の一実施形態による別の基地局の概略構造図である。
【０１３７】
【図３】本発明の一実施形態による処理ユニットの概略構造図である。
【０１３８】
【図４】本発明の一実施形態によるユーザ機器の概略構造図である。
【０１３９】
【図５】本発明の一実施形態による別のユーザ機器の概略構造図である。
【０１４０】
【図６】本発明の一実施形態によるさらに別の基地局の概略構造図である。
【０１４１】
【図７】本発明の一実施形態によるさらに別のユーザ機器の概略構造図である。
【０１４２】
【図８】本発明の一実施形態によるリソース取得方法のフローチャートである。
【０１４３】
【図９】本発明の一実施形態による別のリソース取得方法のフローチャートである。
【０１４４】
【図１０】本発明の一実施形態による別のリソース取得方法のフローチャートである。
【０１４５】
【図１１】本発明の一実施形態によるリソース取得システムの概略構造図である。
【発明を実施するための形態】
【０１４６】
以下では、本発明の複数の実施形態の添付図面を参照して、本発明の複数の実施形態における技術的解決手段を明確且つ完全に説明する。説明される複数の実施形態は、本発明の複数の実施形態のいくつかに過ぎず、全てではないことは明らかである。本発明の複数の実施形態に基づき、創造努力することなく当業者により取得される全ての他の実施形態は、本発明の保護範囲に含まれることになる。
【０１４７】
更に、「システム」及び「ネットワーク」という用語は、本明細書では互換的に用いられ得る。本明細書における「及び／又は」という用語は、説明する関連対象物の関連関係のみを説明し、３つの関係が存在し得ることを表す。例えば、Ａ及び／又はＢは、Ａのみが存在する、ＡとＢの両方が存在する、並びに、Ｂのみが存在するという３つの場合を表し得る。更に、本明細書における「／」という記号は、概して、関連対象物間で「又は」の関係を示す。
【０１４８】
１つの態様に従って、図１に示されるように、本発明の一実施形態が基地局１０を提供する。基地局１０は、ユーザ機器により送信された第１検出結果を受信するよう構成された受信ユニット１０１であって、第１検出結果は、第１事前設定範囲における無認可スペクトルの信号品質、及び／又は、第１事前設定範囲におけるスペクトル情報を含み得る、受信ユニット１０１と、第１スペクトル情報を取得するよう構成された取得ユニット１０２と、取得ユニット１０２により取得された第１スペクトル情報、及び／又は、受信ユニット１０１により受信された第１検出結果に従って、利用可能な無認可スペクトル情報を決定するよう構成された第１決定ユニット１０３であって、任意選択で、無認可スペクトルの信号品質は、無認可スペクトルのエネルギー、又は無認可スペクトルにおける第２参照信号の信号品質を含み得る、第１決定ユニット１０３と、第１決定ユニット１０３により決定された利用可能な無認可スペクトル情報をユーザ機器に送信するよう構成された送信ユニット１０４とを含んでよい。
【０１４９】
任意選択で、利用可能な無認可スペクトル情報は、利用可能な無認可スペクトルの範囲情報、及び／又は、利用可能な無認可スペクトルにおける第１参照信号を含んでよい。
【０１５０】
このように、基地局は、基地局に格納された第１スペクトル情報、及び／又は、ユーザ機器により送信された第１検出結果に従って、利用可能な無認可スペクトル情報を決定し得る。利用可能な無認可スペクトル情報は、大部分のユーザの要求を満たし得て、ユーザ機器は、利用可能な無認可スペクトルにおいて比較的高い品質の信号を受信することにより、ユーザ機器の正常動作を保証し得る。
【０１５１】
さらに、送信ユニット１０４は、第１検出設定情報をユーザ機器に送信し、これにより、ユーザ機器は、第１検出設定情報に従って第１事前設定範囲における無認可スペクトルを検出して、第１測定結果を取得するようさらに構成されてよい。具体的には、基地局は、ＲＲＣ層シグナリング、ＭＡＣ層制御エレメント、物理層コマンド、ブロードキャスト情報、又はシステムメッセージ、のうち１つ又はこれらの組み合わせを用いて、第１検出設定情報を送信してよい。
【０１５２】
任意選択で、第１検出設定情報は第２事前設定範囲を含んでよく、第２事前設定範囲は第１事前設定範囲と同じであってよい。任意選択で、第１検出設定情報は第２参照信号の設定情報も含んでよく、第２参照信号の設定情報は、第２参照信号のタイプ情報、時間−周波数−空間符号ドメイン情報、シーケンスフォーマット、又はシーケンスパラメータ情報、のうち１つ又はこれらの組み合わせを含んでよい。
【０１５３】
第１検出設定情報は、無認可スペクトルの１つ又は複数の種類の時間ドメイン情報、無認可スペクトルの１つ又は複数の種類の周波数ドメイン情報、無認可スペクトルの１つ又は複数の種類の時間−周波数情報、及び、無認可スペクトルの１つ又は複数のセットの時間−周波数ドメインの情報画像をさらに含んでよいことが留意されるべきである。無認可スペクトルは、第１事前設定範囲又は第２事前設定範囲にある。時間ドメイン表示情報は、無認可スペクトルの継続時間情報及び時間決定情報の何れか又は両方を示すのに用いられる。時間決定情報は、現在の時刻が無認可スペクトルを検出する時間内であるか否かを示すのに用いられる。時間ドメイン表示情報は、時間−周波数−空間符号ドメイン情報、時間ドメイン情報、時間−周波数情報、又は時間−周波数ドメインの情報画像、のうち１つ又はこれらの組み合わせを含んでよい。時間−周波数−空間符号ドメイン情報は、時間ドメイン情報、周波数ドメイン情報、時間−周波数情報、又は空間符号情報、のうち１つ又はこれらの組み合わせを含んでよい。継続時間情報は、開始時間、終了時間、及び開始時間と終了時間との間の期間を含んでよい。現在の時刻は、無線フレーム、サブフレーム、又はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重方式技術）シンボル長、のうち１つ又はこれらの組み合わせを含んでよい。
【０１５４】
さらに、第１検出設定情報は第１報告条件をさらに含んでよく、これにより、ユーザ機器は、第１報告条件に従って第１検出結果を基地局に送信する。具体的には、第１報告条件は、無認可スペクトルの信号品質が第１事前設定閾値より高いこと、無認可スペクトルの信号品質が第２事前設定閾値より低いこと、又は検出期間が事前設定されていること、のうち１つ又はこれらの組み合わせを含んでよい。
【０１５５】
さらに、第１スペクトル情報は、当該基地局を除く別の基地局の無認可スペクトル情報、ＯＡＭにより設定された無認可スペクトル情報、又はＷｉＦｉの無認可スペクトル情報、のうち１つ又はこれらの組み合わせを含んでよい。
【０１５６】
さらに、第１決定ユニット１０３は、当該基地局を除く別の基地局の無認可スペクトル情報、ＯＡＭにより設定された無認可スペクトル情報、ＷｉＦｉの無認可スペクトル情報、又は第１検出結果、のうち１つ又はこれらの組み合わせに従って、第２事前設定範囲における無認可スペクトル情報から候補となる無認可スペクトル情報を選択し、候補となる無認可スペクトル情報から、利用可能な無認可スペクトル情報として、第１事前設定条件に基づいてスペクトル情報を選択するよう特に構成されてよい。
【０１５７】
第１事前設定条件は、最高エネルギーのスペクトル情報であってよい。
【０１５８】
さらに、送信ユニット１０４は、第２検出設定情報をユーザ機器に送信し、これにより、ユーザ機器は、第２検出設定情報に従って利用可能な無認可スペクトルのリソースセクションの信号品質を検出して、第２検出結果を取得するようさらに構成されてよい。
【０１５９】
第２検出設定情報は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、利用可能な無認可スペクトルの１つ又は複数のセットの時間−周波数ドメインの情報画像、又は、第３参照信号の設定情報、のうち１つ又はこれらの組み合わせを含んでよく、第３参照信号の設定情報は、第３参照信号のタイプ情報、時間−周波数−空間符号ドメイン情報、シーケンスフォーマット、又はシーケンスによって生成されたパラメータ情報、のうち１つ又はこれらの組み合わせを含んでよい。時間ドメイン表示情報は、利用可能な無認可スペクトルの継続時間情報及び時間決定情報の何れか又は両方を示すのに用いられ、時間決定情報は、現在の時刻が無認可スペクトルを検出する時間内であるか否かを示すのに用いられ、時間ドメイン表示情報は、時間−周波数−空間符号ドメイン情報、時間ドメイン情報、時間−周波数情報、又は時間−周波数ドメインの情報画像、のうち１つ又はこれらの組み合わせを含んでよい。時間−周波数−空間符号ドメイン情報は、時間ドメイン情報、周波数ドメイン情報、時間−周波数情報、又は空間符号情報、のうち１つ又はこれらの組み合わせを含んでよい。継続時間情報は、開始時間、終了時間、及び開始時間と終了時間との間の期間を含んでよい。現在の時刻は、無線フレーム、サブフレーム、又はＯＦＤＭシンボル長、のうち１つ又はこれらの組み合わせを含んでよい。無認可スペクトルは、複数の未使用の無認可スペクトルのうち１つ又はこれらの組み合わせを含んでよい。
【０１６０】
受信ユニット１０１は、ユーザ機器により送信された第２検出結果を受信するようさらに構成されてよい。
【０１６１】
さらに、図２に示されるように、基地局１０は、第２検出結果に従って、ユーザ機器にスケジューリング及び／又はモビリティ管理を実行するよう構成された処理ユニット１０５をさらに含んでよい。
【０１６２】
さらに、図２に示されるように、基地局１０は、時間ドメイン情報、周波数ドメイン情報、時間−周波数情報、又は時間−周波数ドメインの情報画像、のうち１つ又はこれらの組み合わせに従って、対応する送信電力を選択するよう構成された選択ユニット１０６をさらに含んでよい。
【０１６３】
図３に示されるように、処理ユニット１０５は、第２検出結果に従って利用可能な無認可スペクトルの第１リソースセクションを決定するよう構成された決定サブユニット１０５１と、送信電力に従って第１リソースセクションをユーザ機器に送信するよう構成された送信サブユニット１０５２とをさらに含んでよい。
【０１６４】
第２検出設定情報は第２報告条件をさらに含んでよく、これにより、ユーザ機器は、第２報告条件が満たされる場合、第２検出結果を基地局に送信する。第２報告条件は、サービングセルの信号品質が第１絶対閾値より高いこと、サービングセルの信号品質が第２絶対閾値より低いこと、隣接セルの信号品質が、事前設定オフセット値だけサービングセルの信号品質より高いこと、隣接セルの信号品質が第３絶対閾値より高いこと、サービングセルの信号品質が第４絶対閾値より低く且つ隣接セルの信号品質が第５絶対閾値より高いこと、又は、隣接セルの信号品質がサービングセルの信号品質より高いこと、のうち１つ又はこれらの組み合わせを含んでよい。
【０１６５】
サービングセルは、利用可能な無認可スペクトルのセル及び／又は設定済みセルを含んでよく、サービングセルは、利用可能な認可スペクトルのセルをさらに含んでよく、設定済みセルは、ＯＡＭにより設定された無認可スペクトル情報に設定された、無認可スペクトルのセルである。隣接セルは、ユーザ機器により用いられていない無認可スペクトルのセルを含んでよく、又は、隣接セルは、非占有の無認可スペクトルが存在するサービングセルを除くセルであってよい。第１絶対閾値、第２絶対閾値、第３絶対閾値、第４絶対閾値、及び第５絶対閾値は、無認可スペクトルの複数の異なるレベルのセルを区別するのに用いられる絶対値である。
【０１６６】
さらに、送信ユニット１０４は、ＲＲＣ層シグナリング、ＭＡＣ層制御エレメント、物理層コマンド、ブロードキャスト情報、又はシステムメッセージ、のうち１つ又はこれらの組み合わせを用いて、第２検出設定情報を送信するよう特に構成されてよい。
【０１６７】
任意選択で、第２検出結果は、利用可能な無認可スペクトルにおけるリソースセクションの信号品質情報を含んでよく、信号品質情報は、リソースセクションの信号品質を示すのに用いられる。任意選択で、第２検出結果は、利用可能な無認可スペクトルにおけるリソースセクションの信号品質情報に対応する指標値を含んでよく、信号品質情報は、リソースセクションの信号品質を示すのに用いられる。
【０１６８】
それに応じて、決定サブユニット１０５１は、利用可能な無認可スペクトルにおけるリソースセクションの信号品質に従って、第２事前設定条件に基づく信号品質を取得し、第２事前設定条件に基づく信号品質に従って、利用可能な無認可スペクトルの、第２事前設定条件に基づく信号品質に対応するリソースセクションを取得して、無認可スペクトルの第１リソースセクションとしてリソースセクションを用いること、又は、利用可能な無認可スペクトルにおけるリソースセクションの信号品質情報に対応する指標値に従って、第３事前設定条件に基づく信号品質を取得し、第３事前設定条件に基づく指標値に従って、利用可能な無認可スペクトルの、第３事前設定条件に基づく指標値に対応するリソースセクションを取得して、無認可スペクトルの第１リソースセクションとしてリソースセクションを用いることを行うよう特に構成されてよい。
【０１６９】
信号品質は干渉比であり、第２事前設定条件は干渉比範囲であり、第３事前設定条件は干渉比範囲に対応する指標値範囲であることが好ましい。
【０１７０】
別の態様に従って、本発明の一実施形態がユーザ機器２０を提供し、図４に示されるように、ユーザ機器２０は、第１検出ユニット２０１、送信ユニット２０２、及び受信ユニット２０３を含んでよい。
【０１７１】
第１検出ユニット２０１は、第１検出設定情報に従って第１事前設定範囲における無認可スペクトル情報を検出して、第１検出結果を取得するよう構成され、第１検出結果は、無認可スペクトルの信号品質及び／又は第１事前設定範囲におけるスペクトル情報を含んでよい。
【０１７２】
任意選択で、第１検出設定情報は第２事前設定範囲を含んでよい。
【０１７３】
任意選択で、第１検出設定情報は第２参照信号の設定情報も含んでよく、第２参照信号の設定情報は、第２参照信号のタイプ情報、時間−周波数−空間符号ドメイン情報、シーケンスフォーマット、又はシーケンスパラメータ情報、のうち１つ又はこれらの組み合わせを含んでよい。
【０１７４】
さらに、第１検出設定情報は、無認可スペクトルの１つ又は複数の種類の時間ドメイン情報、無認可スペクトルの１つ又は複数の種類の周波数ドメイン情報、無認可スペクトルの１つ又は複数の種類の時間−周波数情報、及び、無認可スペクトルの１つ又は複数のセットの時間−周波数ドメインの情報画像をさらに含んでよく、無認可スペクトルは、第１事前設定範囲又は第２事前設定範囲にある。時間ドメイン表示情報は、無認可スペクトルの継続時間情報及び時間決定情報の何れか又は両方を示すのに用いられ、時間決定情報は、現在の時刻が無認可スペクトルを検出する時間内であるか否かを示すのに用いられ、時間ドメイン表示情報は、時間−周波数−空間符号ドメイン情報、時間ドメイン情報、時間−周波数情報、又は時間−周波数ドメインの情報画像、のうち１つ又はこれらの組み合わせを含んでよい。時間−周波数−空間符号ドメイン情報は、時間ドメイン情報、周波数ドメイン情報、時間−周波数情報、又は空間符号情報、のうち１つ又はこれらの組み合わせを含んでよい。継続時間情報は、開始時間、終了時間、又は開始時間と終了時間との間の期間、のうち１つ又はこれらの組み合わせを含んでよい。現在の時刻は、無線フレーム、サブフレーム、又はＯＦＤＭシンボル長、のうち１つ又はこれらの組み合わせを含んでよい。
【０１７５】
無認可スペクトルの信号品質は、無認可スペクトルのエネルギー、又は無認可スペクトルにおける第２参照信号の信号品質を含んでよい。
【０１７６】
送信ユニット２０２は、第１検出ユニットにより取得された第１検出結果を基地局に送信し、これにより、基地局は、第１スペクトル情報を取得した後に、第１スペクトル情報及び第１検出結果に従って利用可能な無認可スペクトル情報を決定するよう構成される。
【０１７７】
受信ユニット２０３は、基地局により送信された利用可能な無認可スペクトル情報を受信するよう構成される。
【０１７８】
利用可能な無認可スペクトル情報は、利用可能な無認可スペクトルの範囲情報、及び／又は、利用可能な無認可スペクトルにおける第１参照信号を含んでよい。
【０１７９】
このように、ユーザ機器は、第１検出設定情報に従って第１事前設定範囲における無認可スペクトルを検出して、第１検出結果を取得し、基地局は、基地局に格納された第１スペクトル情報、及び／又は、ユーザ機器により送信された第１検出結果に従って、利用可能な無認可スペクトル情報を決定し得る。利用可能な無認可スペクトル情報は、大部分のユーザの要求を満たし得て、ユーザ機器は、利用可能な無認可スペクトルにおいて比較的高い品質の信号を受信することにより、ユーザ機器の正常動作を保証し得る。
【０１８０】
さらに、第１検出情報は第１報告条件をさらに含んでよく、送信ユニット２０２は、第１報告条件が満たされる場合、第１検出結果を基地局に送信するよう特に構成され、第１報告条件は、無認可スペクトルの信号品質が第１事前設定閾値より高いこと、無認可スペクトルの信号品質が第２事前設定閾値より低いこと、又は検出期間が事前設定されていること、のうち１つ又はこれらの組み合わせを含んでよい。
【０１８１】
任意選択で、第１検出設定情報は、ユーザ機器により事前設定される設定情報であってよく、又は基地局により事前設定される設定情報であってもよい。第１検出設定情報が基地局により事前設定される設定情報である場合、受信ユニット２０３は、基地局により送信された第１検出設定情報を受信するようさらに構成される。
【０１８２】
受信ユニット２０３は、基地局により送信された第２検出設定情報を受信するよう構成され、第２検出設定情報は、利用可能な無認可スペクトルの複数の種類の時間ドメイン情報、利用可能な無認可スペクトルの複数の種類の周波数ドメイン情報、又は利用可能な無認可スペクトルにおける第３参照信号の設定情報、のうち１つ又はこれらの組み合わせを含んでよく、又は、第２検出設定情報は、同じ利用可能な無認可スペクトル用の１つ又は複数のセットの時間−周波数ドメインの情報画像を含んでよい。時間ドメイン表示情報は、利用可能な無認可スペクトルの継続時間情報及び時間決定情報の何れか又は両方を示すのに用いられ、時間決定情報は、現在の時刻が利用可能な無認可スペクトルを検出する時間内であるか否かを示すのに用いられ、時間ドメイン表示情報は、時間−周波数−空間符号ドメイン情報、時間ドメイン情報、時間−周波数情報、又は時間−周波数ドメインの情報画像、のうち１つ又はこれらの組み合わせを含んでよい。
【０１８３】
さらに、受信ユニット２０３は、ＲＲＣ層シグナリング、ＭＡＣ層制御エレメント、物理層コマンド、ブロードキャスト情報、又はシステムメッセージ、のうち１つ又はこれらの組み合わせを用いて、基地局により送信される第２検出設定情報を受信するよう特に構成される。
【０１８４】
さらに、図５に示されるように、ユーザ機器２０は、受信ユニット２０３により受信された第２検出設定情報に従って、利用可能な無認可スペクトルのリソースセクションを検出して、第２検出結果を取得するよう構成された第２検出ユニット２０４をさらに含んでよい。
【０１８５】
さらに、図４に示されるように、送信ユニット２０２は、第２検出結果を基地局に送信し、これにより、基地局は、第２測定結果に従って利用可能な無認可スペクトルにおける第１リソースセクションを決定するよう構成され、受信ユニット２０３は、基地局により送信された第１リソースセクションを受信するよう構成され、ユーザ機器２０は、第１リソースセクションにおいてデータ伝送を実行するよう構成された伝送ユニット２０５をさらに含んでよい。
【０１８６】
第２検出設定情報は第２報告条件をさらに含んでよく、さらに、送信ユニット２０２は、第２報告条件が満たされる場合、第２検出結果を基地局に送信するよう特に構成される。第２報告条件は、サービングセルの信号品質が第１絶対閾値より高いこと、サービングセルの信号品質が第２絶対閾値より低いこと、隣接セルの信号品質が、事前設定オフセット値だけサービングセルの信号品質より高いこと、隣接セルの信号品質が第３絶対閾値より高いこと、サービングセルの信号品質が第４絶対閾値より低く且つ隣接セルの信号品質が第５絶対閾値より高いこと、又は、隣接セルの信号品質がサービングセルの信号品質より高いこと、のうち１つ又はこれらの組み合わせを含んでよい。
【０１８７】
サービングセルは、利用可能な無認可スペクトルのセル及び／又は設定済みセルを含んでよく、サービングセルは利用可能な認可スペクトルのセルをさらに含んでよく、設定済みセルは、ＯＡＭにより設定された無認可スペクトル情報に設定された、無認可スペクトルのセルである。隣接セルは、ユーザ機器により用いられていない無認可スペクトルのセルを含んでよく、又は、隣接セルは、非占有の無認可スペクトルが存在するサービングセルを除くセルであってよい。第１絶対閾値、第２絶対閾値、第３絶対閾値、第４絶対閾値、及び第５絶対閾値は、無認可スペクトルの複数の異なるレベルのセルを区別するのに用いられる絶対値である。
【０１８８】
さらに、第２検出設定情報は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、利用可能な無認可スペクトルの１つ又は複数のセットの時間−周波数ドメインの情報画像、又は、利用可能な無認可スペクトルにおける第３参照信号の設定情報、のうち１つ又はこれらの組み合わせを含んでよい。
【０１８９】
任意選択で、第２検出設定情報が、利用可能な無認可スペクトルの１つ又は複数の種類の時間ドメイン情報、利用可能な無認可スペクトルの１つ又は複数の種類の時間−周波数情報、又は、利用可能な無認可スペクトルの１つ又は複数のセットの時間−周波数ドメインの情報画像、のうち１つ又はこれらの組み合わせを含んでよい場合、第２検出ユニット２０４は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、又は利用可能な無認可スペクトルの１つ又は複数のセットの時間−周波数ドメインの情報画像、のうち１つ又はこれらの組み合わせに従って、利用可能な無認可スペクトルの検出される予定のリソースセクションを決定し、利用可能な無認可スペクトルのリソースセクションの信号品質を検出し、利用可能な無認可スペクトルのリソースセクションの信号品質を第２検出結果として用い、又は、指標値と信号品質情報との間の事前設定された対応関係に従って、利用可能な無認可スペクトルのリソースセクションの信号品質に対応する指標値を第２検出結果として用い、これにより、基地局は、第２検出結果に従って利用可能な無認可スペクトルの第１リソースセクションを決定するよう特に構成される。
【０１９０】
任意選択で、第２検出設定情報が第３参照信号の設定情報を含んでよい場合、第２検出ユニット２０４は、第３参照信号の設定情報に従って、利用可能な無認可スペクトルの、第３参照信号が位置するリソースセクションを決定し、利用可能な無認可スペクトルのリソースセクションにおける第３参照信号の信号品質を検出し、利用可能な無認可スペクトルのリソースセクションにおける第３参照信号の信号品質を第２検出結果として用い、これにより、基地局は、第２検出結果に従って利用可能な無認可スペクトルの第１リソースセクションを決定する、又は、指標値と信号品質情報との間の事前設定された対応関係に従って、利用可能な無認可スペクトルのリソースセクションにおける第３参照信号の信号品質に対応する指標値を第２検出結果として用い、これにより、基地局は、第２検出結果に従って利用可能な無認可スペクトルの第１リソースセクションを決定するよう特に構成される。
【０１９１】
さらに、送信ユニット２０２は、ユーザ機器のＲＲＣ層シグナリング、ＭＡＣ層制御エレメント、物理層コマンド、ブロードキャスト情報、又はシステムメッセージ、のうち１つ又はこれらの組み合わせを用いて、第２設定結果を基地局に送信するよう特に構成される。
【０１９２】
このように、基地局は、複数の群の時間ドメイン情報、複数の群の周波数ドメイン情報、複数のセットの時間−周波数ドメインの情報画像、又は第３参照信号の設定情報、のうち１つ又はこれらの組み合わせに従って、第１リソースセクションを決定し、より正確なスペクトルリソースを取得し得る。
【０１９３】
さらに別の態様に従って、図６は、本発明の一実施形態によるさらに別の基地局の概略構造図である。基地局１０は、プロセッサ３０１、メモリ３０２、送信器３０４、受信器３０５、及び、基地局１０の内部の複数のデバイスを接続するのに用いられる複数の通信バス３０３のうち１つ又はこれらの組み合わせを含んでよく、複数の通信バスは、複数のデバイス間の接続及び相互通信を実装するのに用いられる。
【０１９４】
通信バス３０３は、業界標準アーキテクチャ（Ｉｎｄｕｓｔｒｙ  Ｓｔａｎｄａｒｄ  Ａｒｃｈｉｔｅｃｔｕｒｅ、略してＩＳＡ）バス、ペリフェラル・コンポーネント・インターコネクト（Ｐｅｒｉｐｈｅｒａｌ  Ｃｏｍｐｏｎｅｎｔ、略してＰＣＩ）バス、拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、略してＥＩＳＡ）バスなどであってよい。バス３０５は、アドレスバス、データバス、制御バスなどに分類されてよい。
【０１９５】
メモリ３０２は、リード・オンリ・メモリ及びランダム・アクセス・メモリを含んでよく、命令及びデータをプロセッサ３０３に提供する。
【０１９６】
プロセッサ３０１は、中央処理装置（Ｃｅｎｔｒａｌ  Ｐｒｏｃｅｓｓｉｎｇ  Ｕｎｉｔ、略してＣＰＵ）、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）、又は本発明の実施形態を実装するよう構成された１つ又は複数の集積回路であってよい。
【０１９７】
受信器３０５は、ユーザ機器により送信された第１検出結果を受信するよう構成され、第１検出結果は、第１事前設定範囲における無認可スペクトルの信号品質、及び／又は、第１事前設定範囲におけるスペクトル情報を含んでよい。
【０１９８】
任意選択で、無認可スペクトルの信号品質は、無認可スペクトルのエネルギー、又は無認可スペクトルにおける第２参照信号の信号品質を含んでよい。任意選択で、第１検出設定情報は第２事前設定範囲を含んでよい。
【０１９９】
任意選択で、第１検出設定情報は第２参照信号の設定情報を含んでよく、第２参照信号の設定情報は、第２参照信号のタイプ情報、時間−周波数−空間符号ドメイン情報、シーケンスフォーマット、又はシーケンスパラメータ情報、のうち１つ又はこれらの組み合わせを含んでよい。第１検出設定情報は第１報告条件をさらに含んでよく、これにより、ユーザ機器は、第１報告条件が満たされる場合、第１検出結果を基地局に送信し、第１報告条件は、無認可スペクトルの信号品質が第１事前設定閾値より高いこと、無認可スペクトルの信号品質が第２事前設定閾値より低いこと、又は検出期間が事前設定されていること、のうち１つ又はこれらの組み合わせを含んでよい。
【０２００】
プロセッサ３０１は、第１スペクトル情報を取得し、第１スペクトル情報及び／又は第１検出結果に従って、利用可能な無認可スペクトル情報を決定するよう構成される。
【０２０１】
送信器３０４は、利用可能な無認可スペクトル情報をユーザ機器に送信するよう構成される。利用可能な無認可スペクトル情報は、利用可能な無認可スペクトルの範囲情報、及び／又は、利用可能な無認可スペクトルにおける第１参照信号を含んでよい。
【０２０２】
送信器３０４は、第１検出設定情報をユーザ機器に送信する段階をさらに含んでよく、これにより、ユーザ機器は、第１検出設定情報に従って第１事前設定範囲における無認可スペクトルを検出して、第１測定結果を取得する。
【０２０３】
さらに、第１スペクトル情報は、当該基地局を除く別の基地局の無認可スペクトル情報、ＯＡＭにより設定された無認可スペクトル情報、又はＷｉＦｉの無認可スペクトル情報、のうち１つ又はこれらの組み合わせを含んでよい。
【０２０４】
さらに、プロセッサ３０１は、当該基地局を除く別の基地局の無認可スペクトル情報、ＯＡＭにより設定された無認可スペクトル情報、ＷｉＦｉの無認可スペクトル情報、又は第１検出結果、のうち１つ又はこれらの組み合わせに従って、第２事前設定範囲における無認可スペクトル情報から候補となる無認可スペクトル情報を選択し、候補となる無認可スペクトル情報から、利用可能な無認可スペクトル情報として、第１事前設定条件に基づいてスペクトル情報を選択するよう特に構成されてよい。
【０２０５】
第１事前設定条件は、最高エネルギーのスペクトル情報であることが好ましい。
【０２０６】
さらに、送信器３０４は、第２検出設定情報をユーザ機器に送信し、これにより、ユーザ機器は、第２検出設定情報に従って利用可能な無認可スペクトルのリソースセクションの信号品質を検出して、第２検出結果を取得するようさらに構成されてよい。
【０２０７】
第２検出設定情報は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、利用可能な無認可スペクトルの１つ又は複数のセットの時間−周波数ドメインの情報画像、又は、第３参照信号の設定情報、のうち１つ又はこれらの組み合わせを含んでよく、第３参照信号の設定情報は、第３参照信号のタイプ情報、時間−周波数−空間符号ドメイン情報、シーケンスフォーマット、又はシーケンスによって生成されたパラメータ情報、のうち１つ又はこれらの組み合わせを含んでよい。時間ドメイン表示情報は、利用可能な無認可スペクトルの継続時間情報及び時間決定情報の何れか又は両方を示すのに用いられ、時間決定情報は、現在の時刻が利用可能な無認可スペクトルを検出する時間内であるか否かを示すのに用いられ、時間ドメイン表示情報は、時間−周波数−空間符号ドメイン情報、時間ドメイン情報、時間−周波数情報、又は時間−周波数ドメインの情報画像、のうち１つ又はこれらの組み合わせを含んでよい。継続時間情報は、開始時間、終了時間、又は開始時間と終了時間との間の期間、のうち１つ又はこれらの組み合わせを含んでよい。現在の時刻は、無線フレーム、サブフレーム、又はＯＦＤＭシンボル長、のうち１つ又はこれらの組み合わせを含んでよい。利用可能な無認可スペクトルは、無認可スペクトルまでさらに拡張されてよい。無認可スペクトルは、利用可能でない無認可スペクトルを含んでよい。無認可スペクトルは、複数の未使用の無認可スペクトルのうち１つ又はこれらの組み合わせをさらに含んでよい。
【０２０８】
送信器３０４は、ＲＲＣ層シグナリング、ＭＡＣ層制御エレメント、物理層コマンド、ブロードキャスト情報、又はシステムメッセージ、のうち１つ又はこれらの組み合わせを用いて、第２検出設定情報を送信するよう特に構成されてよい。
【０２０９】
受信器３０５は、ユーザ機器により送信された第２検出結果を受信するようさらに構成されてよい。
【０２１０】
プロセッサ３０１は、第２検出結果に従って、ユーザ機器にスケジューリング及び／又はモビリティ管理を実行するようさらに構成されてよい。
【０２１１】
さらに、プロセッサ３０１は、時間ドメイン情報、周波数ドメイン情報、時間−周波数情報、又は時間−周波数ドメインの情報画像、のうち１つ又はこれらの組み合わせに従って、対応する送信電力を選択するようさらに構成されてよい。
【０２１２】
プロセッサ３０２は、第２検出結果に従って第１リソースセクションを決定するようさらに構成されてよい。
【０２１３】
送信器３０４は、送信電力に従って、第１リソースセクションをユーザ機器に送信するようさらに構成されてよい。
【０２１４】
第２検出設定情報は第２報告条件をさらに含んでよく、これにより、ユーザ機器は、第２報告条件が満たされる場合、第２検出結果を基地局に送信する。第２報告条件は、サービングセルの信号品質が第１絶対閾値より高いこと、サービングセルの信号品質が第２絶対閾値より低いこと、隣接セルの信号品質が、事前設定オフセット値だけサービングセルの信号品質より高いこと、隣接セルの信号品質が第３絶対閾値より高いこと、サービングセルの信号品質が第４絶対閾値より低く且つ隣接セルの信号品質が第５絶対閾値より高いこと、又は、隣接セルの信号品質がサービングセルの信号品質より高いこと、のうち１つ又はこれらの組み合わせを含んでよい。
【０２１５】
サービングセルは、利用可能な無認可スペクトルのセル及び／又は設定済みセルを含んでよく、サービングセルは、利用可能な認可スペクトルのセルをさらに含んでよく、設定済みセルは、ＯＡＭにより設定された無認可スペクトル情報に設定された、無認可スペクトルのセルである。隣接セルは、ユーザ機器により用いられていない無認可スペクトルのセルを含んでよく、又は、隣接セルは、非占有の無認可スペクトルが存在するサービングセルを除くセルであってよい。第１絶対閾値、第２絶対閾値、第３絶対閾値、第４絶対閾値、及び第５絶対閾値は、無認可スペクトルの複数の異なるレベルのセルを区別するのに用いられる絶対値である。
【０２１６】
任意選択で、第２検出結果は、利用可能な無認可スペクトルにおけるリソースセクションの信号品質情報を含んでよく、信号品質情報は、リソースセクションの信号品質を示すのに用いられる。
【０２１７】
任意選択で、第２検出結果は、利用可能な無認可スペクトルにおけるリソースセクションの信号品質情報に対応する指標値を含んでよく、信号品質情報は、リソースセクションの信号品質を示すのに用いられる。
【０２１８】
プロセッサ３０１は、利用可能な無認可スペクトルにおけるリソースセクションの信号品質に従って、第２事前設定条件に基づく信号品質を取得し、第２事前設定条件に基づく信号品質に従って、利用可能な無認可スペクトルの、第２事前設定条件に基づく信号品質に対応するリソースセクションを取得し、無認可スペクトルの第１リソースセクションとしてリソースセクションを用いること、又は、利用可能な無認可スペクトルにおけるリソースセクションの信号品質情報に対応する指標値に従って、第３事前設定条件に基づく信号品質を取得し、第３事前設定条件に基づく指標値に従って、利用可能な無認可スペクトルの、第３事前設定条件に基づく指標値に対応するリソースセクションを取得し、無認可スペクトルの第１リソースセクションとしてリソースセクションを用いることを行うよう特に構成されてよい。
【０２１９】
信号品質は干渉比であり、第２事前設定条件は干渉比範囲であり、第３事前設定条件は干渉比範囲に対応する指標値範囲であることが好ましい。
【０２２０】
このように、基地局は、基地局に格納された第１スペクトル情報、及び／又は、ユーザ機器により送信された第１検出結果に従って、利用可能な無認可スペクトル情報を決定し得る。利用可能な無認可スペクトル情報は、大部分のユーザの要求を満たし得て、ユーザ機器は、利用可能な無認可スペクトルにおいて比較的高い品質の信号を受信することにより、ユーザ機器の正常動作を保証し得る。
【０２２１】
図７は、本発明の一実施形態によるさらに別のユーザ機器の概略図である。図に示されるように、ユーザ機器２０は、プロセッサ４０１、メモリ４０２、送信器４０４、受信器４０５、及び、ユーザ機器２０の内部の複数のデバイスを接続するのに用いられる複数の通信バス４０３のうち１つ又はこれらの組み合わせを含んでよく、複数の通信バスは、複数のデバイス間の接続及び相互通信を実装するのに用いられる。
【０２２２】
通信バス４０３は、業界標準アーキテクチャ（Ｉｎｄｕｓｔｒｙ  Ｓｔａｎｄａｒｄ  Ａｒｃｈｉｔｅｃｔｕｒｅ、略してＩＳＡ）バス、ペリフェラル・コンポーネント・インターコネクト（Ｐｅｒｉｐｈｅｒａｌ  Ｃｏｍｐｏｎｅｎｔ、略してＰＣＩ）バス、拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、略してＥＩＳＡ）バスなどであってよい。バス４０５は、アドレスバス、データバス、制御バスなどに分類されてよい。
【０２２３】
メモリ４０２は、リード・オンリ・メモリ及びランダム・アクセス・メモリを含んでよく、命令及びデータをプロセッサ４０３に提供する。
【０２２４】
プロセッサ４０１は、中央処理装置（Ｃｅｎｔｒａｌ  Ｐｒｏｃｅｓｓｉｎｇ  Ｕｎｉｔ、略してＣＰＵ）、又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）、又は本発明の実施形態を実装するよう構成された１つ又は複数の集積回路であってよい。
【０２２５】
プロセッサ４０１は、第１検出設定情報に従って第１事前設定範囲における無認可スペクトル情報を検出して、第１検出結果を取得するよう構成され、第１検出結果は、無認可スペクトルの信号品質及び／又は第１事前設定範囲におけるスペクトル情報を含んでよい。
【０２２６】
送信器４０４は、第１検出結果を基地局に送信し、これにより、基地局は、第１スペクトル情報を取得した後に、第１スペクトル情報及び第１検出結果に従って利用可能な無認可スペクトル情報を決定するよう構成される。
【０２２７】
受信器４０５は、基地局により送信された利用可能な無認可スペクトル情報を受信するよう構成される。
【０２２８】
利用可能な無認可スペクトル情報は、利用可能な無認可スペクトルの範囲情報、及び／又は、利用可能な無認可スペクトルにおける第１参照信号を含んでよい。無認可スペクトルの信号品質は、無認可スペクトルのエネルギー、又は無認可スペクトルにおける第２参照信号の信号品質を含んでよい。第１検出設定情報は第２事前設定範囲を含んでよく、第１検出設定情報は第２参照信号の設定情報も含んでよく、第２参照信号の設定情報は、第２参照信号のタイプ情報、時間−周波数−空間符号ドメイン情報、シーケンスフォーマット、又はシーケンスパラメータ情報、のうち１つ又はこれらの組み合わせを含んでよい。
【０２２９】
第１検出情報は第１報告条件をさらに含んでよく、送信器は、第１報告条件が満たされる場合、第１検出結果を基地局に送信するよう特に構成されてよく、第１報告条件は、無認可スペクトルの信号品質が第１事前設定閾値より高いこと、無認可スペクトルの信号品質が第２事前設定閾値より低いこと、又は検出期間が事前設定されていること、のうち１つ又はこれらの組み合わせを含んでよい。第１検出設定情報は、ユーザ機器により事前設定される設定情報、又は基地局により事前設定される設定情報である。
【０２３０】
第１検出設定情報が、基地局により事前設定される設定情報である場合、受信器４０５は、基地局により送信された第１検出設定情報を受信し、基地局により送信された第２検出設定情報を受信するようさらに構成されてよく、第２検出設定情報は、利用可能な無認可スペクトルの複数の種類の時間ドメイン情報、利用可能な無認可スペクトルの複数の種類の周波数ドメイン情報、利用可能な無認可スペクトルの１つ又は複数のセットの時間−周波数ドメインの情報画像、又は利用可能な無認可スペクトルにおける第３参照信号の設定情報、のうち１つ又はこれらの組み合わせを含んでよい。
【０２３１】
プロセッサ４０１は、第２検出設定情報に従って利用可能な無認可スペクトルのリソースセクションを検出して、第２検出結果を取得するようさらに構成されてよい。
【０２３２】
受信器４０５は、ＲＲＣ層シグナリング、ＭＡＣ層制御エレメント、物理層コマンド、ブロードキャスト情報、又はシステムメッセージ、のうち１つ又はこれらの組み合わせを用いて、基地局により送信される第２検出設定情報を受信するようさらに構成されてよい。
【０２３３】
時間ドメイン表示情報は、利用可能な無認可スペクトルの継続時間情報及び時間決定情報の何れか又は両方を示すのに用いられ、時間決定情報は、現在の時刻が利用可能な無認可スペクトルを検出する時間内であるか否かを示すのに用いられ、時間ドメイン表示情報は、時間−周波数−空間符号ドメイン情報、時間ドメイン情報、時間−周波数情報、又は時間−周波数ドメインの情報画像、のうち１つ又はこれらの組み合わせを含んでよい。
【０２３４】
送信器４０４は、第２検出結果を基地局に送信し、これにより、基地局は、第２測定結果に従って利用可能な無認可スペクトルの第１リソースセクションを決定するようさらに構成されてよい。
【０２３５】
受信器４０５は、基地局により送信された第１リソースセクションを受信するようさらに構成されてよい。
【０２３６】
プロセッサ４０１は、第１リソースセクションにおいてデータ伝送を実行するようさらに構成されてよい。
【０２３７】
第２検出設定情報は第２報告条件をさらに含んでよく、送信器４０４は、第２報告条件が満たされる場合、第２検出結果を基地局に送信するよう特に構成されてよい。第２報告条件は、サービングセルの信号品質が第１絶対閾値より高いこと、サービングセルの信号品質が第２絶対閾値より低いこと、隣接セルの信号品質が、事前設定オフセット値だけサービングセルの信号品質より高いこと、隣接セルの信号品質が第３絶対閾値より高いこと、サービングセルの信号品質が第４絶対閾値より低く且つ隣接セルの信号品質が第５絶対閾値より高いこと、又は、隣接セルの信号品質がサービングセルの信号品質より高いこと、のうち１つ又はこれらの組み合わせを含んでよい。
【０２３８】
サービングセルは、利用可能な無認可スペクトルのセル及び／又は設定済みセルを含んでよく、サービングセルは利用可能な認可スペクトルのセルをさらに含んでよく、設定済みセルは、ＯＡＭにより設定された無認可スペクトル情報に設定された、無認可スペクトルのセルである。隣接セルは、ユーザ機器により用いられていない無認可スペクトルのセルを含んでよく、又は、隣接セルは、非占有の無認可スペクトルが存在するサービングセルを除くセルであってよい。第１絶対閾値、第２絶対閾値、第３絶対閾値、第４絶対閾値、及び第５絶対閾値は、無認可スペクトルの複数の異なるレベルのセルを区別するのに用いられる絶対値である。
【０２３９】
別の第２検出設定情報が別の第２検出結果に対応することが留意されるべきである。
【０２４０】
具体的には、別の第２検出設定情報に従って、プロセッサ４０１は、以下の複数の方法の何れかで、第２検出設定情報に従って利用可能な無認可スペクトルのリソースセクションを検出して、第２検出結果を取得する。
【０２４１】
第１の方法。
【０２４２】
第２検出設定情報が、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、又は、利用可能な無認可スペクトルの１つ又は複数のセットの時間−周波数ドメインの情報画像、のうち１つ又はこれらの組み合わせを含む場合、プロセッサ４０１は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、又は利用可能な無認可スペクトルの１つ又は複数のセットの時間−周波数ドメインの情報画像、のうち１つ又はこれらの組み合わせに従って、利用可能な無認可スペクトルの検出される予定のリソースセクションを決定し、利用可能な無認可スペクトルのリソースセクションの信号品質を検出し、利用可能な無認可スペクトルのリソースセクションの信号品質を第２検出結果として用い、又は、指標値と信号品質情報との間の事前設定された対応関係に従って、利用可能な無認可スペクトルのリソースセクションの信号品質に対応する指標値を第２検出結果として用い、これにより、基地局は、第２検出結果に従って無認可スペクトルの第１リソースセクションを決定するよう特に構成されてよい。
【０２４３】
第２の方法。
【０２４４】
第２検出設定情報が第３参照信号の設定情報を含んでよい場合、プロセッサ４０１は、第３参照信号の設定情報に従って、利用可能な無認可スペクトルの、第３参照信号が位置するリソースセクションを決定し、利用可能な無認可スペクトルのリソースセクションにおける第３参照信号の信号品質を検出し、利用可能な無認可スペクトルのリソースセクションにおける第３参照信号の信号品質を第２検出結果として用い、これにより、基地局は、第２検出結果に従って利用可能な無認可スペクトルの第１リソースセクションを決定する、又は、指標値と信号品質情報との間の事前設定された対応関係に従って、利用可能な無認可スペクトルのリソースセクションにおける第３参照信号の信号品質に対応する指標値を第２検出結果として用い、これにより、基地局は、第２検出結果に従って利用可能な無認可スペクトルの第１リソースセクションを決定するよう特に構成されてよい。
【０２４５】
さらに、送信器４０４は、ユーザ機器のＲＲＣ層シグナリング、ＭＡＣ層制御エレメント、物理層コマンド、ブロードキャスト情報、又はシステムメッセージ、のうち１つ又はこれらの組み合わせを用いて、第２設定結果を基地局に送信するよう特に構成されてよい。
【０２４６】
このように、ユーザ機器は、第１検出設定情報に従って第１事前設定範囲における無認可スペクトルを検出して、第１検出結果を取得し、基地局は、基地局に格納された第１スペクトル情報、及び／又は、ユーザ機器により送信された第１検出結果に従って、利用可能な無認可スペクトル情報を決定し得る。利用可能な無認可スペクトル情報は、大部分のユーザの要求を満たし得て、ユーザ機器は、利用可能な無認可スペクトルにおいて比較的高い品質の信号を受信することにより、ユーザ機器の正常動作を保証し得る。
【０２４７】
本発明の一実施形態はリソース取得方法を提供し、リソース取得方法は基地局に適用され、図８に示されるように、以下の複数の段階を含んでよい。
【０２４８】
段階５０１：ユーザ機器により送信された第１検出結果を受信し、第１検出結果は、第１事前設定範囲における無認可スペクトルの信号品質、及び／又は、第１事前設定範囲におけるスペクトル情報を含む。
【０２４９】
無認可スペクトルの信号品質は、無認可スペクトルのエネルギー、又は無認可スペクトルにおける第２参照信号の信号品質を含んでよい。無認可スペクトルは、第１事前設定範囲における、未使用の無認可スペクトル、及び／又は、使用された無認可スペクトルを含んでよい。任意選択で、第１検出設定情報は第２事前設定範囲を含んでよい。任意選択で、第１検出設定情報は第２参照信号の設定情報を含んでよく、第２参照信号の設定情報は、第２参照信号のタイプ情報、時間−周波数−空間符号ドメイン情報、シーケンスフォーマット、又はシーケンスパラメータ情報、のうち１つ又はこれらの組み合わせを含んでよい。第１検出設定情報は第１報告条件をさらに含んでよく、これにより、ユーザ機器は、第１報告条件に従って第１検出結果を基地局に送信する。第１報告条件は、無認可スペクトルの信号品質が第１事前設定閾値より高いこと、無認可スペクトルの信号品質が第２事前設定閾値より低いこと、又は検出期間が事前設定されていること、のうち少なくとも１つを含んでよい。具体的には、第１報告条件は、無認可スペクトルの信号品質が第１事前設定閾値より高い場合、及び／又は、無認可スペクトルの信号品質が第２事前設定閾値より低い場合、第１検出結果を基地局に送信するようユーザ機器に命令するのに用いられてよく、及び／又は、第１報告条件は、事前設定された検出期間に従って第１検出結果を基地局に送信するようユーザ機器に命令するのに用いられる。
【０２５０】
第１検出設定情報は、無認可スペクトルの１つ又は複数の種類の時間ドメイン情報、無認可スペクトルの１つ又は複数の種類の周波数ドメイン情報、無認可スペクトルの１つ又は複数の種類の時間−周波数情報、及び、無認可スペクトルの１つ又は複数のセットの時間−周波数ドメインの情報画像をさらに含んでよく、無認可スペクトルは、第１事前設定範囲又は第２事前設定範囲にあることが留意されるべきである。時間ドメイン表示情報は、無認可スペクトルの継続時間情報及び時間決定情報の何れか又は両方を示すのに用いられ、時間決定情報は、現在の時刻が無認可スペクトルを検出する時間内であるか否かを示すのに用いられる。時間−周波数−空間符号ドメイン情報は、時間ドメイン情報、周波数ドメイン情報、時間−周波数情報、又は空間符号情報、のうち１つ又はこれらの組み合わせを含んでよい。継続時間情報は、開始時間、終了時間、及び開始時間と終了時間との間の期間を含んでよい。現在の時刻は、無線フレーム、サブフレーム、又はＯＦＤＭシンボル長、のうち１つ又はこれらの組み合わせを含んでよい。
【０２５１】
段階５０２：第１スペクトル情報を取得する。
【０２５２】
第１スペクトル情報は、当該基地局を除く別の基地局の無認可スペクトル情報、ＯＡＭにより設定された無認可スペクトル情報、又はＷｉＦｉの無認可スペクトル情報、のうち１つ又はこれらの組み合わせを含んでよい。
【０２５３】
段階５０３：第１スペクトル情報及び／又は第１検出結果に従って、利用可能な無認可スペクトル情報を決定する。
【０２５４】
具体的には、基地局は、当該基地局を除く別の基地局の無認可スペクトル情報、ＯＡＭにより設定された無認可スペクトル情報、ＷｉＦｉの無認可スペクトル情報、又は第１検出結果（第１検出結果は、１又は複数のユーザ機器により送信されてよい）、のうち１つ又はこれらの組み合わせに従って、第２事前設定範囲における無認可スペクトル情報から、候補となる無認可スペクトル情報を選択し、候補となる無認可スペクトル情報から、利用可能な無認可スペクトル情報として、第１事前設定条件に基づいてスペクトル情報を選択してよい。第１事前設定条件は、最高エネルギー、最良の信号品質、比較的低い負荷などのスペクトル情報であってよい。第２事前設定範囲は、第１事前設定範囲と同じであってよいことが留意されるべきである。
【０２５５】
段階５０４：利用可能な無認可スペクトル情報をユーザ機器に送信する。
【０２５６】
利用可能な無認可スペクトル情報は、利用可能な無認可スペクトルの範囲情報、及び／又は、利用可能な無認可スペクトルにおける第１参照信号を含んでよい。
【０２５７】
このように、基地局は、基地局に格納された第１スペクトル情報、及び／又は、ユーザ機器により送信された第１検出結果に従って、利用可能な無認可スペクトル情報を決定し得る。利用可能な無認可スペクトル情報は、大部分のユーザの要求を満たし得て、ユーザ機器は、利用可能な無認可スペクトルにおいて比較的高い品質の信号を受信することにより、ユーザ機器の正常動作を保証し得る。
【０２５８】
任意選択で、第１検出設定情報は、ユーザ機器のために基地局により構成される情報であってよく、又は、ユーザ機器自体により構成される情報であってもよい。第１検出設定情報が基地局により構成される場合、それに応じて、ユーザ機器により送信された第１検出結果を受信する段階５０１の前に、リソース取得方法は、基地局により、第１検出設定情報をユーザ機器に送信し、これにより、ユーザ機器は、第１検出設定情報に従って第１事前設定範囲における無認可スペクトルを検出して、第１測定結果を取得する段階をさらに含んでよい。具体的には、基地局は、ＲＲＣ層シグナリング、ＭＡＣ層制御エレメント、物理層コマンド、ブロードキャスト情報、又はシステムメッセージ、のうち１つ又はこれらの組み合わせを用いて、第１検出設定情報を送信する。
【０２５９】
さらに、基地局がより正確な無認可スペクトル周波帯をユーザ機器に割り当てる、又は、基地局がユーザ機器のために無認可スペクトル情報を再選択する場合、段階５０４の後にリソース取得方法は、基地局により第２検出設定情報をユーザ機器に送信し、これにより、ユーザ機器は、第２検出設定情報に従って利用可能な無認可スペクトルのリソースセクションの信号品質を検出して、第２検出結果を取得してよい段階と、ユーザ機器により送信された第２検出結果を、基地局により受信する段階と、次に、第２検出結果に従って、ユーザ機器にスケジューリング及び／又はモビリティ管理を実行する段階とをさらに含んでよい。ユーザ機器は、無認可スペクトルを用いているユーザ機器であってよく、又は、無認可スペクトルを用いる必要があるユーザ機器であってもよいことが留意されるべきである。
【０２６０】
第２検出設定情報は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、利用可能な無認可スペクトルの１つ又は複数のセットの時間−周波数ドメインの情報画像、又は、利用可能な無認可スペクトルにおける第３参照信号の設定情報、のうち１つ又はこれらの組み合わせを含んでよい。第３参照信号の設定情報は、第３参照信号のタイプ情報、時間−周波数−空間符号ドメイン情報、シーケンスフォーマット、又はシーケンスによって生成されたパラメータ情報、のうち１つ又はこれらの組み合わせを含んでよい。時間ドメイン表示情報は、利用可能な無認可スペクトルの継続時間情報及び時間決定情報の何れか又は両方を示すのに用いられ、時間決定情報は、現在の時刻が利用可能な無認可スペクトルを検出する時間内であるか否かを示すのに用いられ、時間ドメイン表示情報は、時間−周波数−空間符号ドメイン情報、時間ドメイン情報、時間−周波数情報、又は時間−周波数ドメインの情報画像、のうち１つ又はこれらの組み合わせを含んでよい。利用可能な無認可スペクトルは、無認可スペクトルまでさらに拡張されてよい。無認可スペクトルは、利用可能でない無認可スペクトルを含んでよい。無認可スペクトルは、複数の未使用の無認可スペクトルのうち１つ又はこれらの組み合わせをさらに含んでよい。ユーザ機器により送信された第２検出結果を受信する段階の前に、リソース取得方法は、時間ドメイン情報、周波数ドメイン情報、時間−周波数情報、又は時間−周波数ドメインの情報画像、のうち１つ又はこれらの組み合わせに従って、基地局により、対応する送信電力を選択する段階をさらに含んでよい。このように、基地局は、適切な送信電力を取得し、比較的高い送信電力が第１リソースに用いられるという理由で、ＷｉＦｉシステムにより引き起こされる干渉がユーザ機器のために検出されることができないということを回避する、又は、送信電力が低すぎるという理由で、ユーザ機器が基地局からの信号を検出することができないということを回避する。さらに、代わりに、送信電力は、基地局によりユーザ機器に送信されてよい。
【０２６１】
さらに、第２検出結果に従ってユーザ機器にスケジューリング及び／又はモビリティ管理を実行する段階は、基地局により、第２検出結果に従って利用可能な無認可スペクトルの第１リソースセクションを決定する段階と、送信電力に従って第１リソースセクションをユーザ機器に送信する段階とを含んでよい。
【０２６２】
さらに、第２検出設定情報をユーザ機器に送信する段階は、ＲＲＣ層シグナリング、ＭＡＣ層制御エレメント、物理層コマンド、ブロードキャスト情報、又はシステムメッセージ、のうち１つ又はこれらの組み合わせを用いて、第２検出設定情報を送信する段階を含んでよい。
【０２６３】
利用可能な無認可スペクトル情報は、ユーザ機器が位置するサービングセルの無認可スペクトル情報を含んでよいことが留意されるべきである。
【０２６４】
第２検出設定情報は第２報告条件をさらに含んでよく、これにより、ユーザ機器は、第２報告条件が満たされる場合、第２検出結果を基地局に送信する。第２報告条件は、サービングセルの信号品質が第１絶対閾値より高いこと、サービングセルの信号品質が第２絶対閾値より低いこと、隣接セルの信号品質が、事前設定オフセット値だけサービングセルの信号品質より高いこと、隣接セルの信号品質が第３絶対閾値より高いこと、サービングセルの信号品質が第４絶対閾値より低く且つ隣接セルの信号品質が第５絶対閾値より高いこと、又は、隣接セルの信号品質がサービングセルの信号品質より高いこと、のうち１つ又はこれらの組み合わせを含んでよい。
【０２６５】
サービングセルは、利用可能な無認可スペクトルのセル及び／又は設定済みセルを含んでよく、サービングセルは、利用可能な認可スペクトルのセルをさらに含んでよく、設定済みセルは、ＯＡＭにより設定された無認可スペクトル情報に設定された、無認可スペクトルのセルである。隣接セルは、ユーザ機器により用いられていない無認可スペクトルのセルを含んでよく、又は、隣接セルは、非占有の無認可スペクトルが存在するサービングセルを除くセルであってよい。第１絶対閾値、第２絶対閾値、第３絶対閾値、第４絶対閾値、及び第５絶対閾値は、無認可スペクトルの複数の異なるレベルのセルを区別するのに用いられる絶対値である。
【０２６６】
第２検出結果は、利用可能な無認可スペクトル情報におけるリソースセクションの信号品質情報を含んでよく、信号品質情報は、リソースセクションの信号品質を示すのに用いられる、又は、第２検出結果は、利用可能な無認可スペクトル情報におけるリソースセクションの信号品質情報に対応する指標値を含んでよく、信号品質情報は、リソースセクションの信号品質を示すのに用いられる。
【０２６７】
それに応じて、第２検出結果に従って利用可能な無認可スペクトルの第１リソースセクションを決定する段階は、基地局により、利用可能な無認可スペクトル情報におけるリソースセクションの信号品質に従って、第２事前設定条件に基づく信号品質を取得する段階と、第２事前設定条件に基づく信号品質に従って、利用可能な無認可スペクトルの、第２事前設定条件に基づく信号品質に対応するリソースセクションを取得し、無認可スペクトルの第１リソースセクションとしてリソースセクションを用いる段階、又は、利用可能な無認可スペクトル情報におけるリソースセクションの信号品質情報に対応する指標値に従って、第３事前設定条件に基づく信号品質を取得する段階と、第３事前設定条件に基づく指標値に従って、利用可能な無認可スペクトルの、第３事前設定条件に基づく指標値に対応するリソースセクションを取得し、無認可スペクトルの第１リソースセクションとしてリソースセクションを用いる段階とを含んでよい。信号品質は干渉比であってよく、第２事前設定条件は干渉比範囲であり、第３事前設定条件は干渉比範囲に対応する指標値範囲であることが好ましい。
【０２６８】
このように、ユーザ機器は、第２検出設定情報に従って利用可能な無認可スペクトルを検出して、第２検出結果を取得する。第２検出設定情報は、利用可能な無認可スペクトルの１つ又は複数の種類の時間ドメイン情報、１つ又は複数の種類の周波数ドメイン情報、１つ又は複数の種類の時間−周波数情報、又は、１つ又は複数のセットの時間−周波数ドメインの情報画像、のうち１つ又はこれらの組み合わせを含んでよい。基地局は、第２検出結果に従って第１リソースセクションを決定し得て、次に、第１リソースセクションはユーザの要求を満たし得る。全てのユーザ機器は、利用可能な無認可スペクトルにおいて比較的高い品質の信号を受信し得るので、ユーザ機器の正常動作が保証される。
【０２６９】
さらに別の態様に従って、本発明の一実施形態がリソース取得方法を提供し、リソース取得方法はユーザ機器に適用され、図９に示されるように、以下の複数の段階を含んでよい。
【０２７０】
段階６０１：第１検出設定情報に従って第１事前設定範囲における無認可スペクトルを検出して、第１検出結果を取得し、第１検出結果は、無認可スペクトルの信号品質及び／又は第１事前設定範囲におけるスペクトル情報を含んでよい。
【０２７１】
第１検出設定情報は第２事前設定範囲を含んでよく、第１検出設定情報は第２参照信号の設定情報も含んでよく、第２参照信号の設定情報は、第２参照信号のタイプ情報、時間−周波数−空間符号ドメイン情報、シーケンスフォーマット、又はシーケンスパラメータ情報、のうち１つ又はこれらの組み合わせを含んでよい。
【０２７２】
第１検出情報は第１報告条件をさらに含んでよく、第１検出結果を基地局に送信する段階は、第１報告条件が満たされる場合、ユーザ機器により第１検出結果を基地局に送信する段階を含んでよく、第１報告条件は、無認可スペクトルの信号品質が第１事前設定閾値より高いこと、無認可スペクトルの信号品質が第２事前設定閾値より低いこと、又は検出期間が事前設定されていること、のうち１つ又はこれらの組み合わせを含んでよい。具体的には、第１事前設定条件は、無認可スペクトルの信号品質が第１事前設定閾値より高い場合、及び／又は、無認可スペクトルの信号品質が第２事前設定閾値より低い場合、第１検出結果を基地局に送信するようユーザ機器に命令するのに用いられる、又は、第１報告条件は、事前設定された検出期間に従って第１検出結果を基地局に送信するようユーザ機器に命令するのに用いられる。
【０２７３】
無認可スペクトルの信号品質は、無認可スペクトルのエネルギー、又は無認可スペクトルにおける第２参照信号の信号品質を含んでよい。第２参照信号の設定情報は、第２参照信号のタイプ情報、時間−周波数−空間符号ドメイン情報、シーケンスフォーマット、又はシーケンスパラメータ情報、のうち１つ又はこれらの組み合わせを含んでよい。
【０２７４】
さらに、第１検出設定情報が基地局により事前設定される設定情報である場合、段階６０１の前にリソース検出方法は、ユーザ機器により、基地局により送信された第１検出設定情報を受信する段階をさらに含んでよい。具体的には、ユーザ機器は、ＲＲＣ層シグナリング、ＭＡＣ層制御エレメント、物理層コマンド、ブロードキャスト情報、又はシステムメッセージ、のうち１つ又はこれらの組み合わせを用いて、基地局により送信される第２検出設定情報を受信してよい。時間ドメイン表示情報は、利用可能な無認可スペクトルの継続時間情報及び時間決定情報の何れか又は両方を示すのに用いられ、時間決定情報は、現在の時刻が利用可能な無認可スペクトルを検出する時間内であるか否かを示すのに用いられ、時間ドメイン表示情報は、時間−周波数−空間符号ドメイン情報、時間ドメイン情報、時間−周波数情報、又は時間−周波数ドメインの情報画像、のうち１つ又はこれらの組み合わせを含んでよい。継続時間情報は、開始時間、終了時間、又は開始時間と終了時間との間の期間、のうち１つ又はこれらの組み合わせを含んでよい。現在の時刻は、無線フレーム、サブフレーム、又はＯＦＤＭシンボル長、のうち１つ又はこれらの組み合わせを含んでよい。利用可能な無認可スペクトルは、無認可スペクトルまでさらに拡張されてよい。無認可スペクトルは、利用可能でない無認可スペクトルを含んでよい。無認可スペクトルは、複数の未使用の無認可スペクトルのうち１つ又はこれらの組み合わせをさらに含んでよい。
【０２７５】
段階６０２：第１検出結果を基地局に送信し、これにより、基地局は、第１スペクトル情報を取得した後に、第１スペクトル情報及び第１検出結果に従って利用可能な無認可スペクトル情報を決定する。
【０２７６】
段階６０３：基地局により送信された利用可能な無認可スペクトル情報を受信する。
【０２７７】
利用可能な無認可スペクトル情報は、利用可能な無認可スペクトルの範囲情報、及び／又は、利用可能な無認可スペクトルにおける第１参照信号を含んでよい。
【０２７８】
このように、ユーザ機器は、第１検出設定情報に従って第１事前設定範囲における無認可スペクトルを検出して、第１検出結果を取得し、基地局は、基地局に格納された第１スペクトル情報、及び／又は、第１検出結果に従って、利用可能な無認可スペクトル情報を決定し得る。利用可能な無認可スペクトル情報は、ユーザの要求を満たし得て、全てのユーザ機器は、利用可能な無認可スペクトルにおいて比較的高い品質の信号を受信することにより、ユーザ機器の正常動作を保証し得る。
【０２７９】
第１検出設定情報は、ユーザ機器により事前設定される設定情報であってよく、又は基地局により事前設定される設定情報であってもよいことが留意されるべきである。第１事前設定範囲は、ユーザ機器により事前設定される無認可スペクトル範囲であってよく、又は、基地局により事前設定される無認可スペクトル範囲であってもよい。
【０２８０】
さらに、段階６０３の後にリソース取得方法は、ユーザ機器により、基地局により送信された第２検出設定情報を受信する段階をさらに含んでよく、第２検出設定情報は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、利用可能な無認可スペクトル情報の１つ又は複数のセットの時間−周波数ドメインの情報画像、又は利用可能な無認可スペクトルにおける第３参照信号の設定情報、のうち１つ又はこれらの組み合わせを含んでよい。
【０２８１】
さらに、第２検出設定情報に従って利用可能な無認可スペクトルのリソースセクションを検出して、第２検出結果を取得する段階の後に、リソース取得方法は、ユーザ機器により、第２検出結果を基地局に送信し、これにより、基地局は、第２測定結果に従って利用可能な無認可スペクトル情報における第１リソースセクションを決定する段階をさらに含んでよい。
【０２８２】
さらに、ユーザ機器が第２検出結果を基地局に送信し得る後に、任意選択で、基地局が第１リソースセクションを決定し得る場合、リソース取得方法は、ユーザ機器により、基地局により送信された第１リソースセクションを受信する段階と、第１リソースセクションにおいてデータ伝送を実行する段階とをさらに含んでよい。
【０２８３】
利用可能な無認可スペクトルの範囲情報は、ユーザ機器が位置するサービングセルの無認可スペクトル、及び／又は、隣接セルの無認可スペクトルをさらに含んでよい。第２報告条件は、サービングセルの信号品質が第１絶対閾値より高いこと、サービングセルの信号品質が第２絶対閾値より低いこと、隣接セルの信号品質が、事前設定オフセット値だけサービングセルの信号品質より高いこと、隣接セルの信号品質が第３絶対閾値より高いこと、サービングセルの信号品質が第４絶対閾値より低く且つ隣接セルの信号品質が第５絶対閾値より高いこと、又は、隣接セルの信号品質がサービングセルの信号品質より高いこと、のうち１つ又はこれらの組み合わせを含んでよい。
【０２８４】
サービングセルは、利用可能な無認可スペクトルのセル及び／又は設定済みセルを含んでよく、サービングセルは利用可能な認可スペクトルのセルをさらに含んでよく、設定済みセルは、ＯＡＭにより設定された無認可スペクトル情報に設定された、無認可スペクトルのセルである。隣接セルは、ユーザ機器により用いられていない無認可スペクトルのセルを含んでよく、又は、隣接セルは、非占有の無認可スペクトルが存在するサービングセルを除くセルであってよい。第１絶対閾値、第２絶対閾値、第３絶対閾値、第４絶対閾値、及び第５絶対閾値は、無認可スペクトルの複数の異なるレベルのセルを区別するのに用いられる絶対値である。
【０２８５】
別の第２検出設定情報が別の第２検出結果に対応することが留意されるべきである。
【０２８６】
具体的には、別の第２検出設定情報に従って、第２検出設定情報に従って利用可能な無認可スペクトルのリソースセクションを検出して、第２検出結果を取得する方法は、以下の複数の方法の何れかを含んでよい。
【０２８７】
第１の方法。
【０２８８】
第２検出設定情報が、利用可能な無認可スペクトルの１つ又は複数の種類の時間ドメイン情報、利用可能な無認可スペクトルの１つ又は複数の種類の周波数ドメイン情報、又は、利用可能な無認可スペクトルの１つ又は複数の種類の時間−周波数情報、のうち１つ又はこれらの組み合わせを含む場合、第２検出設定情報に従って利用可能な無認可スペクトルのリソースセクションを検出して、第２検出結果を取得する段階は、利用可能な無認可スペクトルの１つ又は複数の種類の時間ドメイン情報、利用可能な無認可スペクトルの１つ又は複数の種類の周波数ドメイン情報、又は、利用可能な無認可スペクトルの１つ又は複数の種類の時間−周波数情報、のうち１つ又はこれらの組み合わせに従って、ユーザ機器により、利用可能な無認可スペクトルの検出される予定のリソースセクションを決定する段階と、利用可能な無認可スペクトルのリソースセクションの信号品質を検出する段階と、利用可能な無認可スペクトルのリソースセクションの信号品質を第２検出結果として用い、又は、指標値と信号品質情報との間の事前設定された対応関係に従って、利用可能な無認可スペクトルのリソースセクションの信号品質に対応する指標値を第２検出結果として用い、これにより、基地局は、第２検出結果に従って利用可能な無認可スペクトルの第１リソースセクションを決定する段階とを含んでよい。
【０２８９】
第２の方法。
【０２９０】
第２検出設定情報が第３参照信号の設定情報を含み得る場合、第２検出設定情報に従って利用可能な無認可スペクトルのリソースセクションを検出して、第２検出結果を取得する段階は、ユーザ機器により、第３参照信号の設定情報に従って、利用可能な無認可スペクトルの、第３参照信号が位置するリソースセクションを決定する段階と、利用可能な無認可スペクトルのリソースセクションにおける第３参照信号の信号品質を検出する段階と、利用可能な無認可スペクトルのリソースセクションにおける第３参照信号の信号品質を第２検出結果として用い、これにより、基地局は、第２検出結果に従って利用可能な無認可スペクトルの第１リソースセクションを決定する段階、又は、指標値と信号品質情報との間の事前設定された対応関係に従って、利用可能な無認可スペクトルのリソースセクションにおける第３参照信号の信号品質に対応する指標値を第２検出結果として用い、これにより、基地局は、第２検出結果に従って利用可能な無認可スペクトルの第１リソースセクションを決定する段階とを含んでよい。
【０２９１】
さらに、第２検出結果を基地局に送信する段階は、ユーザ機器のＲＲＣ層シグナリング、ＭＡＣ層制御エレメント、物理層コマンド、ブロードキャスト情報、又はシステムメッセージ、のうち１つ又はこれらの組み合わせを用いて、ユーザ機器により、第２設定結果を基地局に送信する段階を含んでよい。
【０２９２】
このように、ユーザ機器は、第２検出設定情報に従って利用可能な無認可スペクトルを検出して、第２検出結果を取得し、第２検出設定情報は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、利用可能な無認可スペクトルの１つ又は複数のセットの時間−周波数ドメインの情報画像、又は利用可能な無認可スペクトルにおける第３参照信号の設定情報、のうち１つ又はこれらの組み合わせを含んでよく、基地局は、第２検出結果に従って第１リソースセクションを決定し得る。第１リソースセクションはユーザの要求を満たし得て、全てのユーザ機器は、利用可能な無認可スペクトルにおいて比較的高い品質の信号を受信し得るので、ユーザ機器の正常動作が保証される。
【０２９３】
さらに別の態様に従って、本発明の一実施形態が別のリソース取得方法を提供する。図７に示されるリソース取得方法は、ユーザ機器が無認可スペクトルを用いてＬＴＥシステムの情報を送信し得て、第１検出設定情報が基地局により事前設定される、一例を用いて下記に詳しく述べられる。図１０に示されるように、方法は以下の複数の段階を含んでよい。
【０２９４】
段階７０１：基地局は、第１検出設定情報をユーザ機器に送信する。
【０２９５】
ユーザ機器は、無認可スペクトルを用いている１又は複数のユーザ機器であってよく、又は、無認可スペクトルを用いる必要がある１又は複数のユーザ機器であってもよい。
【０２９６】
第１検出設定情報は、第２事前設定範囲及び／又は第２参照信号の設定情報を含んでよく、第２参照信号は、第１事前設定範囲における無認可スペクトルの信号である。第２参照信号の設定情報は、第２参照信号のタイプ情報、時間−周波数−空間符号ドメイン情報、シーケンスフォーマット、及びシーケンスパラメータ情報、のうち１つ又はこれらの組み合わせを含んでよく、又は、設定情報は、第２参照信号を他の信号から区別するのに用いられる。第１検出設定情報は第１報告条件をさらに含んでよく、ユーザ機器は、第１報告条件に従って第１検出結果を基地局に送信する。
【０２９７】
第１検出情報は、無認可スペクトルの１つ又は複数の種類の時間ドメイン情報、無認可スペクトルの１つ又は複数の種類の周波数ドメイン情報、無認可スペクトルの１つ又は複数の種類の時間−周波数情報、及び、無認可スペクトルの１つ又は複数のセットの時間−周波数ドメインの情報画像も含んでよい。時間ドメイン表示情報は、無認可スペクトルの継続時間情報及び時間決定情報の何れか又は両方を示すのに用いられ、時間決定情報は、現在の時刻が無認可スペクトルを検出する時間内であるか否かを示すのに用いられ、時間ドメイン表示情報は、時間−周波数−空間符号ドメイン情報、時間ドメイン情報、時間−周波数情報、又は時間−周波数ドメインの情報画像、のうち１つ又はこれらの組み合わせを含んでよい。継続時間情報は、開始時間、終了時間、又は開始時間と終了時間との間の期間、のうち１つ又はこれらの組み合わせを含んでよい。現在の時刻は、無線フレーム、サブフレーム、又はＯＦＤＭシンボル長、のうち１つ又はこれらの組み合わせを含んでよい。
【０２９８】
第１検出設定情報は、ユーザ機器により事前設定される設定情報であってよく、又は基地局により事前設定される設定情報であってもよいことが留意されるべきである。この実施形態において提供されるリソース取得方法における第１検出設定情報は、基地局により事前設定される設定情報であり、第１事前設定範囲は、ユーザ機器により事前設定される無認可スペクトル範囲であってよく、又は、基地局により事前設定される無認可スペクトル範囲であってもよく、第１事前設定範囲及び第２事前設定範囲は同じ範囲であってよい。
【０２９９】
段階７０２：ユーザ機器は、第１検出設定情報に従って第１事前設定範囲における無認可スペクトルを検出して、第１検出結果を取得する。
【０３００】
第１検出結果は、無認可スペクトルの信号品質、及び／又は、第１事前設定範囲におけるスペクトル情報を含んでよい。第１検出結果は、無認可スペクトルの信号品質を含んでよい。第１検出結果は、無認可スペクトルにおける第２参照信号の信号品質を含んでよい。
【０３０１】
段階７０３：ユーザ機器は、第１検出結果を基地局に送信する。
【０３０２】
ユーザ機器は、第１報告条件に従って第１検出結果を基地局に送信してよく、第１報告条件は、無認可スペクトルの信号品質が第１事前設定閾値より高いこと、無認可スペクトルの信号品質が第２事前設定閾値より低いこと、又は検出期間が事前設定されていること、のうち１つ又はこれらの組み合わせを含んでよい。具体的には、無認可スペクトルの信号品質が第１事前設定閾値より高い場合、ユーザ機器は第１検出結果を基地局に送信する、及び／又は、無認可スペクトルの信号品質が第２事前設定閾値より低い場合、ユーザ機器は第１検出結果を基地局に送信する、及び／又は、ユーザ機器は、事前設定された検出期間に従って、第１検出結果を基地局に送信する。前述の３つの予想される展開は、現在の環境などの複数の要因に従って、基地局側により決定される。
【０３０３】
段階７０４：基地局は第１スペクトル情報を取得する。
【０３０４】
第１スペクトル情報は、当該基地局を除く別の基地局の無認可スペクトル情報、ＯＡＭにより設定された無認可スペクトル情報、又はＷｉＦｉの無認可スペクトル情報、のうち１つ又はこれらの組み合わせを含んでよい。
【０３０５】
段階７０５：基地局は、第１スペクトル情報及び／又は第１検出結果に従って、利用可能な無認可スペクトル情報を決定する。
【０３０６】
具体的には、基地局は、当該基地局を除く別の基地局の無認可スペクトル情報、ＯＡＭにより設定された無認可スペクトル情報、ＷｉＦｉの無認可スペクトル情報、又は第１検出結果、のうち１つ又はこれらの組み合わせに従って、第２事前設定範囲における無認可スペクトル情報から、候補となる無認可スペクトル情報を選択し、候補となる無認可スペクトル情報から、利用可能な無認可スペクトル情報として、第１事前設定条件に基づいてスペクトル情報を選択してよい。第１事前設定条件は、最高エネルギーのスペクトル情報であってよい。利用可能な無認可スペクトル情報は、利用可能な無認可スペクトルの範囲情報、及び／又は、利用可能な無認可スペクトルにおける第１参照信号を含んでよい。
【０３０７】
段階７０６：基地局は、利用可能な無認可スペクトル情報をユーザ機器に送信する。
【０３０８】
利用可能な無認可スペクトル情報が、利用可能な無認可スペクトルの範囲情報を含み得る場合、ユーザ機器は、利用可能な無認可スペクトルを用いて情報を直接送信してよく、利用可能な無認可スペクトル情報が、利用可能な無認可スペクトルにおける第１参照信号にある場合、ユーザ機器は、第１参照信号を受信した後に、第１参照信号が位置する利用可能な無認可スペクトルを用いて情報を送信してよい。
【０３０９】
段階７０７：基地局は、第２検出設定情報をユーザ機器に送信する。
【０３１０】
第２検出設定情報は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、利用可能な無認可スペクトルの１つ又は複数のセットの時間−周波数ドメインの情報画像、又は、利用可能な無認可スペクトルの第３参照信号の設定情報、のうち１つ又はこれらの組み合わせを含んでよく、第３参照信号の設定情報は、第３参照信号のタイプ情報、時間−周波数−空間符号ドメイン情報、シーケンスフォーマット、又はシーケンスによって生成されたパラメータ情報、のうち１つ又はこれらの組み合わせを含んでよい。第２検出設定情報は、ＲＲＣ層シグナリング、ＭＡＣ層制御エレメント、物理層コマンド、ブロードキャスト情報、又はシステムメッセージ、のうち１つ又はこれらの組み合わせを用いて、基地局により送信されてよい。時間ドメイン表示情報は、利用可能な無認可スペクトルの継続時間情報及び時間決定情報の何れか又は両方を示すのに用いられ、時間決定情報は、現在の時刻が利用可能な無認可スペクトルを検出する時間内であるか否かを示すのに用いられ、時間ドメイン表示情報は、時間−周波数−空間符号ドメイン情報、時間ドメイン情報、時間−周波数情報、又は時間−周波数ドメインの情報画像、のうち１つ又はこれらの組み合わせを含んでよい。継続時間情報は、開始時間、終了時間、又は開始時間と終了時間との間の期間、のうち１つ又はこれらの組み合わせを含んでよい。現在の時刻は、無線フレーム、サブフレーム、又はＯＦＤＭシンボル長、のうち１つ又はこれらの組み合わせを含んでよい。利用可能な無認可スペクトルは、無認可スペクトルまでさらに拡張されてよい。無認可スペクトルは、利用可能でない無認可スペクトルを含んでよい。無認可スペクトルは、複数の未使用の無認可スペクトルのうち１つ又はこれらの組み合わせをさらに含んでよい。
【０３１１】
第２設定情報は利用可能な無認可スペクトル情報を含んでよいだけでなく、利用可能な無認可スペクトルが存在するセルに関する情報も含んでよいことが留意されるべきである。
【０３１２】
利用可能な無認可スペクトルの範囲情報は、ユーザ機器が位置するサービングセルの無認可スペクトル、及び／又は、隣接セルの無認可スペクトルを含んでよいという理由で、第２検出設定情報は第２報告条件をさらに含んでよく、これにより、ユーザ機器は、第２報告条件が満たされる場合、第２検出結果を基地局に送信する。第２報告条件は、サービングセルの信号品質が第１絶対閾値より高いこと、サービングセルの信号品質が第２絶対閾値より低いこと、隣接セルの信号品質が、事前設定オフセット値だけサービングセルの信号品質より高いこと、隣接セルの信号品質が第３絶対閾値より高いこと、サービングセルの信号品質が第４絶対閾値より低く且つ隣接セルの信号品質が第５絶対閾値より高いこと、又は、隣接セルの信号品質がサービングセルの信号品質より高いこと、のうち１つ又はこれらの組み合わせを含んでよい。サービングセルは、利用可能な無認可スペクトルのセル及び／又は設定済みセルを含んでよく、設定済みセルは、ＯＡＭにより設定された無認可スペクトル情報における無認可スペクトルのセルであり、隣接セルは、第１事前設定範囲外の無認可スペクトルのセルを含んでよい。
【０３１３】
段階７０８：ユーザ機器は、第２検出設定情報に従って利用可能な無認可スペクトルのリソースセクションを検出して、第２検出結果を取得する。
【０３１４】
別の第２検出設定情報が、別の特定の方法を生じさせる。
【０３１５】
任意選択で、第２検出設定情報が、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、又は、利用可能な無認可スペクトルの１つ又は複数のセットの時間−周波数ドメインの情報画像、のうち１つ又はこれらの組み合わせを含んでよい場合、ユーザ機器は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、又は利用可能な無認可スペクトルの１つ又は複数のセットの時間−周波数ドメインの情報画像、のうち１つ又はこれらの組み合わせに従って、利用可能な無認可スペクトルの検出される予定のリソースセクションを決定し、利用可能な無認可スペクトルのリソースセクションの信号品質を検出してよい。ユーザ機器は、利用可能な無認可スペクトルのリソースセクションの信号品質を第２検出結果として用いてよく、又は、ユーザ機器は、指標値と信号品質情報との間の事前設定された対応関係に従って、利用可能な無認可スペクトルのリソースセクションの信号品質に対応する指標値を第２検出結果として用いてよい。例えば、時間ドメイン情報は、パターン識別子及び／又はパターン粒度を含んでよく、粒度は、ＯＦＤＭシンボル及び／又は複数の種類のサブフレームであってよい。
【０３１６】
任意選択で、第２検出設定情報が第３参照信号の設定情報を含み得る場合、ユーザ機器は、第３参照信号の設定情報に従って、利用可能な無認可スペクトルの、第３参照信号が位置するリソースセクションを決定し、利用可能な無認可スペクトルのリソースセクションにおける第３参照信号の信号品質を検出してよい。ユーザ機器は、利用可能な無認可スペクトルにおける第３参照信号の信号品質を第２検出結果として用いてよく、又は、ユーザ機器は、指標値と信号品質情報との間の事前設定された対応関係に従って、利用可能な無認可スペクトルにおける第３参照信号の信号品質に対応する指標値を第２検出結果として用いてよい。
【０３１７】
段階７０９：ユーザ機器は、第２検出結果を基地局に送信する。
【０３１８】
ユーザ機器は、第２事前設定条件に従って、第２検出結果を基地局に送信してよい。具体的には、ユーザ機器は、サービングセルの信号品質が第１絶対閾値より高い場合、第２検出結果を基地局に送信してよく、ユーザ機器は、サービングセルの信号品質が第２絶対閾値より低い場合、第２検出結果を基地局に送信してよく、ユーザ機器は、隣接セルの信号品質が、事前設定オフセット値だけサービングセルの信号品質より高い場合、第２検出結果を基地局に送信してよく、ユーザ機器は、隣接セルの信号品質が第３絶対閾値より高い場合、第２検出結果を基地局に送信してよく、ユーザ機器は、サービングセルの信号品質が第４絶対閾値より低く、且つ隣接セルの信号品質が第５絶対閾値より高い場合、第２検出結果を基地局に送信してよく、ユーザ機器は、隣接セルの信号品質がサービングセルの信号品質より高い場合、第２検出結果を基地局に送信してよい。サービングセルは、利用可能な無認可スペクトルのセル及び／又は設定済みセルであってよく、設定済みセルは、ＯＡＭにより設定された無認可スペクトル情報に設定された、無認可スペクトルのセルである。基地局は、ユーザ機器のＲＲＣ層シグナリング、ＭＡＣ層制御エレメント、物理層コマンド、ブロードキャスト情報、又はシステムメッセージ、のうち１つ又はこれらの組み合わせを用いて、第２設定結果を基地局に送信してよいことが留意されるべきである。
【０３１９】
段階７１０：基地局は、第２検出結果に従って利用可能な無認可スペクトルの第１リソースセクションを決定する。
【０３２０】
信号品質情報は干渉比であり、第２事前設定条件は１未満の干渉比であると仮定される。第２測定結果が利用可能な無認可スペクトルの干渉比である場合、基地局は、利用可能な無認可スペクトルにおけるリソースセクションの干渉比に従って１未満の干渉比を取得し、利用可能な無認可スペクトルの、１未満の干渉比に対応するリソースセクションを取得し、無認可スペクトルの第１リソースセクションとしてリソースセクションを用いてよい。代わりに、信号品質情報が干渉比に対応する指標値であり、第３事前設定条件が１未満の指標値である場合、基地局は、利用可能な無認可スペクトルにおけるリソースセクションの干渉比に対応する指標値に従って１未満の指標値を取得し、利用可能な無認可スペクトルの、1未満の指標値に対応するリソースセクションを取得し、無認可スペクトルの第１リソースセクションとしてリソースセクションを用いてよい。更に、基地局は、ユーザ機器の第２測定結果に従って適切な電力を選択して、比較的高い送信電力が第１リソースセクションに用いられるという理由で、ユーザ機器が信号を検出できないということを回避する。
【０３２１】
段階７１１：基地局は、第１リソースセクションをユーザ機器に送信する。
【０３２２】
基地局は、送信電力に従って第１リソースセクションを送信する。送信電力は、第２検出設定情報の時間ドメイン情報、周波数ドメイン情報、時間−周波数情報、及び１つ又は複数のセットの時間−周波数ドメインの情報画像に従って決定される。
【０３２３】
段階７１２：ユーザ機器は、第１リソースセクションにおいてデータ伝送を実行する。
【０３２４】
本発明のこの実施形態はリソース取得方法を提供し、リソース取得方法は以下のものを含んでよい。ユーザ機器は、基地局により送信された第１検出設定情報に従って、第１事前設定範囲における無認可スペクトルのエネルギーを検出し、第１検出結果を取得して基地局に送信する。基地局は、第１検出結果及び第１スペクトル情報に従って利用可能な無認可スペクトル情報を取得し、基地局は第２検出設定情報をユーザ機器に送信する。ユーザ機器は、第２検出設定情報に従って利用可能な無認可スペクトルのリソースセクションを検出し、第２検出結果を取得して基地局に送信する。基地局は、第２検出結果に従って第１リソースセクションを取得する。このように、ユーザ機器は、第２検出設定情報に従って利用可能な無認可スペクトルを検出して、第２検出結果を取得し、第２検出設定情報は、利用可能な無認可スペクトルの１つ又は複数の種類の時間ドメイン情報、利用可能な無認可スペクトルの１つ又は複数の種類の周波数ドメイン情報、利用可能な無認可スペクトルの１つ又は複数の種類の時間−周波数情報、利用可能な無認可スペクトルの１つ又は複数のセットの時間−周波数ドメインの情報画像、及び利用可能な無認可スペクトルにおける第３参照信号の設定情報を含んでよく、基地局は、第２検出結果に従って第１リソースセクションを決定し得る。第１リソースセクションはユーザの要求を満たし得て、全てのユーザ機器は、利用可能な無認可スペクトルにおいて比較的高い品質の信号を受信し得るので、ユーザ機器の正常動作が保証される。
【０３２５】
さらに別の態様に従って、本発明の一実施形態がリソース取得システム８０を提供し、リソース取得システム８０は、図１１に示されるように、前述の基地局１０の何れか、及び前述のユーザ機器２０の何れかを含む。
【０３２６】
基地局１０は、ユーザ機器により送信された第１検出結果を受信し、第１検出結果は、第１事前設定範囲における無認可スペクトルの信号品質、及び／又は、第１事前設定範囲におけるスペクトル情報を含み、第１スペクトル情報を取得し、第１スペクトル情報及び／又は第１検出結果に従って、利用可能な無認可スペクトル情報を決定し、利用可能な無認可スペクトル情報をユーザ機器に送信するよう特に構成されてよい。
【０３２７】
ユーザ機器２０は、第１検出設定情報に従って第１事前設定範囲における無認可スペクトル情報を検出して第１検出結果を取得し、第１検出結果は、無認可スペクトルの信号品質、及び／又は、第１事前設定範囲におけるスペクトル情報を含み、第１検出結果を基地局に送信し、これにより、基地局は、第１スペクトル情報を取得した後に、第１スペクトル情報及び第１検出結果に従って利用可能な無認可スペクトル情報を決定し、基地局により送信された利用可能な無認可スペクトル情報を受信するよう構成される。
【０３２８】
本発明の全ての実施形態において言及された信号品質は、ＣＲＳ（Ｃｅｌｌ−ｓｐｅｃｉｆｉｃ  Ｒｅｆｅｒｅｎｃｅ  Ｓｉｇｎａｌ、セル固有の参照信号）、ＤＭＲＳ（Ｄｅｍｏｄｕｌａｔｉｏｎ  Ｒｅｆｅｒｅｎｃｅ  Ｓｉｇｎａｌ、復調参照信号）、ＤＲＳ（Ｄｉｓｃｏｖｅｒｙ  Ｒｅｆｅｒｅｎｃｅ  Ｓｉｇｎａｌ、ディスカバリ参照信号）、ＴＲＳ（Ｔｒａｃｋｉｎｇ  Ｒｅｆｅｒｅｎｃｅ  Ｓｉｇｎａｌ、トラッキング参照信号）、減少したＣＲＳ、ＣＳＩ−ＲＳ（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ、チャネル状態情報参照信号）、及びＳＲＳ（Ｓｏｕｎｄｉｎｇ  Ｒｅｆｅｒｅｎｃｅ  Ｓｉｇｎａｌ、サウンディング参照信号）など、１つ又は複数の参照信号を含む参照信号に基づき規定されてよいが、このことは本発明において限定されるものではない。代わりに、本発明の複数の実施形態において言及された信号品質は、セル内の無線リンクの信号品質、例えばセル内のリモートユニットの信号品質、又はセル内の１つ又は複数の無線ポートにおける信号品質、又はこれらの組み合わせを指してよい。信号品質が閾値より高い、又は閾値より低い、又は閾値と等しい、あるいは、信号品質が別の信号品質より高い、又は別の信号品質より低い、又は別の信号品質と等しいということは、本発明の全ての実施形態において言及されるが、これは、ある時間内の任意のサンプリング時点、又はある時間内の複数のサンプリング時点、又はある時間内の全てのサンプリング時点における信号品質、あるいはある時間内のサンプリング統計値の信号品質が、閾値より高い、又は閾値より低い、あるいは、別の信号品質より高い、又は別の信号品質より低いことを特に示してよい。更に、信号品質を閾値と比較するための式、及び信号品質を別の信号品質と比較するための式が、１つ又は複数の種類のオフセット値パラメータ、例えば、ヒステリシス値、信号の周波数オフセット値、信号が属するセルのオフセット値、及び複数の異なる種類の信号を比較するために導入されたオフセット値を含んでよい。比較式は、ＬＴＥの測定条件において、共通の加入条件（ｅｎｔｅｒｉｎｇ  ｃｏｎｄｉｔｉｏｎ）及び離脱条件（ｌｅａｖｉｎｇ  ｃｏｎｄｉｔｉｏｎ）を含む。
【０３２９】
例えば、以下の通りである。
【０３３０】
信号閾値より高い信号品質の特定条件は次の通りで、加入条件が、Ｍｃｐ−Ｈｙｓ＞Ｔｈｒｅｓｈであり、離脱条件が、Ｍｃｐ＋Ｈｙｓ＜Ｔｈｒｅｓｈである。Ｍｃｐは信号品質を表し、Ｈｙｓはヒステリシスパラメータであり、Ｔｈｒｅｓｈはネットワーク側で設定された閾値である。
【０３３１】
ヒステリシスパラメータＨｙｓは第１誤差における１つのパラメータに過ぎないことが留意されるべきである。
【０３３２】
任意選択で、信号品質をより正確にすべく、さらに多くのパラメータが第１誤差に導入されてよく、例えば、加入条件が、Ｍｃｐ＋Ｏｐｃｐ−Ｈｙｓ＞Ｔｈｒｅｓｈであり、離脱条件が、Ｍｃｐ＋Ｏｐｃｐ＋Ｈｙｓ＜Ｔｈｒｅｓｈである。Ｍｃｐは信号品質を表し、Ｈｙｓはヒステリシスパラメータであり、Ｔｈｒｅｓｈはネットワーク側で設定された閾値である。Ｏｐｃｐは、送信電力、サブフレームリソース、周波数優先順位、セル優先順位、又はＣＳＩ−ＲＳリソース優先順位のうち１つ又は複数に関連したパラメータなどの信号関連パラメータである。
【０３３３】
第２信号品質より高い第１信号品質の特定条件は次の通りで、加入条件が、Ｍｎ＋Ｏｆｎ＋Ｏｃｎ−Ｈｙｓ＞Ｍｐ＋Ｏｆｐ＋Ｏｃｐ＋Ｏｆｆであり、離脱条件が、Ｍｎ＋Ｏｆｎ＋Ｏｃｎ＋Ｈｙｓ＜Ｍｐ＋Ｏｆｐ＋Ｏｃｐ＋Ｏｆｆである。Ｍｎは第１信号の品質であり、Ｈｙｓはヒステリシスパラメータであり、Ｏｆｆはネットワーク側で設定されたオフセット値であり、Ｏｆｎは第１信号の周波数に関連したパラメータであり、Ｏｃｎは第１信号が位置するセル及び／又はポートに関連したパラメータである。それに応じて、Ｍｐは第２信号の信号品質であり、Ｏｆｐは第２信号の周波数に関連したパラメータであり、Ｏｃｐは第２信号が位置するセル及び／又はポートに関連したパラメータである。もちろん、第１信号及び第２信号が同じキャリアに属する場合、キャリア関連パラメータは、これらの不等式において言及されなくてよい。そのようなパラメータを設計することで、通信ノードは、測定及び報告用の事前設定条件をより柔軟に決定し得る。
【０３３４】
もちろん、パラメータＯｐｃｐは第１信号に対応する不等式側に導入されてもよく、パラメータは第１信号に関連し、例えば、送信電力、サブフレームリソース、周波数優先順位、セル優先順位、又はＣＳＩ−ＲＳリソース優先順位という要因のうち１つ又は複数に関連する。
【０３３５】
本発明において説明された全ての種類の式に基づいた変形例も本発明の保護範囲内に含まれ、これが本明細書においてこれ以上さらに余すところなく説明されることはない。
【０３３６】
もちろん、参照信号の品質が複数の異なる種類の信号間で比較される場合、本発明において言及された多くの事前設定条件があることを考慮し、詳細な説明が本明細書においてこれ以上さらに加えられることはない。複数の異なる種類の参照信号のオフセット値が、加入条件及び離脱条件を含む式にさらに導入されてよい。
【０３３７】
信号品質は、参照信号の品質であってよく、あるいは、時間ドメイン、周波数ドメイン、又は空間ドメインのうち１つ又はこれらの組み合わせにおける無線リソースのエネルギーであってもよい。
【０３３８】
信号品質は、ＲＳＲＰ（Ｒｅｆｅｒｅｎｃｅ  Ｓｉｇｎａｌ  Ｒｅｃｅｉｖｉｎｇ  Ｐｏｗｅｒ、参照信号受信電力）、ＲＳＲＱ（Ｒｅｆｅｒｅｎｃｅ  Ｓｉｇｎａｌ  Ｒｅｃｅｉｖｉｎｇ  Ｑｕａｌｉｔｙ、参照信号受信品質）、ＳＮＲ（Ｓｉｇｎａｌ  Ｎｏｉｓｅ  Ｒａｔｉｏ、信号対雑音比）、ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ、信号対干渉雑音比）、雑音品質、信号エネルギー、エネルギー品質などによって表されてよいが、このことは、本発明において限定されるものではない。
【０３３９】
前述の説明は、本発明の特定の実装態様に過ぎず、本発明の保護範囲を限定するよう意図されるものではない。本発明において開示される技術範囲内で、当業者によって容易に考え出されるいかなる変形例又は置換例も本発明の保護範囲に含まれる。従って、本発明の保護範囲は、請求項の保護範囲に従うことになる。
【図１】
2017516430.tif 000003
【図２】
2017516430.tif 000004
【図３】
2017516430.tif 000005
【図４】
2017516430.tif 000006
【図５】
2017516430.tif 000007
【図６】
2017516430.tif 000008
【図７】
2017516430.tif 000009
【図８】
2017516430.tif 000010
【図９】
2017516430.tif 000011
【図１０】
2017516430.tif 000012
【図１１】
2017516430.tif 000013
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
ユーザ機器により送信された第１検出結果を受信するよう構成された受信ユニットであって、前記第１検出結果は、第１事前設定範囲における無認可スペクトルの信号品質、及び／又は、前記第１事前設定範囲におけるスペクトル情報を含む、受信ユニットと、
第１スペクトル情報を取得するよう構成された取得ユニットと、
前記取得ユニットにより取得された前記第１スペクトル情報、及び／又は、前記受信ユニットにより受信された前記第１検出結果に従って、利用可能な無認可スペクトル情報を決定するよう構成された第１決定ユニットと、
前記第１決定ユニットにより決定された前記利用可能な無認可スペクトル情報を前記ユーザ機器に送信するよう構成された送信ユニットと
を備える、
基地局。
【請求項２】
前記利用可能な無認可スペクトル情報は、利用可能な無認可スペクトルの範囲情報、及び／又は、前記利用可能な無認可スペクトルにおける第１参照信号を含む、
請求項１に記載の基地局。
【請求項３】
前記送信ユニットは、第１検出設定情報を前記ユーザ機器に送信し、これにより、前記ユーザ機器は、前記第１検出設定情報に従って前記第１事前設定範囲における前記無認可スペクトルを検出して、前記第１検出結果を取得するようさらに構成される、
請求項１又は２に記載の基地局。
【請求項４】
前記第１検出設定情報は、第２事前設定範囲を含む、
請求項３に記載の基地局。
【請求項５】
前記無認可スペクトルの前記信号品質は、前記無認可スペクトルのエネルギー、又は前記無認可スペクトルにおける第２参照信号の信号品質を含む、
請求項３又は４に記載の基地局。
【請求項６】
前記第１検出設定情報は、前記第２参照信号の設定情報を含み、前記第２参照信号の前記設定情報は、前記第２参照信号のタイプ情報、時間−周波数−空間符号ドメイン情報、シーケンスフォーマット、又はシーケンスパラメータ情報、のうち１つ又はこれらの組み合わせを含む、
請求項５に記載の基地局。
【請求項７】
前記第１検出設定情報は第１報告条件をさらに含み、これにより、前記ユーザ機器は、前記第１報告条件に従って前記第１検出結果を前記基地局に送信し、
前記第１報告条件は、前記無認可スペクトルの前記信号品質が第１事前設定閾値より高いこと、前記無認可スペクトルの前記信号品質が第２事前設定閾値より低いこと、又は検出期間が事前設定されていること、のうち１つ又はこれらの組み合わせを含む、
請求項３から６の何れか一項に記載の基地局。
【請求項８】
前記第１スペクトル情報は、前記基地局を除く別の基地局の無認可スペクトル情報、運用・管理・保守（ＯＡＭ）により設定された無認可スペクトル情報、又は無線ローカルエリアネットワーク（ＷｉＦｉ）の無認可スペクトル情報、のうち１つ又はこれらの組み合わせを含む、
請求項１から７の何れか一項に記載の基地局。
【請求項９】
前記第１決定ユニットは、
前記基地局を除く前記別の基地局の前記無認可スペクトル情報、前記ＯＡＭにより設定された前記無認可スペクトル情報、前記ＷｉＦｉの前記無認可スペクトル情報、又は前記第１検出結果、のうち１つ又はこれらの組み合わせに従って、前記第２事前設定範囲における無認可スペクトル情報から候補となる無認可スペクトル情報を選択し、
前記候補となる無認可スペクトル情報から、前記利用可能な無認可スペクトル情報として、第１事前設定条件に基づいてスペクトル情報を選択するよう特に構成されてよい、
請求項８に記載の基地局。
【請求項１０】
前記第１事前設定条件は、最高エネルギーのスペクトル情報である、
請求項９に記載の基地局。
【請求項１１】
前記送信ユニットは、第２検出設定情報を前記ユーザ機器に送信し、これにより、前記ユーザ機器は、前記第２検出設定情報に従って前記利用可能な無認可スペクトルのリソースセクションの信号品質を検出して、第２検出結果を取得するようさらに構成され、
前記受信ユニットは、前記ユーザ機器により送信された前記第２検出結果を受信するようさらに構成され、
前記基地局は以下のものをさらに含み、
前記基地局は、前記第２検出結果に従って、前記ユーザ機器にスケジューリング及び／又はモビリティ管理を実行するよう構成された処理ユニットをさらに含む、
請求項１から１０の何れか一項に記載の基地局。
【請求項１２】
前記第２検出設定情報は、前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、前記利用可能な無認可スペクトルの１つ又は複数のセットの時間−周波数ドメインの情報画像、又は、前記利用可能な無認可スペクトルにおける第３参照信号の設定情報、のうち１つ又はこれらの組み合わせを含む、
請求項１１に記載の基地局。
【請求項１３】
前記第３参照信号の前記設定情報は、前記第３参照信号のタイプ情報、時間−周波数−空間符号ドメイン情報、シーケンスフォーマット、又はシーケンスによって生成されたパラメータ情報、のうち１つ又はこれらの組み合わせを含む、
請求項１２に記載の基地局。
【請求項１４】
前記送信ユニットは、無線リソース制御プロトコルＲＲＣ層シグナリング、媒体アクセス制御ＭＡＣ層制御エレメント、物理層コマンド、ブロードキャスト情報、又はシステムメッセージ、のうち１つ又はこれらの組み合わせを用いて、前記第２検出設定情報を送信するよう特に構成されてよい、
請求項１１から１３の何れか一項に記載の基地局。
【請求項１５】
時間ドメイン表示情報が、前記利用可能な無認可スペクトルの継続時間情報及び時間決定情報の何れか又は両方を示すのに用いられ、前記時間決定情報は、現在の時刻が前記利用可能な無認可スペクトルを検出する時間内であるか否かを示すのに用いられ、前記時間ドメイン表示情報は、前記時間−周波数−空間符号ドメイン情報、前記時間ドメイン情報、前記時間−周波数情報、又は前記時間−周波数ドメインの情報画像、のうち１つ又はこれらの組み合わせを含む、
請求項１２から１４の何れか一項に記載の基地局。
【請求項１６】
前記基地局は、前記時間ドメイン情報、前記周波数ドメイン情報、前記時間−周波数情報、又は前記時間−周波数ドメインの情報画像、のうち１つ又はこれらの組み合わせに従って、対応する送信電力を選択するよう構成された選択ユニットをさらに含み、
前記処理ユニットは、
前記第２検出結果に従って、前記利用可能な無認可スペクトルの第１リソースセクションを決定するよう構成された決定サブユニットと、
前記送信電力に従って、前記第１リソースセクションを前記ユーザ機器に送信するよう構成された送信サブユニットと、
を含む、
請求項１１から１５の何れか一項に記載の基地局。
【請求項１７】
前記第２検出設定情報は第２報告条件をさらに含み、これにより、前記第２報告条件が満たされる場合、前記ユーザ機器は前記第２検出結果を前記基地局に送信し、
前記第２報告条件は、サービングセルの信号品質が第１絶対閾値より高いこと、前記サービングセルの前記信号品質が第２絶対閾値より低いこと、隣接セルの信号品質が、事前設定オフセット値だけ前記サービングセルの前記信号品質より高いこと、前記隣接セルの前記信号品質が第３絶対閾値より高いこと、前記サービングセルの前記信号品質が第４絶対閾値より低く且つ前記隣接セルの前記信号品質が第５絶対閾値より高いこと、又は、前記隣接セルの前記信号品質が前記サービングセルの前記信号品質より高いこと、のうち１つ又はこれらの組み合わせを含む、
請求項１１から１６の何れか一項に記載の基地局。
【請求項１８】
前記サービングセルは、前記利用可能な無認可スペクトルのセル及び／又は設定済みセルを含み、
前記設定済みセルは、前記ＯＡＭにより設定された前記無認可スペクトル情報に設定された、無認可スペクトルのセルである、
請求項１７に記載の基地局。
【請求項１９】
前記隣接セルは、前記ユーザ機器により用いられていない無認可スペクトルのセルを含む、
請求項１７に記載の基地局。
【請求項２０】
前記第１絶対閾値、前記第２絶対閾値、前記第３絶対閾値、前記第４絶対閾値、及び前記第５絶対閾値は、前記無認可スペクトルの複数の異なるレベルのセルを区別するのに用いられる絶対値である、
請求項１７に記載の基地局。
【請求項２１】
前記第２検出結果は、前記利用可能な無認可スペクトルにおける前記リソースセクションの信号品質情報を含み、前記信号品質情報は、前記リソースセクションの前記信号品質を示すのに用いられる、又は、
前記第２検出結果は、前記利用可能な無認可スペクトルにおける前記リソースセクションの信号品質情報に対応する指標値を含み、前記信号品質情報は、前記リソースセクションの前記信号品質を示すのに用いられる、
請求項１１から２０の何れか一項に記載の基地局。
【請求項２２】
前記決定サブユニットは、
前記利用可能な無認可スペクトルにおける前記リソースセクションの前記信号品質に従って、第２事前設定条件に基づく信号品質を取得し、前記第２事前設定条件に基づく前記信号品質に従って、前記利用可能な無認可スペクトルの、前記第２事前設定条件に基づく前記信号品質に対応するリソースセクションを取得し、前記無認可スペクトルの前記第１リソースセクションとして前記リソースセクションを用いること、又は、
前記利用可能な無認可スペクトルにおける前記リソースセクションの前記信号品質情報に対応する前記指標値に従って、第３事前設定条件に基づく信号品質を取得し、前記第３事前設定条件に基づく指標値に従って、前記利用可能な無認可スペクトルの、前記第３事前設定条件に基づく前記指標値に対応するリソースセクションを取得し、前記無認可スペクトルの前記第１リソースセクションとして前記リソースセクションを用いることを行うよう特に構成されてよい、
請求項２１に記載の基地局。
【請求項２３】
前記信号品質は干渉比であり、前記第２事前設定条件は干渉比範囲であり、前記第３事前設定条件は前記干渉比範囲に対応する指標値範囲である、
請求項２２に記載の基地局。
【請求項２４】
第１検出設定情報に従って第１事前設定範囲における無認可スペクトル情報を検出し、第１検出結果を取得するよう構成された第１検出ユニットであって、前記第１検出結果は、前記無認可スペクトルの信号品質、及び／又は、前記第１事前設定範囲におけるスペクトル情報を含む、第１検出ユニットと、
前記第１検出ユニットにより取得された前記第１検出結果を基地局に送信し、これにより、前記基地局は、第１スペクトル情報を取得した後に、前記第１スペクトル情報及び前記第１検出結果に従って、利用可能な無認可スペクトル情報を決定するよう構成された送信ユニットと、
前記基地局により送信された前記利用可能な無認可スペクトル情報を受信するよう構成された受信ユニットと
を備える、
ユーザ機器。
【請求項２５】
前記利用可能な無認可スペクトル情報は、利用可能な無認可スペクトルの範囲情報、及び／又は、前記利用可能な無認可スペクトルにおける第１参照信号を含む、
請求項２４に記載のユーザ機器。
【請求項２６】
前記無認可スペクトルの前記信号品質は、前記無認可スペクトルのエネルギー、又は前記無認可スペクトルにおける第２参照信号の信号品質を含む、
請求項２４又は２５に記載のユーザ機器。
【請求項２７】
前記第１検出設定情報は、前記第２参照信号の設定情報を含み、前記第２参照信号の前記設定情報は、前記第２参照信号のタイプ情報、時間−周波数−空間符号ドメイン情報、シーケンスフォーマット、又はシーケンスパラメータ情報、のうち１つ又はこれらの組み合わせを含む、
請求項２６に記載のユーザ機器。
【請求項２８】
前記第１検出設定情報は、第２事前設定範囲を含む、
請求項２５から２７の何れか一項に記載のユーザ機器。
【請求項２９】
前記第１検出情報は第１報告条件をさらに含み、
前記第１報告条件は、前記無認可スペクトルの前記信号品質が第１事前設定閾値より高いこと、前記無認可スペクトルの前記信号品質が第２事前設定閾値より低いこと、又は検出期間が事前設定されていること、のうち１つ又はこれらの組み合わせを含む、
請求項２４から２８の何れか一項に記載のユーザ機器。
【請求項３０】
前記第１検出設定情報は、前記ユーザ機器により事前設定される設定情報、又は前記基地局により事前設定される設定情報である、
請求項２９に記載のユーザ機器。
【請求項３１】
前記第１検出設定情報が前記基地局により事前設定される前記設定情報である場合、前記受信ユニットは、前記基地局により送信された前記第１検出設定情報を受信するようさらに構成される、
請求項３０に記載のユーザ機器。
【請求項３２】
前記受信ユニットは、前記基地局により送信された第２検出設定情報を受信するよう構成され、
前記第２検出設定情報は、前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、前記利用可能な無認可スペクトルの１つ又は複数のセットの時間−周波数ドメインの情報画像、又は、前記利用可能な無認可スペクトルにおける第３参照信号の設定情報、のうち１つ又はこれらの組み合わせを含み、
前記ユーザ機器は、前記受信ユニットにより受信された前記第２検出設定情報に従って、前記利用可能な無認可スペクトルのリソースセクションを検出して、第２検出結果を取得するよう構成された第２検出ユニットをさらに備える、
請求項２４から３１の何れか一項に記載のユーザ機器。
【請求項３３】
前記受信ユニットは、ＲＲＣ層シグナリング、ＭＡＣ層制御エレメント、物理層コマンド、ブロードキャスト情報、又はシステムメッセージ、のうち１つ又はこれらの組み合わせを用いて、前記基地局により送信される前記第２検出設定情報を受信するよう特に構成されてよい、
請求項３２に記載のユーザ機器。
【請求項３４】
時間ドメイン表示情報が、前記利用可能な無認可スペクトルの継続時間情報及び時間決定情報の何れか又は両方を示すのに用いられ、前記時間決定情報は、現在の時刻が前記利用可能な無認可スペクトルを検出する時間内であるか否かを示すのに用いられ、前記時間ドメイン表示情報は、前記時間−周波数−空間符号ドメイン情報、前記時間ドメイン情報、前記時間−周波数情報、又は前記時間−周波数ドメインの情報画像、のうち１つ又はこれらの組み合わせを含む、
請求項３２又は３３に記載のユーザ機器。
【請求項３５】
前記送信ユニットは、前記第２検出結果を前記基地局に送信し、これにより、前記基地局は、前記第２検出結果に従って、前記利用可能な無認可スペクトルにおける第１リソースセクションを決定するよう構成され、
前記受信ユニットは、前記基地局により送信された前記第１リソースセクションを受信するよう構成され、
前記ユーザ機器は、前記第１リソースセクションにおいて、データ伝送を実行するよう構成された伝送ユニットをさらに含む、
請求項３２から３４の何れか一項に記載のユーザ機器。
【請求項３６】
前記第２検出設定情報は第２報告条件をさらに含み、
前記送信ユニットは、前記第２報告条件が満たされる場合、前記第２検出結果を前記基地局に送信するよう特に構成されてよく、
前記第２報告条件は、サービングセルの信号品質が第１絶対閾値より高いこと、前記サービングセルの前記信号品質が第２絶対閾値より低いこと、隣接セルの信号品質が、事前設定オフセット値だけ前記サービングセルの前記信号品質より高いこと、前記隣接セルの前記信号品質が第３絶対閾値より高いこと、前記サービングセルの前記信号品質が第４絶対閾値より低く且つ前記隣接セルの前記信号品質が第５絶対閾値より高いこと、又は、前記隣接セルの前記信号品質が前記サービングセルの前記信号品質より高いこと、のうち１つ又はこれらの組み合わせを含む、
請求項３５に記載のユーザ機器。
【請求項３７】
前記サービングセルは、前記利用可能な無認可スペクトルのセル及び／又は設定済みセルを含み、
前記設定済みセルは、前記ＯＡＭにより設定された前記無認可スペクトル情報に設定された、無認可スペクトルのセルである、
請求項３６に記載のユーザ機器。
【請求項３８】
前記隣接セルは、前記ユーザ機器により用いられていない無認可スペクトルのセルを含む、
請求項３６に記載のユーザ機器。
【請求項３９】
前記第１絶対閾値、前記第２絶対閾値、前記第３絶対閾値、前記第４絶対閾値、及び前記第５絶対閾値は、前記無認可スペクトルの複数の異なるレベルのセルを区別するのに用いられる絶対値である、
請求項３６に記載のユーザ機器。
【請求項４０】
前記第２検出設定情報が、前記利用可能な無認可スペクトルの１つ又は複数の種類の時間ドメイン情報、前記利用可能な無認可スペクトルの複数の周波数ドメイン情報、前記利用可能な無認可スペクトルの１つ又は複数の種類の時間−周波数情報、又は前記利用可能な無認可スペクトルの１つ又は複数のセットの時間−周波数ドメインの情報画像、のうち１つ又はこれらの組み合わせを含む場合、前記第２検出ユニットは、
前記利用可能な無認可スペクトルの１つ又は複数の種類の時間ドメイン情報、前記利用可能な無認可スペクトルの複数の周波数ドメイン情報、前記利用可能な無認可スペクトルの１つ又は複数の種類の時間−周波数情報、又は前記利用可能な無認可スペクトルの１つ又は複数のセットの時間−周波数ドメインの情報画像、のうち１つ又はこれらの組み合わせに従って、前記利用可能な無認可スペクトルの検出される予定のリソースセクションを決定し、
前記利用可能な無認可スペクトルの前記リソースセクションの信号品質を検出し、
前記利用可能な無認可スペクトルの前記リソースセクションの前記信号品質を前記第２検出結果として用い、又は、指標値と信号品質情報との間の事前設定された対応関係に従って、前記利用可能な無認可スペクトルの前記リソースセクションの前記信号品質に対応する指標値を前記第２検出結果として用い、これにより、前記基地局は、前記第２検出結果に従って、前記利用可能な無認可スペクトルの前記第１リソースセクションを決定するよう特に構成されてよい、
請求項３２から３９の何れか一項に記載のユーザ機器。
【請求項４１】
前記第２検出設定情報が前記第３参照信号の前記設定情報を含む場合、前記第２検出ユニットは、
前記第３参照信号の前記設定情報に従って前記利用可能な無認可スペクトルの、前記第３参照信号が位置するリソースセクションを決定し、
前記利用可能な無認可スペクトルの前記リソースセクションにおける前記第３参照信号の信号品質を検出し、
前記利用可能な無認可スペクトルの前記リソースセクションにおける前記第３参照信号の前記信号品質を前記第２検出結果として用い、これにより、前記基地局は、前記第２検出結果に従って前記利用可能な無認可スペクトルの前記第１リソースセクションを決定する、又は、
指標値と信号品質情報との間の事前設定された対応関係に従って、前記利用可能な無認可スペクトルの前記リソースセクションにおける前記第３参照信号の前記信号品質に対応する指標値を前記第２検出結果として用い、これにより、前記基地局は、前記第２検出結果に従って前記利用可能な無認可スペクトルの前記第１リソースセクションを決定するよう特に構成されてよい、
請求項３２から３９の何れか一項に記載のユーザ機器。
【請求項４２】
前記送信ユニットは、前記ユーザ機器のＲＲＣ層シグナリング、ＭＡＣ層制御エレメント、物理層コマンド、ブロードキャスト情報、又はシステムメッセージ、のうち１つ又はこれらの組み合わせを用いて、前記第２設定結果を前記基地局に送信するよう特に構成されてよい、
請求項４０又は４１に記載のユーザ機器。
【請求項４３】
ユーザ機器により送信された第１検出結果を受信するよう構成された受信器であって、前記第１検出結果は、第１事前設定範囲における無認可スペクトルの信号品質、及び／又は、前記第１事前設定範囲におけるスペクトル情報を含む、受信器と、
第１スペクトル情報を取得するよう構成されたプロセッサであって、前記第１スペクトル情報及び／又は前記第１検出結果に従って、利用可能な無認可スペクトル情報を決定するようさらに構成されるプロセッサと、
前記利用可能な無認可スペクトル情報を前記ユーザ機器に送信するよう構成された送信器と、
を備える、
基地局。
【請求項４４】
前記利用可能な無認可スペクトル情報は、利用可能な無認可スペクトルの範囲情報、及び／又は、前記利用可能な無認可スペクトルにおける第１参照信号を含む、
請求項４３に記載の基地局。
【請求項４５】
前記送信器は、第１検出設定情報を前記ユーザ機器に送信し、これにより、前記ユーザ機器は、前記第１検出設定情報に従って前記第１事前設定範囲における前記無認可スペクトルを検出して、前記第１検出結果を取得するようさらに構成される、
請求項４３又は４４に記載の基地局。
【請求項４６】
前記第１検出設定情報は、第２事前設定範囲を含む、
請求項４５に記載の基地局。
【請求項４７】
前記無認可スペクトルの前記信号品質は、前記無認可スペクトルのエネルギー、又は前記無認可スペクトルにおける第２参照信号の信号品質を含む、
請求項４５又は４６に記載の基地局。
【請求項４８】
前記第１検出設定情報は、前記第２参照信号の設定情報を含み、前記第２参照信号の前記設定情報は、前記第２参照信号のタイプ情報、時間−周波数−空間符号ドメイン情報、シーケンスフォーマット、又はシーケンスパラメータ情報、のうち１つ又はこれらの組み合わせを含む、
請求項４７に記載の基地局。
【請求項４９】
前記第１検出設定情報は第１報告条件をさらに含み、これにより、前記ユーザ機器は、前記第１報告条件に従って前記第１検出結果を前記基地局に送信し、
前記第１報告条件は、前記無認可スペクトルの前記信号品質が第１事前設定閾値より高いこと、前記無認可スペクトルの前記信号品質が第２事前設定閾値より低いこと、又は検出期間が事前設定されていること、のうち１つ又はこれらの組み合わせを含む、
請求項４５から４８の何れか一項に記載の基地局。
【請求項５０】
前記第１スペクトル情報は、前記基地局を除く別の基地局の無認可スペクトル情報、ＯＡＭにより設定された無認可スペクトル情報、又はＷｉＦｉの無認可スペクトル情報、のうち１つ又はこれらの組み合わせを含む、
請求項４２から４９の何れか一項に記載の基地局。
【請求項５１】
前記プロセッサは、
前記基地局を除く前記別の基地局の前記無認可スペクトル情報、前記ＯＡＭにより設定された前記無認可スペクトル情報、前記ＷｉＦｉの前記無認可スペクトル情報、又は前記第１検出結果、のうち１つ又はこれらの組み合わせに従って、前記第２事前設定範囲における無認可スペクトル情報から候補となる無認可スペクトル情報を選択し、
前記候補となる無認可スペクトル情報から、前記利用可能な無認可スペクトル情報として、第１事前設定条件に基づいてスペクトル情報を選択するよう特に構成されてよい、
請求項５０に記載の基地局。
【請求項５２】
前記第１事前設定条件は、最高エネルギーのスペクトル情報である、
請求項５１に記載の基地局。
【請求項５３】
前記送信器は、第２検出設定情報を前記ユーザ機器に送信し、これにより、前記ユーザ機器は、前記第２検出設定情報に従って前記利用可能な無認可スペクトルのリソースセクションの信号品質を検出して、第２検出結果を取得するようさらに構成され、
前記受信器は、前記ユーザ機器により送信された前記第２検出結果を受信するようさらに構成され、
前記プロセッサは、前記第２検出結果に従って前記利用可能な無認可スペクトルの第１リソースセクションを決定するよう構成され、
前記送信器は、前記ユーザ機器にスケジューリング及び／又はモビリティ管理を実行すべく、送信電力に従って前記第１リソースセクションを前記ユーザ機器に送信するようさらに構成される、
請求項４３から５２の何れか一項に記載の基地局。
【請求項５４】
前記第２検出設定情報は、前記利用可能な無認可スペクトルの１つ又は複数の種類の時間ドメイン情報、前記利用可能な無認可スペクトルの複数の周波数ドメイン情報、前記利用可能な無認可スペクトルの１つ又は複数の種類の時間−周波数情報、前記利用可能な無認可スペクトルの１つ又は複数のセットの時間−周波数ドメインの情報画像、又は、前記利用可能な無認可スペクトルにおける第３参照信号の設定情報、のうち１つ又はこれらの組み合わせを含む、
請求項５３に記載の基地局。
【請求項５５】
前記第３参照信号の前記設定情報は、前記第３参照信号のタイプ情報、時間−周波数−空間符号ドメイン情報、シーケンスフォーマット、又はシーケンスによって生成されたパラメータ情報、のうち１つ又はこれらの組み合わせを含む、
請求項５３に記載の基地局。
【請求項５６】
前記送信器は、ＲＲＣ層シグナリング、ＭＡＣ層制御エレメント、物理層コマンド、ブロードキャスト情報、又はシステムメッセージ、のうち１つ又はこれらの組み合わせを用いて、前記第２検出設定情報を送信するよう特に構成されてよい、
請求項５３から５５の何れか一項に記載の基地局。
【請求項５７】
時間ドメイン表示情報が、前記利用可能な無認可スペクトルの継続時間情報及び時間決定情報の何れか又は両方を示すのに用いられ、前記時間決定情報は、現在の時刻が前記利用可能な無認可スペクトルを検出する時間内であるか否かを示すのに用いられ、前記時間ドメイン表示情報は、前記時間−周波数−空間符号ドメイン情報、前記時間ドメイン情報、前記時間−周波数情報、又は前記時間−周波数ドメインの情報画像、のうち１つ又はこれらの組み合わせを含む、
請求項５４から５６の何れか一項に記載の基地局。
【請求項５８】
前記プロセッサは、前記時間ドメイン情報、前記周波数ドメイン情報、前記時間−周波数情報、又は前記時間−周波数ドメインの情報画像、のうち１つ又はこれらの組み合わせに従って、対応する送信電力を選択するようさらに構成され、
前記プロセッサは、前記第２検出結果に従って、前記利用可能な無認可スペクトルの第１リソースセクションを決定するようさらに構成され、
前記プロセッサは、前記送信電力に従って、前記第１リソースセクションを前記ユーザ機器に送信するようさらに構成される、
請求項５３から５７の何れか一項に記載の基地局。
【請求項５９】
前記第２検出設定情報は第２報告条件をさらに含み、これにより、前記第２報告条件が満たされる場合、前記ユーザ機器は前記第２検出結果を前記基地局に送信し、
前記第２報告条件は、サービングセルの信号品質が第１絶対閾値より高いこと、前記サービングセルの前記信号品質が第２絶対閾値より低いこと、隣接セルの信号品質が、事前設定オフセット値だけ前記サービングセルの前記信号品質より高いこと、前記隣接セルの前記信号品質が第３絶対閾値より高いこと、前記サービングセルの前記信号品質が第４絶対閾値より低く且つ前記隣接セルの前記信号品質が第５絶対閾値より高いこと、又は、前記隣接セルの前記信号品質が前記サービングセルの前記信号品質より高いこと、のうち１つ又はこれらの組み合わせを含む、
請求項５３から５８の何れか一項に記載の基地局。
【請求項６０】
前記サービングセルは、前記利用可能な無認可スペクトルのセル及び／又は設定済みセルを含み、
前記設定済みセルは、前記ＯＡＭにより設定された前記無認可スペクトル情報に設定された、無認可スペクトルのセルである、
請求項５９に記載の基地局。
【請求項６１】
前記隣接セルは、前記ユーザ機器により用いられていない無認可スペクトルのセルを含む、
請求項５９に記載の基地局。
【請求項６２】
前記第１絶対閾値、前記第２絶対閾値、前記第３絶対閾値、前記第４絶対閾値、及び前記第５絶対閾値は、前記無認可スペクトルの複数の異なるレベルのセルを区別するのに用いられる絶対値である、
請求項５９に記載の基地局。
【請求項６３】
前記第２検出結果は、前記利用可能な無認可スペクトルにおける前記リソースセクションの信号品質情報を含み、前記信号品質情報は、前記リソースセクションの前記信号品質を示すのに用いられる、
又は、前記第２検出結果は、前記利用可能な無認可スペクトルにおける前記リソースセクションの信号品質情報に対応する指標値を含み、前記信号品質情報は、前記リソースセクションの前記信号品質を示すのに用いられる、
請求項５３から６２の何れか一項に記載の基地局。
【請求項６４】
前記プロセッサは、
前記利用可能な無認可スペクトルにおける前記リソースセクションの前記信号品質に従って、第２事前設定条件に基づく信号品質を取得し、前記第２事前設定条件に基づく前記信号品質に従って、前記利用可能な無認可スペクトルの、前記第２事前設定条件に基づく前記信号品質に対応するリソースセクションを取得し、前記無認可スペクトルの前記第１リソースセクションとして前記リソースセクションを用いること、又は、
前記利用可能な無認可スペクトルにおける前記リソースセクションの前記信号品質情報に対応する前記指標値に従って、第３事前設定条件に基づく信号品質を取得し、前記第３事前設定条件に基づく指標値に従って、前記利用可能な無認可スペクトルの、前記第３事前設定条件に基づく前記指標値に対応するリソースセクションを取得し、前記無認可スペクトルの前記第１リソースセクションとして前記リソースセクションを用いることを行うよう特に構成されてよい、
請求項６３に記載の基地局。
【請求項６５】
前記信号品質は干渉比であり、前記第２事前設定条件は干渉比範囲であり、前記第３事前設定条件は前記干渉比範囲に対応する指標値範囲である、
請求項６４に記載の基地局。
【請求項６６】
第１検出設定情報に従って第１事前設定範囲における無認可スペクトル情報を検出し、第１検出結果を取得するよう構成されたプロセッサであって、前記第１検出結果は、前記無認可スペクトルの信号品質、及び／又は、前記第１事前設定範囲におけるスペクトル情報を含む、プロセッサと、
前記第１検出結果を基地局に送信し、これにより、前記基地局は、第１スペクトル情報を取得した後に、前記第１スペクトル情報及び前記第１検出結果に従って、利用可能な無認可スペクトル情報を決定するよう構成された送信器と、
前記基地局により送信された前記利用可能な無認可スペクトル情報を受信するよう構成された受信器と
を備える、
ユーザ機器。
【請求項６７】
前記利用可能な無認可スペクトル情報は、利用可能な無認可スペクトルの範囲情報、及び／又は、前記利用可能な無認可スペクトルにおける第１参照信号を含む、
請求項６６に記載のユーザ機器。
【請求項６８】
前記無認可スペクトルの前記信号品質は、前記無認可スペクトルのエネルギー、又は前記無認可スペクトルにおける第２参照信号の信号品質を含む、
請求項６６又は６７に記載のユーザ機器。
【請求項６９】
前記第１検出設定情報は、前記第２参照信号の設定情報を含み、前記第２参照信号の前記設定情報は、前記第２参照信号のタイプ情報、時間−周波数−空間符号ドメイン情報、シーケンスフォーマット、又はシーケンスパラメータ情報、のうち１つ又はこれらの組み合わせを含む、
請求項６８に記載のユーザ機器。
【請求項７０】
前記第１検出設定情報は、第２事前設定範囲を含む、
請求項６７から６９の何れか一項に記載のユーザ機器。
【請求項７１】
前記第１検出情報は第１報告条件をさらに含み、
前記第１報告条件は、前記無認可スペクトルの前記信号品質が第１事前設定閾値より高いこと、前記無認可スペクトルの前記信号品質が第２事前設定閾値より低いこと、又は検出期間が事前設定されていること、のうち１つ又はこれらの組み合わせを含む、
請求項６６から７０の何れか一項に記載のユーザ機器。
【請求項７２】
前記第１検出設定情報は、前記ユーザ機器により事前設定される設定情報、又は前記基地局により事前設定される設定情報である、
請求項７１に記載のユーザ機器。
【請求項７３】
前記第１検出設定情報が前記基地局により事前設定される前記設定情報である場合、前記受信器は、前記基地局により送信された前記第１検出設定情報を受信するようさらに構成される、
請求項７２に記載のユーザ機器。
【請求項７４】
前記ユーザ機器は以下のものをさらに備え、
前記受信器は、前記基地局により送信された第２検出設定情報を受信するようさらに構成され、前記第２検出設定情報は、前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、前記利用可能な無認可スペクトルの１つ又は複数のセットの時間−周波数ドメインの情報画像、又は、前記利用可能な無認可スペクトルにおける第３参照信号の設定情報、のうち１つ又はこれらの組み合わせを含み、
前記プロセッサは、前記第２検出設定情報に従って前記利用可能な無認可スペクトルのリソースセクションを検出して、第２検出結果を取得するようさらに構成される、
請求項６６から７３の何れか一項に記載のユーザ機器。
【請求項７５】
前記受信器は、ＲＲＣ層シグナリング、ＭＡＣ層制御エレメント、物理層コマンド、ブロードキャスト情報、又はシステムメッセージ、のうち１つ又はこれらの組み合わせを用いて、前記基地局により送信される前記第２検出設定情報を受信するよう特に構成されてよい、
請求項７４に記載のユーザ機器。
【請求項７６】
時間ドメイン表示情報が、前記利用可能な無認可スペクトルの継続時間情報及び時間決定情報の何れか又は両方を示すのに用いられ、前記時間決定情報は、現在の時刻が前記利用可能な無認可スペクトルを検出する時間内であるか否かを示すのに用いられ、前記時間ドメイン表示情報は、前記時間−周波数−空間符号ドメイン情報、前記時間ドメイン情報、前記時間−周波数情報、又は前記時間−周波数ドメインの情報画像、のうち１つ又はこれらの組み合わせを含む、
請求項７４又は７５に記載のユーザ機器。
【請求項７７】
前記ユーザ機器は以下のものをさらに備え、
前記送信器は、前記第２検出結果を前記基地局に送信し、これにより、前記基地局は、前記第２検出結果に従って、前記利用可能な無認可スペクトルにおける第１リソースセクションを決定するようさらに構成され、
前記受信器は、前記基地局により送信された前記第１リソースセクションを受信するようさらに構成され、
前記プロセッサは、前記第１リソースセクションにおいて、データ伝送を実行するようさらに構成される、
請求項７４から７６の何れか一項に記載のユーザ機器。
【請求項７８】
前記第２検出設定情報は第２報告条件をさらに含み、
前記送信器は、前記第２報告条件が満たされる場合、前記第２検出結果を前記基地局に送信するよう特に構成されてよく、
前記第２報告条件は、サービングセルの信号品質が第１絶対閾値より高いこと、前記サービングセルの前記信号品質が第２絶対閾値より低いこと、隣接セルの信号品質が、事前設定オフセット値だけ前記サービングセルの前記信号品質より高いこと、前記隣接セルの前記信号品質が第３絶対閾値より高いこと、前記サービングセルの前記信号品質が第４絶対閾値より低く且つ前記隣接セルの前記信号品質が第５絶対閾値より高いこと、又は、前記隣接セルの前記信号品質が前記サービングセルの前記信号品質より高いこと、のうち１つ又はこれらの組み合わせを含む、
請求項７７に記載のユーザ機器。
【請求項７９】
前記サービングセルは、前記利用可能な無認可スペクトルのセル及び／又は設定済みセルを含み、
前記設定済みセルは、前記ＯＡＭにより設定された前記無認可スペクトル情報に設定された、無認可スペクトルのセルである、
請求項７８に記載のユーザ機器。
【請求項８０】
前記隣接セルは、前記ユーザ機器により用いられていない無認可スペクトルのセルを含む、
請求項７８に記載のユーザ機器。
【請求項８１】
前記第１絶対閾値、前記第２絶対閾値、前記第３絶対閾値、前記第４絶対閾値、及び前記第５絶対閾値は、前記無認可スペクトルの複数の異なるレベルのセルを区別するのに用いられる絶対値である、
請求項７８に記載のユーザ機器。
【請求項８２】
前記第２検出設定情報が、前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、又は前記利用可能な無認可スペクトルの１つ又は複数のセットの時間−周波数ドメインの情報画像、のうち１つ又はこれらの組み合わせを含む場合、前記プロセッサは、
前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、又は前記利用可能な無認可スペクトルの１つ又は複数のセットの時間−周波数ドメインの情報画像、のうち１つ又はこれらの組み合わせに従って、前記利用可能な無認可スペクトルの検出される予定のリソースセクションを決定し、
前記利用可能な無認可スペクトルの前記リソースセクションの信号品質を検出し、
前記利用可能な無認可スペクトルの前記リソースセクションの前記信号品質を前記第２検出結果として用い、又は、指標値と信号品質情報との間の事前設定された対応関係に従って、前記利用可能な無認可スペクトルの前記リソースセクションの前記信号品質に対応する指標値を前記第２検出結果として用い、これにより、前記基地局は、前記第２検出結果に従って、前記利用可能な無認可スペクトルの前記第１リソースセクションを決定するよう特に構成されてよい、
請求項７４から８１の何れか一項に記載のユーザ機器。
【請求項８３】
前記第２検出設定情報が前記第３参照信号の前記設定情報を含む場合、前記プロセッサは、
前記第３参照信号の前記設定情報に従って前記利用可能な無認可スペクトルの、前記第３参照信号が位置するリソースセクションを決定し、
前記利用可能な無認可スペクトルの前記リソースセクションにおける前記第３参照信号の信号品質を検出し、
前記利用可能な無認可スペクトルの前記リソースセクションにおける前記第３参照信号の前記信号品質を前記第２検出結果として用い、これにより、前記基地局は、前記第２検出結果に従って前記利用可能な無認可スペクトルの前記第１リソースセクションを決定する、
又は、指標値と信号品質情報との間の事前設定された対応関係に従って、前記利用可能な無認可スペクトルの前記リソースセクションにおける前記第３参照信号の前記信号品質に対応する指標値を前記第２検出結果として用い、これにより、前記基地局は、前記第２検出結果に従って前記利用可能な無認可スペクトルの前記第１リソースセクションを決定するよう特に構成されてよい、
請求項７４から８１の何れか一項に記載のユーザ機器。
【請求項８４】
前記送信器は、前記ユーザ機器のＲＲＣ層シグナリング、ＭＡＣ層制御エレメント、物理層コマンド、ブロードキャスト情報、又はシステムメッセージ、のうち１つ又はこれらの組み合わせを用いて、前記第２設定結果を前記基地局に送信するよう特に構成されてよい、
請求項８２又は８３に記載のユーザ機器。
【請求項８５】
基地局に適用されるリソース取得方法であって、
ユーザ機器により送信された第１検出結果を受信する段階であって、前記第１検出結果は、第１事前設定範囲における無認可スペクトルの信号品質、及び／又は、前記第１事前設定範囲におけるスペクトル情報を含む、受信する段階と、
第１スペクトル情報を取得する段階と、
前記第１スペクトル情報及び／又は前記第１検出結果に従って、利用可能な無認可スペクトル情報を決定する段階と、
前記利用可能な無認可スペクトル情報を前記ユーザ機器に送信する段階と、
を備える、
リソース取得方法。
【請求項８６】
前記利用可能な無認可スペクトル情報は、利用可能な無認可スペクトルの範囲情報、及び／又は、前記利用可能な無認可スペクトルにおける第１参照信号を含む、
請求項８５に記載のリソース取得方法。
【請求項８７】
ユーザ機器により送信された第１検出結果を前記受信する段階の前に、第１検出設定情報を前記ユーザ機器に送信し、これにより、前記ユーザ機器は、前記第１検出設定情報に従って前記第１事前設定範囲における前記無認可スペクトルを検出して、前記第１検出結果を取得する段階をさらに備える、
請求項８５又は８６に記載のリソース取得方法。
【請求項８８】
前記第１検出設定情報は、第２事前設定範囲を含む、
請求項８７に記載のリソース取得方法。
【請求項８９】
前記無認可スペクトルの前記信号品質は、前記無認可スペクトルのエネルギー、又は前記無認可スペクトルにおける第２参照信号の信号品質を含む、
請求項８７又は８８に記載のリソース取得方法。
【請求項９０】
前記第１検出設定情報は、前記第２参照信号の設定情報を含み、前記第２参照信号の前記設定情報は、前記第２参照信号のタイプ情報、時間−周波数−空間符号ドメイン情報、シーケンスフォーマット、又はシーケンスパラメータ情報、のうち１つ又はこれらの組み合わせを含む、
請求項８９に記載のリソース取得方法。
【請求項９１】
前記第１検出設定情報は第１報告条件をさらに含み、これにより、前記第１報告条件が満たされる場合、前記ユーザ機器は、前記第１検出結果を前記基地局に送信し、
前記第１報告条件は、前記無認可スペクトルの前記信号品質が第１事前設定閾値より高いこと、前記無認可スペクトルの前記信号品質が第２事前設定閾値より低いこと、又は検出期間が事前設定されていること、のうち１つ又はこれらの組み合わせを含む、
請求項８７から９０の何れか一項に記載のリソース取得方法。
【請求項９２】
前記第１スペクトル情報は、前記基地局を除く別の基地局の無認可スペクトル情報、ＯＡＭにより設定された無認可スペクトル情報、又はＷｉＦｉの無認可スペクトル情報、のうち１つ又はこれらの組み合わせを含む、
請求項８４から９１の何れか一項に記載のリソース取得方法。
【請求項９３】
前記第１スペクトル情報及び／又は前記第１検出結果に従って利用可能な無認可スペクトル情報を前記決定する段階は、
前記基地局を除く前記別の基地局の前記無認可スペクトル情報、前記ＯＡＭにより設定された前記無認可スペクトル情報、前記ＷｉＦｉの前記無認可スペクトル情報、又は前記第１検出結果、のうち１つ又はこれらの組み合わせに従って、前記第２事前設定範囲における無認可スペクトル情報から候補となる無認可スペクトル情報を選択する段階と、
前記候補となる無認可スペクトル情報から、前記利用可能な無認可スペクトル情報として、第１事前設定条件に基づいてスペクトル情報を選択する段階と、
を含む、
請求項９２に記載のリソース取得方法。
【請求項９４】
前記第１事前設定条件は、最高エネルギーのスペクトル情報である、
請求項９３に記載のリソース取得方法。
【請求項９５】
前記利用可能な無認可スペクトル情報を前記ユーザ機器に前記送信する段階の後に、
第２検出設定情報を前記ユーザ機器に送信し、これにより、前記ユーザ機器は、前記第２検出設定情報に従って前記利用可能な無認可スペクトルのリソースセクションの信号品質を検出して、第２検出結果を取得する段階と、
前記ユーザ機器により送信された前記第２検出結果を受信する段階と、
前記第２検出結果に従って、前記ユーザ機器にスケジューリング及び／又はモビリティ管理を実行する段階と、
をさらに備える、
請求項８５から９４の何れか一項に記載のリソース取得方法。
【請求項９６】
前記第２検出設定情報は、前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、前記利用可能な無認可スペクトルの１つ又は複数のセットの時間−周波数ドメインの情報画像、又は、前記利用可能な無認可スペクトルにおける第３参照信号の設定情報、のうち１つ又はこれらの組み合わせを含む、
請求項９５に記載のリソース取得方法。
【請求項９７】
前記第３参照信号の前記設定情報は、前記第３参照信号のタイプ情報、時間−周波数−空間符号ドメイン情報、シーケンスフォーマット、又はシーケンスによって生成されたパラメータ情報、のうち１つ又はこれらの組み合わせを含む、
請求項９６に記載のリソース取得方法。
【請求項９８】
第２検出設定情報を前記ユーザ機器に前記送信する段階は、ＲＲＣ層シグナリング、ＭＡＣ層制御エレメント、物理層コマンド、ブロードキャスト情報、又はシステムメッセージ、のうち１つ又はこれらの組み合わせを用いて、前記第２検出設定情報を送信する段階を含む、
請求項９５から９７の何れか一項に記載のリソース取得方法。
【請求項９９】
時間ドメイン表示情報が、前記利用可能な無認可スペクトルの継続時間情報及び時間決定情報の何れか又は両方を示すのに用いられ、前記時間決定情報は、現在の時刻が前記利用可能な無認可スペクトルを検出する時間内であるか否かを示すのに用いられ、前記時間ドメイン表示情報は、前記時間−周波数−空間符号ドメイン情報、前記時間ドメイン情報、前記時間−周波数情報、又は前記時間−周波数ドメインの情報画像、のうち１つ又はこれらの組み合わせを含む、
請求項９５から９８の何れか一項に記載のリソース取得方法。
【請求項１００】
送信電力に従って、前記ユーザ機器により送信された前記第２検出結果を前記受信する段階の前に、前記リソース取得方法は、前記時間ドメイン情報、前記周波数ドメイン情報、前記時間−周波数情報、又は前記時間−周波数ドメインの情報画像、のうち１つ又はこれらの組み合わせに従って、対応する送信電力を選択する段階をさらに備え、
前記第２検出結果に従って、前記ユーザ機器にスケジューリング及び／又はモビリティ管理を前記実行する段階は、
前記第２検出結果に従って、前記利用可能な無認可スペクトルの第１リソースセクションを決定する段階と、
前記送信電力に従って、前記第１リソースセクションを前記ユーザ機器に送信する段階と、
を含む、
請求項９５から９９の何れか一項に記載のリソース取得方法。
【請求項１０１】
前記第２検出設定情報は第２報告条件をさらに含み、これにより、前記第２報告条件が満たされる場合、前記ユーザ機器は前記第２検出結果を前記基地局に送信し、
前記第２報告条件は、サービングセルの信号品質が第１絶対閾値より高いこと、前記サービングセルの前記信号品質が第２絶対閾値より低いこと、隣接セルの信号品質が、事前設定オフセット値だけ前記サービングセルの前記信号品質より高いこと、前記隣接セルの前記信号品質が第３絶対閾値より高いこと、前記サービングセルの前記信号品質が第４絶対閾値より低く且つ前記隣接セルの前記信号品質が第５絶対閾値より高いこと、又は、前記隣接セルの前記信号品質が前記サービングセルの前記信号品質より高いこと、のうち１つ又はこれらの組み合わせを含む、
請求項９５から１００の何れか一項に記載のリソース取得方法。
【請求項１０２】
前記サービングセルは、前記利用可能な無認可スペクトルのセル及び／又は設定済みセルを含み、
前記設定済みセルは、前記ＯＡＭにより設定された前記無認可スペクトル情報に設定された、無認可スペクトルのセルである、
請求項１０１に記載のリソース取得方法。
【請求項１０３】
前記隣接セルは、前記ユーザ機器により用いられていない無認可スペクトルのセルを含む、
請求項１０１に記載のリソース取得方法。
【請求項１０４】
前記第１絶対閾値、前記第２絶対閾値、前記第３絶対閾値、前記第４絶対閾値、及び前記第５絶対閾値は、前記無認可スペクトルの複数の異なるレベルのセルを区別するのに用いられる絶対値である、
請求項１０１に記載のリソース取得方法。
【請求項１０５】
前記第２検出結果は、前記利用可能な無認可スペクトルにおける前記リソースセクションの信号品質情報を含み、前記信号品質情報は、前記リソースセクションの前記信号品質を示すのに用いられる、
又は、前記第２検出結果は、前記利用可能な無認可スペクトルにおける前記リソースセクションの信号品質情報に対応する指標値を含み、前記信号品質情報は、前記リソースセクションの前記信号品質を示すのに用いられる、
請求項９５から１０４の何れか一項に記載のリソース取得方法。
【請求項１０６】
前記第２検出結果に従って前記利用可能な無認可スペクトルの第１リソースセクションを前記決定する段階は、
前記利用可能な無認可スペクトルにおける前記リソースセクションの前記信号品質に従って、第２事前設定条件に基づく信号品質を取得する段階と、前記第２事前設定条件に基づく前記信号品質に従って、前記利用可能な無認可スペクトルの、前記第２事前設定条件に基づく前記信号品質に対応するリソースセクションを取得し、前記無認可スペクトルの前記第１リソースセクションとして前記リソースセクションを用いる段階とを含む、又は、
前記利用可能な無認可スペクトルにおける前記リソースセクションの前記信号品質情報に対応する前記指標値に従って、第３事前設定条件に基づく信号品質を取得する段階と、前記第３事前設定条件に基づく指標値に従って、前記利用可能な無認可スペクトルの、前記第３事前設定条件に基づく前記指標値に対応するリソースセクションを取得し、前記無認可スペクトルの前記第１リソースセクションとして前記リソースセクションを用いる段階とを含む、
請求項１０５に記載のリソース取得方法。
【請求項１０７】
前記信号品質は干渉比であり、前記第２事前設定条件は干渉比範囲であり、前記第３事前設定条件は前記干渉比範囲に対応する指標値範囲である、
請求項１０６に記載のリソース取得方法。
【請求項１０８】
ユーザ機器に適用されるリソース取得方法であって、
第１検出設定情報に従って第１事前設定範囲における無認可スペクトル情報を検出し、第１検出結果を取得する段階であって、前記第１検出結果は、前記無認可スペクトルの信号品質、及び／又は、前記第１事前設定範囲におけるスペクトル情報を含む、取得する段階と、
前記第１検出結果を基地局に送信し、これにより、前記基地局は、第１スペクトル情報を取得した後に、前記第１スペクトル情報及び前記第１検出結果に従って、利用可能な無認可スペクトル情報を決定する段階と、
前記基地局により送信された前記利用可能な無認可スペクトル情報を受信する段階と
を備える、
リソース取得方法。
【請求項１０９】
前記利用可能な無認可スペクトル情報は、利用可能な無認可スペクトルの範囲情報、及び／又は、前記利用可能な無認可スペクトルにおける第１参照信号を含む、
請求項１０８に記載のリソース取得方法。
【請求項１１０】
前記無認可スペクトルの前記信号品質は、前記無認可スペクトルのエネルギー、又は前記無認可スペクトルにおける第２参照信号の信号品質を含む、
請求項１０８又は１０９に記載のリソース取得方法。
【請求項１１１】
前記第１検出設定情報は、前記第２参照信号の設定情報を含み、前記第２参照信号の前記設定情報は、前記第２参照信号のタイプ情報、時間−周波数−空間符号ドメイン情報、シーケンスフォーマット、又はシーケンスパラメータ情報、のうち１つ又はこれらの組み合わせを含む、
請求項１１０に記載のリソース取得方法。
【請求項１１２】
前記第１検出設定情報は、第２事前設定範囲を含む、
請求項１０９から１１１の何れか一項に記載のリソース取得方法。
【請求項１１３】
前記第１検出情報は第１報告条件をさらに含み、
前記第１検出結果を基地局に前記送信する段階は、前記第１検出情報が満たされる場合、前記第１検出結果を前記基地局に送信する段階を含み、
前記第１報告条件は、前記無認可スペクトルの前記信号品質が第１事前設定閾値より高いこと、前記無認可スペクトルの前記信号品質が第２事前設定閾値より低いこと、又は検出期間が事前設定されていること、のうち１つ又はこれらの組み合わせを含む、
請求項１０８から１１２の何れか一項に記載のリソース取得方法。
【請求項１１４】
前記第１検出設定情報は、前記ユーザ機器により事前設定される設定情報、又は前記基地局により事前設定される設定情報である、
請求項１１３に記載のリソース取得方法。
【請求項１１５】
前記第１検出設定情報が、前記基地局により事前設定される前記設定情報である場合、且つ第１検出設定情報に従って第１事前設定範囲における無認可スペクトル情報を検出して、第１検出結果を前記取得する段階の前に、
前期リソース検出方法は、前記基地局により送信された前記第１検出設定情報を受信する段階をさらに備える、
請求項１１４に記載のリソース取得方法。
【請求項１１６】
前記基地局により送信された前記利用可能な無認可スペクトル情報を前記受信する段階の後に、
前記基地局により送信された第２検出設定情報を受信する段階であって、前記第２検出設定情報は、前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、前記利用可能な無認可スペクトルの１つ又は複数のセットの時間−周波数ドメインの情報画像、又は前記利用可能な無認可スペクトルにおける第３参照信号の設定情報、のうち１つ又はこれらの組み合わせを含む、受信する段階と、
前記第２検出設定情報に従って前記利用可能な無認可スペクトルのリソースセクションを検出して、第２検出結果を取得する段階と、
をさらに備える、
請求項１０８から１１５の何れか一項に記載のリソース取得方法。
【請求項１１７】
前記基地局により送信された第２検出設定情報を前記受信する段階は、ＲＲＣ層シグナリング、ＭＡＣ層制御エレメント、物理層コマンド、ブロードキャスト情報、又はシステムメッセージ、のうち１つ又はこれらの組み合わせを用いて、前記基地局により送信される前記第２検出設定情報を受信する段階を含む、
請求項１１９に記載のリソース取得方法。
【請求項１１８】
時間ドメイン表示情報が、前記利用可能な無認可スペクトルの継続時間情報及び時間決定情報の何れか又は両方を示すのに用いられ、前記時間決定情報は、現在の時刻が前記利用可能な無認可スペクトルを検出する時間内であるか否かを示すのに用いられ、前記時間ドメイン表示情報は、前記時間−周波数−空間符号ドメイン情報、前記時間ドメイン情報、前記時間−周波数情報、又は前記時間−周波数ドメインの情報画像、のうち１つ又はこれらの組み合わせを含む、
請求項１１６又は１１７に記載のリソース取得方法。
【請求項１１９】
前記第２検出設定情報に従って前記利用可能な無認可スペクトルのリソースセクションを検出して、第２検出結果を前記取得する段階の後に、
前記第２検出結果を前記基地局に送信し、これにより、前記基地局は、前記第２検出結果に従って、前記利用可能な無認可スペクトルにおける第１リソースセクションを決定する段階と、
前記基地局により送信された前記第１リソースセクションを受信する段階と、
前記第１リソースセクションにおいてデータ伝送を実行する段階と、
をさらに備える、
請求項１１６から１１８の何れか一項に記載のリソース取得方法。
【請求項１２０】
前記第２検出設定情報は第２報告条件をさらに含み、
前記第２検出結果を前記基地局に前記送信する段階は、前記第２報告条件が満たされる場合、前記第２検出結果を前記基地局に送信する段階を含み、
前記第２報告条件は、サービングセルの信号品質が第１絶対閾値より高いこと、前記サービングセルの前記信号品質が第２絶対閾値より低いこと、隣接セルの信号品質が、事前設定オフセット値だけ前記サービングセルの前記信号品質より高いこと、前記隣接セルの前記信号品質が第３絶対閾値より高いこと、前記サービングセルの前記信号品質が第４絶対閾値より低く且つ前記隣接セルの前記信号品質が第５絶対閾値より高いこと、又は、前記隣接セルの前記信号品質が前記サービングセルの前記信号品質より高いこと、のうち１つ又はこれらの組み合わせを含む、
請求項１１９に記載のリソース取得方法。
【請求項１２１】
前記サービングセルは、前記利用可能な無認可スペクトルのセル及び／又は設定済みセルを含み、
前記設定済みセルは、前記ＯＡＭにより設定された前記無認可スペクトル情報に設定された、無認可スペクトルのセルである、
請求項１２０に記載のリソース取得方法。
【請求項１２２】
前記隣接セルは、前記ユーザ機器により用いられていない無認可スペクトルのセルを含む、
請求項１２０に記載のリソース取得方法。
【請求項１２３】
前記第１絶対閾値、前記第２絶対閾値、前記第３絶対閾値、前記第４絶対閾値、及び前記第５絶対閾値は、前記無認可スペクトルの複数の異なるレベルのセルを区別するのに用いられる絶対値である、
請求項１２０に記載のリソース取得方法。
【請求項１２４】
前記第２検出設定情報が、前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、又は前記利用可能な無認可スペクトルの１つ又は複数のセットの時間−周波数ドメインの情報画像、のうち１つ又はこれらの組み合わせを含む場合、
前記第２検出設定情報に従って前記利用可能な無認可スペクトルのリソースセクションを検出して、第２検出結果を前記取得する段階は、
前記利用可能な無認可スペクトルの１つ又は複数の種類の時間ドメイン情報、前記利用可能な無認可スペクトルの１つ又は複数の種類の周波数ドメイン情報、前記利用可能な無認可スペクトルの１つ又は複数の種類の時間−周波数情報、又は前記利用可能な無認可スペクトルの１つ又は複数のセットの時間−周波数ドメインの情報画像、のうち１つ又はこれらの組み合わせに従って、前記利用可能な無認可スペクトルの検出される予定のリソースセクションを決定する段階と、
前記利用可能な無認可スペクトルの前記リソースセクションの信号品質を検出する段階と、
前記利用可能な無認可スペクトルの前記リソースセクションの前記信号品質を前記第２検出結果として用い、又は、指標値と信号品質情報との間の事前設定された対応関係に従って、前記利用可能な無認可スペクトルの前記リソースセクションの前記信号品質に対応する指標値を前記第２検出結果として用い、これにより、前記基地局は、前記第２検出結果に従って、前記利用可能な無認可スペクトルの前記第１リソースセクションを決定する段階と、
を含む、
請求項１１６から１２３の何れか一項に記載のリソース取得方法。
【請求項１２５】
前記第２検出設定情報が前記第３参照信号の前記設定情報を含む場合、
前記第２検出設定情報に従って前記利用可能な無認可スペクトルのリソースセクションを検出して、第２検出結果を前記取得する段階は、
前記第３参照信号の前記設定情報に従って前記利用可能な無認可スペクトルの、前記第３参照信号が位置するリソースセクションを決定する段階と、
前記利用可能な無認可スペクトルの前記リソースセクションにおける前記第３参照信号の信号品質を検出する段階と、
前記利用可能な無認可スペクトルの前記リソースセクションにおける前記第３参照信号の前記信号品質を前記第２検出結果として用い、これにより、前記基地局は、前記第２検出結果に従って前記利用可能な無認可スペクトルの前記第１リソースセクションを決定する段階、又は、
指標値と信号品質情報との間の事前設定された対応関係に従って、前記利用可能な無認可スペクトルの前記リソースセクションにおける前記第３参照信号の前記信号品質に対応する指標値を前記第２検出結果として用い、これにより、前記基地局は、前記第２検出結果に従って前記利用可能な無認可スペクトルの前記第１リソースセクションを決定する段階と、
を含む、
請求項１１６から１２３の何れか一項に記載のリソース取得方法。
【請求項１２６】
前記第２設定結果を前記基地局に前記送信する段階は、前記ユーザ機器のＲＲＣ層シグナリング、ＭＡＣ層制御エレメント、物理層コマンド、ブロードキャスト情報、又はシステムメッセージ、のうち１つ又はこれらの組み合わせを用いて、前記第２検出結果を前記基地局に送信する段階を含む、
請求項１２４又は１２５に記載のリソース取得方法。
【請求項１２７】
請求項１から２３の何れか一項に記載の基地局、又は請求項４３から６５の何れか一項に記載の基地局と、
請求項２４から４２の何れか一項に記載のユーザ機器、又は請求項６６から８４の何れか一項に記載のユーザ機器と、
を備える、
リソース取得システム。
【手続補正２】
【補正対象書類名】明細書
【補正対象項目名】０００２
【補正方法】変更
【補正の内容】
【０００２】
セルラーネットワーク技術、特にＬＴＥ（Ｌｏｎｇ  Ｔｅｒｍ  Ｅｖｏｌｕｔｉｏｎ、ロングタームエボリューション）技術がさらに発展するに伴い、ＬＴＥシステムの限られた専用スペクトルリソースを考慮し、ＬＴＥ技術において、無認可スペクトルリソースを用いることが現在検討され始めている。スペクトルリソースは、ワイヤレス・フィデリティ（Ｗｉｒｅｌｅｓｓ  Ｆｉｄｅｌｉｔｙ、ＷｉＦｉ）に用いられるスペクトルリソース、又は、テレビ放送などの別の通信システムに用いられるリソース、又は、通信システムに用いられていない遊休リソースであってよい。
【手続補正３】
【補正対象書類名】明細書
【補正対象項目名】０００８
【補正方法】変更
【補正の内容】
【０００８】
第１態様又は第１の可能な実装態様に関連して、第２の可能な実装態様では、送信ユニットは、第１検出設定情報をユーザ機器に送信し、これにより、ユーザ機器は、第１検出設定情報に従って第１事前設定範囲における無認可スペクトルを検出し、第１検出結果を取得するようさらに構成される。
【手続補正４】
【補正対象書類名】明細書
【補正対象項目名】００４０
【補正方法】変更
【補正の内容】
【００４０】
第８から第１０の可能な実装態様に関連して、第１１の可能な実装態様では、送信ユニットは、第２検出結果を基地局に送信し、これにより、基地局は、第２検出結果に従って、利用可能な無認可スペクトルにおける第１リソースセクションを決定するよう構成され、受信ユニットは、基地局により送信された第１リソースセクションを受信するよう構成され、ユーザ機器は、第１リソースセクションにおいてデータ伝送を実行するよう構成された伝送ユニットをさらに含む。
【手続補正５】
【補正対象書類名】明細書
【補正対象項目名】００５０
【補正方法】変更
【補正の内容】
【００５０】
第３態様又は第１の可能な実装態様に関連して、第２の可能な実装態様では、送信器は、第１検出設定情報をユーザ機器に送信し、これにより、ユーザ機器は、第１検出設定情報に従って第１事前設定範囲における無認可スペクトルを検出し、第１検出結果を取得するようさらに構成される。
【手続補正６】
【補正対象書類名】明細書
【補正対象項目名】００８２
【補正方法】変更
【補正の内容】
【００８２】
第８から第１０の可能な実装態様に関連して、第１１の可能な実装態様では、ユーザ機器は以下のものをさらに含む。送信器は、第２検出結果を基地局に送信し、これにより、基地局は、第２検出結果に従って利用可能な無認可スペクトルの第１リソースセクションを決定するようさらに構成される。受信器は、基地局により送信された第１リソースセクションを受信するようさらに構成される。そして、プロセッサは、第１リソースセクションにおいてデータ伝送を実行するようさらに構成される。
【手続補正７】
【補正対象書類名】明細書
【補正対象項目名】００９２
【補正方法】変更
【補正の内容】
【００９２】
第５態様又は第１の可能な実装態様に関連して、第２の可能な実装態様では、ユーザ機器により送信された第１検出結果を受信する前に、リソース取得方法は、第１検出設定情報をユーザ機器に送信し、これにより、ユーザ機器は、第１検出設定情報に従って第１事前設定範囲における無認可スペクトルを検出し、第１検出結果を取得する段階をさらに含む。
【手続補正８】
【補正対象書類名】明細書
【補正対象項目名】０１２４
【補正方法】変更
【補正の内容】
【０１２４】
第８から第１０の可能な実装態様に関連して、第１１の可能な実装態様では、第２検出設定情報に従って利用可能な無認可スペクトルのリソースセクションを検出して、第２検出結果を取得する段階の後に、リソース取得方法は、第２検出結果を基地局に送信し、これにより、基地局は、第２検出結果に従って利用可能な無認可スペクトルの第１リソースセクションを決定する段階と、基地局により送信された第１リソースセクションを受信する段階と、第１リソースセクションにおいてデータ伝送を実行する段階とをさらに含む。
【手続補正９】
【補正対象書類名】明細書
【補正対象項目名】０１５１
【補正方法】変更
【補正の内容】
【０１５１】
さらに、送信ユニット１０４は、第１検出設定情報をユーザ機器に送信し、これにより、ユーザ機器は、第１検出設定情報に従って第１事前設定範囲における無認可スペクトルを検出して、第１検出結果を取得するようさらに構成されてよい。具体的には、基地局は、ＲＲＣ層シグナリング、ＭＡＣ層制御エレメント、物理層コマンド、ブロードキャスト情報、又はシステムメッセージ、のうち１つ又はこれらの組み合わせを用いて、第１検出設定情報を送信してよい。
【手続補正１０】
【補正対象書類名】明細書
【補正対象項目名】０１８５
【補正方法】変更
【補正の内容】
【０１８５】
さらに、図４に示されるように、送信ユニット２０２は、第２検出結果を基地局に送信し、これにより、基地局は、第２検出結果に従って利用可能な無認可スペクトルにおける第１リソースセクションを決定するよう構成され、受信ユニット２０３は、基地局により送信された第１リソースセクションを受信するよう構成され、ユーザ機器２０は、第１リソースセクションにおいてデータ伝送を実行するよう構成された伝送ユニット２０５をさらに含んでよい。
【手続補正１１】
【補正対象書類名】明細書
【補正対象項目名】０１９４
【補正方法】変更
【補正の内容】
【０１９４】
通信バス３０３は、業界標準アーキテクチャ（Ｉｎｄｕｓｔｒｙ  Ｓｔａｎｄａｒｄ  Ａｒｃｈｉｔｅｃｔｕｒｅ、略してＩＳＡ）バス、ペリフェラル・コンポーネント・インターコネクト（Ｐｅｒｉｐｈｅｒａｌ  Ｃｏｍｐｏｎｅｎｔ、略してＰＣＩ）バス、拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、略してＥＩＳＡ）バスなどであってよい。バス３０３は、アドレスバス、データバス、制御バスなどに分類されてよい。
【手続補正１２】
【補正対象書類名】明細書
【補正対象項目名】０２０２
【補正方法】変更
【補正の内容】
【０２０２】
送信器３０４は、第１検出設定情報をユーザ機器に送信する段階をさらに含んでよく、これにより、ユーザ機器は、第１検出設定情報に従って第１事前設定範囲における無認可スペクトルを検出して、第１検出結果を取得する。
【手続補正１３】
【補正対象書類名】明細書
【補正対象項目名】０２２２
【補正方法】変更
【補正の内容】
【０２２２】
通信バス４０３は、業界標準アーキテクチャ（Ｉｎｄｕｓｔｒｙ  Ｓｔａｎｄａｒｄ  Ａｒｃｈｉｔｅｃｔｕｒｅ、略してＩＳＡ）バス、ペリフェラル・コンポーネント・インターコネクト（Ｐｅｒｉｐｈｅｒａｌ  Ｃｏｍｐｏｎｅｎｔ、略してＰＣＩ）バス、拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、略してＥＩＳＡ）バスなどであってよい。バス４０３は、アドレスバス、データバス、制御バスなどに分類されてよい。
【手続補正１４】
【補正対象書類名】明細書
【補正対象項目名】０２３４
【補正方法】変更
【補正の内容】
【０２３４】
送信器４０４は、第２検出結果を基地局に送信し、これにより、基地局は、第２検出結果に従って利用可能な無認可スペクトルの第１リソースセクションを決定するようさらに構成されてよい。
【手続補正１５】
【補正対象書類名】明細書
【補正対象項目名】０２５８
【補正方法】変更
【補正の内容】
【０２５８】
任意選択で、第１検出設定情報は、ユーザ機器のために基地局により構成される情報であってよく、又は、ユーザ機器自体により構成される情報であってもよい。第１検出設定情報が基地局により構成される場合、それに応じて、ユーザ機器により送信された第１検出結果を受信する段階５０１の前に、リソース取得方法は、基地局により、第１検出設定情報をユーザ機器に送信し、これにより、ユーザ機器は、第１検出設定情報に従って第１事前設定範囲における無認可スペクトルを検出して、第１検出結果を取得する段階をさらに含んでよい。具体的には、基地局は、ＲＲＣ層シグナリング、ＭＡＣ層制御エレメント、物理層コマンド、ブロードキャスト情報、又はシステムメッセージ、のうち１つ又はこれらの組み合わせを用いて、第１検出設定情報を送信する。
【手続補正１６】
【補正対象書類名】明細書
【補正対象項目名】０２８１
【補正方法】変更
【補正の内容】
【０２８１】
さらに、第２検出設定情報に従って利用可能な無認可スペクトルのリソースセクションを検出して、第２検出結果を取得する段階の後に、リソース取得方法は、ユーザ機器により、第２検出結果を基地局に送信し、これにより、基地局は、第２検出結果に従って利用可能な無認可スペクトル情報における第１リソースセクションを決定する段階をさらに含んでよい。
【手続補正１７】
【補正対象書類名】明細書
【補正対象項目名】０３２０
【補正方法】変更
【補正の内容】
【０３２０】
信号品質情報は干渉比であり、第２事前設定条件は１未満の干渉比であると仮定される。第２検出結果が利用可能な無認可スペクトルの干渉比である場合、基地局は、利用可能な無認可スペクトルにおけるリソースセクションの干渉比に従って１未満の干渉比を取得し、利用可能な無認可スペクトルの、１未満の干渉比に対応するリソースセクションを取得し、無認可スペクトルの第１リソースセクションとしてリソースセクションを用いてよい。代わりに、信号品質情報が干渉比に対応する指標値であり、第３事前設定条件が１未満の指標値である場合、基地局は、利用可能な無認可スペクトルにおけるリソースセクションの干渉比に対応する指標値に従って１未満の指標値を取得し、利用可能な無認可スペクトルの、1未満の指標値に対応するリソースセクションを取得し、無認可スペクトルの第１リソースセクションとしてリソースセクションを用いてよい。更に、基地局は、ユーザ機器の第２検出結果に従って適切な電力を選択して、比較的高い送信電力が第１リソースセクションに用いられるという理由で、ユーザ機器が信号を検出できないということを回避する。
【手続補正１８】
【補正対象書類名】図面
【補正対象項目名】図８
【補正方法】変更
【補正の内容】
【図８】
2017516430.tif 000014
【国際調査報告】
2017516430.tif 000015
2017516430.tif 000016
2017516430.tif 000017
2017516430.tif 000018